(57)【要約】移動通信端末は、所望基地局から送信される参照信号のベクトルに基づいて、電波の所望ビームに対する干渉を抑圧するように干渉抑圧合成受信ウェイト行列を計算する。移動通信端末は、干渉抑圧合成受信ウェイト行列と参照信号ベクトルから、ＩＲＣが実施される場合に想定される全受信電力を推定し、干渉抑圧合成受信ウェイトベクトルとチャネル行列と参照信号系列から、ＩＲＣが実施される場合に想定される所望参照信号電力を推定する。移動通信端末は、全受信電力から所望参照信号電力を減算することにより、ＩＲＣが実施される場合に想定される干渉雑音電力を推定し、推定された干渉雑音電力から、ＩＲＣが実施される場合に想定されるＳＩＮＲを計算する。
2014115373.tif 000002
【特許請求の範囲】
【請求項１】
所望基地局から直交周波数分割多元アクセスで下りリンクの信号を受信する移動通信端末であって、
電波を受信する複数の受信アンテナと、
前記所望基地局から送信される参照信号のベクトルである参照信号ベクトルを測定する参照信号ベクトル測定部と、
前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記干渉抑圧合成受信ウェイト行列と、前記参照信号ベクトル測定部で測定された前記参照信号ベクトルから、干渉抑圧合成が実施される場合に想定される、全受信電力を推定する全受信電力推定部と、
前記複数の受信アンテナで受信される電波に由来する信号から、チャネルインパルス行列を推定するチャネルインパルス行列推定部と、
前記干渉抑圧合成受信ウェイト行列の一部である干渉抑圧合成受信ウェイトベクトルと、前記チャネルインパルス行列と、前記参照信号または他の参照信号の系列である参照信号系列から、前記干渉抑圧合成が実施される場合に想定される、所望参照信号電力を推定する所望参照信号電力推定部と、
前記全受信電力から前記所望参照信号電力を減算することにより、前記干渉抑圧合成が実施される場合に想定される、干渉雑音電力を推定する干渉雑音電力推定部と、
前記チャネルインパルス行列から前記所望基地局でのプリコーディングに使用されるべき送信ウェイトベクトルを推定する送信ウェイトベクトル推定部と、
前記干渉抑圧合成受信ウェイトベクトルと、前記チャネルインパルス行列と、前記送信ウェイトベクトルから、前記干渉抑圧合成が実施される場合に想定される、所望データ信号電力を推定する所望データ信号電力推定部と、
前記所望データ信号電力と前記干渉雑音電力から、前記干渉抑圧合成が実施される場合に想定される、信号対雑音干渉比を計算する信号対雑音干渉比計算部と
を備えることを特徴とする移動通信端末。
【請求項２】
前記参照信号ベクトル測定部は、前記参照信号ベクトルとして、セル固有参照信号のベクトルであるセル固有参照信号ベクトルを測定する
ことを特徴とする請求項１に記載の移動通信端末。
【請求項３】
前記チャネルインパルス行列推定部は、前記参照信号ベクトル測定部で測定された前記セル固有参照信号ベクトルに基づいて前記チャネルインパルス行列を推定し、
前記所望参照信号電力推定部は、前記干渉抑圧合成受信ウェイトベクトルと、前記チャネルインパルス行列と、前記セル固有参照信号の系列から、前記所望参照信号電力を推定する
ことを特徴とする請求項２に記載の移動通信端末。
【請求項４】
前記所望基地局から送信されるチャネル状態情報参照信号のベクトルであるチャネル状態情報参照信号ベクトルを測定するチャネル状態情報参照信号ベクトル測定部をさらに備え、
前記チャネルインパルス行列推定部は、前記チャネル状態情報参照信号ベクトル測定部で測定された前記チャネル状態情報参照信号ベクトルに基づいて前記チャネルインパルス行列を推定し、
前記所望参照信号電力推定部は、前記干渉抑圧合成受信ウェイトベクトルと、前記チャネルインパルス行列と、前記チャネル状態情報参照信号の系列から、前記所望参照信号電力を推定する
ことを特徴とする請求項２に記載の移動通信端末。
【請求項５】
前記参照信号ベクトル測定部は、前記参照信号ベクトルとして、チャネル状態情報参照信号のベクトルであるチャネル状態情報参照信号ベクトルを測定し、
前記チャネルインパルス行列推定部は、前記参照信号ベクトル測定部で測定された前記チャネル状態情報参照信号ベクトルに基づいて前記チャネルインパルス行列を推定し、
前記所望参照信号電力推定部は、前記干渉抑圧合成受信ウェイトベクトルと、前記チャネルインパルス行列と、前記チャネル状態情報参照信号の系列から、前記所望参照信号電力を推定する
ことを特徴とする請求項１に記載の移動通信端末。
【請求項６】
所望基地局から直交周波数分割多元アクセスで下りリンクの信号を受信する移動通信端末であって、
電波を受信する複数の受信アンテナと、
前記所望基地局から送信される参照信号のベクトルである参照信号ベクトルを測定する参照信号ベクトル測定部と、
前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記干渉抑圧合成受信ウェイト行列と、前記参照信号ベクトル測定部で測定された前記参照信号ベクトルから、干渉抑圧合成が実施される場合に想定される、全受信信号成分を推定する全受信信号成分推定部と、
前記複数の受信アンテナで受信される電波に由来する信号から、チャネルインパルス行列を推定するチャネルインパルス行列推定部と、
前記干渉抑圧合成受信ウェイト行列の一部である干渉抑圧合成受信ウェイトベクトルと、前記チャネルインパルス行列と、前記参照信号または他の参照信号の系列である参照信号系列から、前記干渉抑圧合成が実施される場合に想定される、所望参照信号成分を推定する所望参照信号成分推定部と、
前記全受信信号成分から前記所望参照信号成分を減算して、減算結果を二乗することにより、前記干渉抑圧合成が実施される場合に想定される、干渉雑音電力を推定する干渉雑音電力推定部と、
前記チャネルインパルス行列から前記所望基地局でのプリコーディングに使用されるべき送信ウェイトベクトルを推定する送信ウェイトベクトル推定部と、
前記干渉抑圧合成受信ウェイトベクトルと、前記チャネルインパルス行列と、前記送信ウェイトベクトルから、前記干渉抑圧合成が実施される場合に想定される、所望データ信号電力を推定する所望データ信号電力推定部と、
前記所望データ信号電力と前記干渉雑音電力から、前記干渉抑圧合成が実施される場合に想定される、信号対雑音干渉比を計算する信号対雑音干渉比計算部と
を備えることを特徴とする移動通信端末。
【請求項７】
前記参照信号ベクトル測定部は、前記参照信号ベクトルとして、セル固有参照信号のベクトルであるセル固有参照信号ベクトルを測定する
ことを特徴とする請求項６に記載の移動通信端末。
【請求項８】
前記チャネルインパルス行列推定部は、前記参照信号ベクトル測定部で測定された前記セル固有参照信号ベクトルに基づいて前記チャネルインパルス行列を推定し、
前記所望参照信号成分推定部は、前記干渉抑圧合成受信ウェイトベクトルと、前記チャネルインパルス行列と、前記セル固有参照信号の系列から、前記所望参照信号成分を推定する
ことを特徴とする請求項７に記載の移動通信端末。
【請求項９】
前記所望基地局から送信されるチャネル状態情報参照信号のベクトルであるチャネル状態情報参照信号ベクトルを測定するチャネル状態情報参照信号ベクトル測定部をさらに備え、
前記チャネルインパルス行列推定部は、前記チャネル状態情報参照信号ベクトル測定部で測定された前記チャネル状態情報参照信号ベクトルに基づいて前記チャネルインパルス行列を推定し、
前記所望参照信号成分推定部は、前記干渉抑圧合成受信ウェイトベクトルと、前記チャネルインパルス行列と、前記チャネル状態情報参照信号の系列から、前記所望参照信号成分を推定する
ことを特徴とする請求項７に記載の移動通信端末。
【請求項１０】
前記参照信号ベクトル測定部は、前記参照信号ベクトルとして、チャネル状態情報参照信号のベクトルであるチャネル状態情報参照信号ベクトルを測定し、
前記チャネルインパルス行列推定部は、前記参照信号ベクトル測定部で測定された前記チャネル状態情報参照信号ベクトルに基づいて前記チャネルインパルス行列を推定し、
前記所望参照信号成分推定部は、前記干渉抑圧合成受信ウェイトベクトルと、前記チャネルインパルス行列と、前記チャネル状態情報参照信号の系列から、前記所望参照信号成分を推定する
ことを特徴とする請求項６に記載の移動通信端末。
【請求項１１】
所望基地局から直交周波数分割多元アクセスで下りリンクの信号を受信する移動通信端末であって、
電波を受信する複数の受信アンテナと、
前記所望基地局から送信される参照信号のベクトルである参照信号ベクトルを測定する参照信号ベクトル測定部と、
前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記複数の受信アンテナで受信される電波に由来する信号から、前記参照信号の異なるリソースエレメントに対応する複数のチャネルインパルス行列を推定するチャネルインパルス行列推定部と、
前記干渉抑圧合成受信ウェイト行列と、前記複数のチャネルインパルス行列のそれぞれの一部である複数のチャネルインパルスベクトルから、干渉抑圧合成が実施される場合に想定される、干渉雑音電力を推定する干渉雑音電力推定部と、
前記所望基地局でのプリコーディングに使用されるべき送信ウェイト行列の候補を供給する送信ウェイト行列供給部と、
前記干渉抑圧合成受信ウェイト行列の一部である干渉抑圧合成受信ウェイトベクトルと、前記チャネルインパルス行列推定部で推定された１つのチャネルインパルス行列または他のチャネルインパルス行列と、前記送信ウェイト行列の候補から、前記干渉抑圧合成が実施される場合に想定される、前記所望基地局から送信される送信ストリーム間干渉電力を推定する送信ストリーム間干渉電力推定部と、
前記干渉抑圧合成受信ウェイトベクトルと、前記チャネルインパルス行列推定部で推定された１つのチャネルインパルス行列または他のチャネルインパルス行列と、前記送信ウェイト行列の候補から、前記干渉抑圧合成が実施される場合に想定される、所望データ信号電力を推定する所望データ信号電力推定部と、
前記所望データ信号電力と前記干渉雑音電力と前記送信ストリーム間干渉電力から、前記干渉抑圧合成が実施される場合に想定される、信号対雑音干渉比を計算する信号対雑音干渉比計算部と
を備えることを特徴とする移動通信端末。
【請求項１２】
前記参照信号ベクトル測定部は、前記参照信号ベクトルとして、セル固有参照信号のベクトルであるセル固有参照信号ベクトルを測定し、
前記干渉抑圧合成処理部は、前記参照信号ベクトル測定部で測定された前記セル固有参照信号ベクトルに基づいて、前記干渉抑圧合成受信ウェイト行列を計算し、
前記チャネルインパルス行列推定部は、前記セル固有参照信号ベクトルの異なるリソースエレメントに対応する複数のチャネルインパルス行列を推定し、
前記干渉雑音電力推定部は、前記干渉抑圧合成受信ウェイト行列と、前記セル固有参照信号に由来する前記複数のチャネルインパルス行列のそれぞれの一部である複数のチャネルインパルスベクトルから、前記干渉雑音電力を推定する
ことを特徴とする請求項１１に記載の移動通信端末。
【請求項１３】
前記送信ストリーム間干渉電力推定部は、前記干渉抑圧合成受信ウェイトベクトルと、前記チャネルインパルス行列推定部で推定された前記セル固有参照信号に由来する１つのチャネルインパルス行列と、前記送信ウェイト行列の候補から、前記送信ストリーム間干渉電力を推定し、
前記所望データ信号電力推定部は、前記干渉抑圧合成受信ウェイトベクトルと、前記チャネルインパルス行列推定部で推定された前記セル固有参照信号に由来する１つのチャネルインパルス行列と、前記送信ウェイト行列の候補から、前記所望データ信号電力を推定する
ことを特徴とする請求項１２に記載の移動通信端末。
【請求項１４】
前記所望基地局から送信されるチャネル状態情報参照信号のベクトルであるチャネル状態情報参照信号ベクトルを測定するチャネル状態情報参照信号ベクトル測定部と、
前記複数の受信アンテナで受信される電波に由来する信号から、前記チャネル状態情報参照信号に由来するチャネルインパルス行列であるチャネル状態情報参照信号チャネルインパルス行列を推定するチャネル状態情報参照信号チャネルインパルス行列推定部とをさらに備え、
前記送信ストリーム間干渉電力推定部は、前記干渉抑圧合成受信ウェイトベクトルと、前記チャネル状態情報参照信号チャネルインパルス行列推定部で推定された前記チャネル状態情報参照信号チャネルインパルス行列と、前記送信ウェイト行列の候補から、前記送信ストリーム間干渉電力を推定し、
前記所望データ信号電力推定部は、前記干渉抑圧合成受信ウェイトベクトルと、前記チャネル状態情報参照信号チャネルインパルス行列推定部で推定された前記チャネル状態情報参照信号チャネルインパルス行列と、前記送信ウェイト行列の候補から、前記所望データ信号電力を推定する
ことを特徴とする請求項１２に記載の移動通信端末。
【請求項１５】
所望基地局から直交周波数分割多元アクセスで下りリンクの信号を受信する移動通信端末であって、
電波を受信する複数の受信アンテナと、
前記所望基地局から送信される復調用参照信号のベクトルである復調用参照信号ベクトルを測定する参照信号ベクトル測定部と、
前記参照信号ベクトル測定部で測定された前記復調用参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記干渉抑圧合成受信ウェイト行列と、前記参照信号ベクトル測定部で測定された前記復調用参照信号ベクトルから、干渉抑圧合成が実施される場合に想定される、全受信電力を推定する全受信電力推定部と、
前記参照信号ベクトル測定部で測定された前記復調用参照信号ベクトルに基づいてチャネルインパルス行列を推定するチャネルインパルス行列推定部と、
前記干渉抑圧合成受信ウェイト行列の一部である干渉抑圧合成受信ウェイトベクトルと、前記チャネルインパルス行列と、前記復調用参照信号の系列から、前記干渉抑圧合成が実施される場合に想定される、所望参照信号電力を推定する所望参照信号電力推定部と、
前記全受信電力から前記所望参照信号電力を減算することにより、前記干渉抑圧合成が実施される場合に想定される、干渉雑音電力を推定する干渉雑音電力推定部と、
前記所望参照信号電力と前記干渉雑音電力から、前記干渉抑圧合成が実施される場合に想定される、信号対雑音干渉比を計算する信号対雑音干渉比計算部と
を備えることを特徴とする移動通信端末。
【請求項１６】
所望基地局から直交周波数分割多元アクセスで下りリンクの信号を受信する移動通信端末であって、
電波を受信する複数の受信アンテナと、
前記所望基地局から送信される復調用参照信号のベクトルである復調用参照信号ベクトルを測定する参照信号ベクトル測定部と、
前記参照信号ベクトル測定部で測定された前記復調用参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記複数の受信アンテナで受信される電波に由来する信号から、前記復調用参照信号の異なるリソースエレメントに対応する複数のチャネルインパルス行列を推定するチャネルインパルス行列推定部と、
前記干渉抑圧合成受信ウェイト行列と、前記複数のチャネルインパルス行列のそれぞれの一部である複数のチャネルインパルスベクトルから、干渉抑圧合成が実施される場合に想定される、干渉雑音電力を推定する干渉雑音電力推定部と、
前記干渉抑圧合成受信ウェイト行列の一部である干渉抑圧合成受信ウェイトベクトルと、前記チャネルインパルス行列推定部で推定された１つのチャネルインパルス行列から、前記干渉抑圧合成が実施される場合に想定される、前記所望基地局から送信される送信ストリーム間干渉電力を推定する送信ストリーム間干渉電力推定部と、
前記干渉抑圧合成受信ウェイトベクトルと、前記チャネルインパルス行列推定部で推定された１つのチャネルインパルス行列と、前記復調用参照信号の系列から、前記干渉抑圧合成が実施される場合に想定される、所望データ信号電力を推定する所望データ信号電力推定部と、
前記所望データ信号電力と前記干渉雑音電力と前記送信ストリーム間干渉電力から、前記干渉抑圧合成が実施される場合に想定される、信号対雑音干渉比を計算する信号対雑音干渉比計算部と
を備えることを特徴とする移動通信端末。
【請求項１７】
複数の基地局から受信する電波に関する受信信号品質を測定または計算する受信信号品質判定部と、
前記受信信号品質に基づいて、前記信号対雑音干渉比計算部で計算された前記信号対雑音干渉比または前記干渉雑音電力推定部で推定された前記干渉雑音電力を補正する補正部とをさらに備える
ことを特徴とする請求項１から請求項１６のいずれか１項に記載の移動通信端末。
【請求項１８】
前記受信信号品質判定部は、前記受信信号品質として、複数の基地局から受信する参照信号の複数の参照信号受信電力を測定し、
前記複数の参照信号受信電力のうち、２番目に大きい参照信号受信電力と３番目に大きい参照信号受信電力の差分に基づいて、前記補正部は、前記差分が大きいほど増分が大きくなるように、前記信号対雑音干渉比を増加させる
ことを特徴とする請求項１７に記載の移動通信端末。
【請求項１９】
前記受信信号品質判定部は、前記受信信号品質として、干渉抑圧合成が実施されない場合に想定される、信号対雑音干渉比である非干渉抑圧合成・信号対雑音干渉比を計算し、
前記補正部は、前記非干渉抑圧合成・信号対雑音干渉比が小さいほど増分が大きくなるように、前記信号対雑音干渉比を増加させる
ことを特徴とする請求項１７に記載の移動通信端末。
【請求項２０】
前記受信信号品質判定部は、前記受信信号品質として、複数の基地局から受信する参照信号の複数の参照信号受信電力を測定し、
前記複数の参照信号受信電力のうち、２番目に大きい参照信号受信電力と３番目に大きい参照信号受信電力に基づいて、前記補正部は、前記２番目に大きい参照信号受信電力と前記３番目に大きい参照信号受信電力との差分が大きいほど減少分が大きくなるように、かつ前記２番目に大きい参照信号受信電力が大きいほど減少分が大きくなるように、前記干渉雑音電力を減少させる
ことを特徴とする請求項１７に記載の移動通信端末。
【請求項２１】
前記信号対雑音干渉比から、チャネル状態情報を判定するチャネル状態情報判定部と、
前記チャネル状態情報を前記所望基地局に送信するチャネル状態情報送信部とをさらに備える
ことを特徴とする請求項１から請求項１６のいずれか１項に記載の移動通信端末。
【請求項２２】
前記信号対雑音干渉比から、チャネル状態情報を判定するチャネル状態情報判定部と、
前記チャネル状態情報を前記所望基地局に送信するチャネル状態情報送信部とをさらに備える
ことを特徴とする請求項１７に記載の移動通信端末。
【請求項２３】
干渉基地局からの干渉データ信号を復調することにより干渉レプリカを生成し、前記複数の受信アンテナで受信される電波に由来する受信信号から前記干渉レプリカをキャンセルすることにより、所望基地局からの所望データ信号を抽出する逐次干渉キャンセル部と、
前記信号対雑音干渉比計算部は、所望データ信号に対して前記干渉抑圧合成が実施される場合に想定される、信号対雑音干渉比を計算するとともに、所望データ信号であると仮定された干渉データ信号に対して前記干渉抑圧合成が実施される場合に想定される信号対雑音干渉比を計算し、
前記逐次干渉キャンセル部は、
高い信号対雑音干渉比を有するデータ信号を先に復調することによりデータ信号レプリカを生成し、前記データ信号レプリカを前記受信信号からキャンセルすることを繰り返し、すべての干渉データ信号のデータ信号レプリカを前記受信信号からキャンセルすることにより、所望データ信号を抽出する
ことを特徴とする請求項１から請求項１６のいずれか１項に記載の移動通信端末。
【請求項２４】
干渉基地局からの干渉データ信号を復調することにより干渉レプリカを生成し、前記複数の受信アンテナで受信される電波に由来する受信信号から前記干渉レプリカをキャンセルすることにより、所望基地局からの所望データ信号を抽出する逐次干渉キャンセル部と、
前記信号対雑音干渉比計算部は、所望データ信号に対して前記干渉抑圧合成が実施される場合に想定される、信号対雑音干渉比を計算するとともに、所望データ信号であると仮定された干渉データ信号に対して前記干渉抑圧合成が実施される場合に想定される信号対雑音干渉比を計算し、
前記逐次干渉キャンセル部は、
高い信号対雑音干渉比を有するデータ信号を先に復調することによりデータ信号レプリカを生成し、前記データ信号レプリカを前記受信信号からキャンセルすることを繰り返し、すべての干渉データ信号のデータ信号レプリカを前記受信信号からキャンセルすることにより、所望データ信号を抽出する
ことを特徴とする請求項１７に記載の移動通信端末。
【発明の詳細な説明】
【技術分野】
【０００１】
本発明は、移動通信端末に関する。
【背景技術】
【０００２】
3GPP（Third Generation Partnership Project）におけるLTE（Long Term Evolution）Advancedでは、MU-MIMO（multi-user multiple-input multiple-output）を用いたＯＦＤＭＡ（Orthogonal Frequency Division Multiplexing Access）が提案されている。MU-MIMOの下りリンク送信においては、１つの基地局が複数の移動通信端末と通信するだけでなく、１つの移動通信端末に異なるデータストリーム（レイヤ）を同時に送信することが可能である。【０００３】
また、LTE Advancedでは、干渉抑圧合成(Interference Rejection Combining、IRC)と呼ばれる移動通信端末の受信技術が検討されている。干渉抑圧合成は、下りリンク通信に関して、在圏基地局（所望基地局）からの所望電波ビームに対する干渉基地局からの干渉電波ビームの干渉を、移動通信端末において抑圧するように、移動通信端末において各受信アンテナで得られる信号に重み付けを与える技術である。【０００４】
ＩＲＣは、特に、図１に示すように、移動通信端末１０が在圏セルエリア（所望基地局１のセルエリア）１ａの境界付近に所在して、所望基地局１の隣の他の基地局２（干渉基地局）から干渉電波ビームを強く受ける場合に、所望電波ビームに載せられた所望信号の受信品質を向上させる。図１において、符号２ａは干渉基地局２のセルエリアを示す。また、図１においては、所望基地局１で生成されたビーム１ｂの概略形状と、干渉基地局２で生成されたビーム２ｂの概略形状が示されている。干渉基地局２で生成されたビーム２ｂすなわち他の移動通信端末（例えば移動通信端末１２）への下りチャネルのためのビームの一部が移動通信端末１０にとって干渉信号２ｃの原因になる。【０００５】
ＩＲＣについては、例えば特許文献１、非特許文献１、非特許文献２に記載されている。【０００６】
非特許文献２は、ＭＭＳＥ（最小平均二乗誤差）アルゴリズムを用いるＩＲＣの受信ウェイト行列の計算を開示する。この技術では、ＭＭＳＥアルゴリズムから導き出される下記の式（１）を用いて、信号を受信する移動通信端末の受信ウェイト行列（干渉抑圧合成受信ウェイト行列）
【数１】
2014115373.tif 000003
を計算することができる。
【数２】
2014115373.tif 000004
【０００７】
式（１）において、
【数３】
2014115373.tif 000005
は、移動通信端末が接続する所望基地局（所望セル）からの信号のチャネルインパルス行列であり、
【数４】
2014115373.tif 000006
は、移動通信端末にとっての受信信号ベクトルの共分散行列である。ｋは受信サブキャリアの番号（すなわちサブキャリアインデックス）を示し、ｌはＯＦＤＭシンボル番号（すなわちＯＦＤＭシンボルインデックス）を示す。式（１）の右辺の上付文字Hは複素共役転置（complex conjugate transpose）を示す。【０００８】
受信信号ベクトルの共分散行列は、所望基地局からの参照信号のベクトルから得られるチャネルインパルス行列から計算することができる。参照信号のベクトルに基づく共分散行列の計算手法は公知である。受信信号ベクトルの共分散行列は、データ信号のベクトルから計算することができる。データ信号のベクトルに基づく共分散行列の計算手法は公知である。【０００９】
3GPPにおいては、参照信号（reference signal、ＲＳ）は、セル固有参照信号（cell-specific RS（CRS））、チャネル状態情報参照信号（channel state information RS（CSI-RS））、復調用参照信号（demodulation RS（DM-RS））に分類される。復調用参照信号は、端末固有参照信号（UE-specific RS）とも呼ばれる。【００１０】
3GPPのLTEすなわちRelease 8では、セル固有参照信号（CRS）の使用が義務づけられている。セル固有参照信号は、基地局（セル）の最大で４つの送信アンテナをサポートする。セル固有参照信号は、チャネル状態情報の決定（チャネル状態の推定）、データの復調、セルからの信号の受信品質（ＲＳＲＰ、参照信号受信電力）の測定、および制御チャネル（個別物理制御チャネル、DPCCH）の復調に使用される。【００１１】
3GPPのLTE AdvancedすなわちRelease 10以降のLTEでは、チャネル状態情報参照信号（CSI-RS）および復調用参照信号（DM-RS）の使用が義務づけられるであろう。チャネル状態情報参照信号は、基地局（セル）の最大で８つの送信アンテナをサポートする。チャネル状態情報参照信号は、チャネル状態情報の決定（チャネル状態の推定）のみに使用されるであろう。このため、セル固有参照信号に比べて、チャネル状態情報参照信号は低密度（長間隔）で送信される。【００１２】
復調用参照信号は、基地局（セル）から送信されうる最大で８つの送信ストリームをサポートする。復調用参照信号は、移動通信端末（ユーザ装置、UE）固有のデータ信号を復調するために使用されるであろう。復調用参照信号には、データ信号と同様のプリコーディングが施されており、このために移動通信端末は、プリコーディング情報なしで、復調用参照信号によってデータ信号を復調することができる。【００１３】
LTE Advancedでは、例えば、セルからの信号の受信品質（ＲＳＲＰ）の測定、および制御チャネルの復調のために、セル固有参照信号も使用される可能性がある。図２は、LTE Advancedでの下りリンク送信の１つのリソースブロックにおける各種信号のマッピングの例を示す。符号ＲＢは１つのリソースブロックを示し、各升目は、最小リソース単位である１つのサブキャリア、１つのOFDMシンボルからなるリソースエレメントＲＥを示す。縦軸は周波数(サブキャリア）を示し、横軸は時間（ＯＦＤＭシンボル）を示す。【００１４】
LTE Advancedでは、移動通信端末は、SINR（信号対雑音干渉比）からチャネル状態情報（channel state information、CSI）を決定し、決定されたチャネル状態情報を基地局にフィードバックする。各移動通信端末からフィードバックされたチャネル状態情報に応じて、基地局は、移動通信端末それぞれに適した送信ビームを形成するプリコーディングを実行する。プリコーディングは、同じ周波数を使用する複数の送信ビームの干渉を抑制し、これらの送信ビームを受信する複数の移動通信端末での受信品質を高めることができる。移動通信端末からフィードバックされるチャネル状態情報としては、チャネル品質インジケータ（channel quality indicator、CQI）、プリコーディング行列インジケータ（precoding matrix indicator、PMI）、ランクインジケータ（rank indicator、RI）のセットが知られている。
【先行技術文献】
【特許文献】
【００１５】
【特許文献１】特表2000-511370号公報
【非特許文献】
【００１６】
【非特許文献１】Y. Ohwatari, N. Miki, T. Asai, T. Abe, and H. Taoka, "Performance of Advanced Receiver Employing Interference Rejection Combining to Suppress Inter-cell Interference in LTE-Advanced Downlink," in Proceedings of the IEEE Vehicular Technology Conference (VTC Fall 2011), September 2011
【非特許文献２】R4-115213, 3GPP TSG RAN WG4 #60Bis, Zhuhai, CN, 10-14 October 2011, Agenda item: 9.3, Source: NTT DOCOMO, Title: "Reference receiver structure for interference mitigation on Enhanced performance requirement for LTE UE", Document for: Approval, October 2011
【発明の概要】
【発明が解決しようとする課題】
【００１７】
干渉抑圧合成（ＩＲＣ）を実行可能である移動通信端末は、チャネル状態情報の決定において、干渉抑圧合成が実施される場合に想定されるSINRを計算することができることが好ましい。移動通信端末が干渉抑圧合成により良好な受信品質を確保しうるのであれば、基地局は、その移動通信端末へのプリコーディングの要件を緩和することが可能だからである。また、SINRは移動通信端末のハンドオーバの指標として使用することができる。干渉抑圧合成を実行可能である移動通信端末のハンドオーバにおいても、干渉抑圧合成が実施される場合に想定されるSINRを計算することができることが好ましい。【００１８】
SINRの計算においては、干渉雑音電力を推定する必要がある。干渉雑音電力のうち干渉電力は、他セルでの移動通信端末へのスケジューリングに依存して頻繁に大きく変動する。したがって、正確な適時の干渉雑音電力の推定は困難であり、正確な適時のSINRの計算も困難である。計算されたSINRが不正確な場合には、不正確なSINRに基づいて決定されたチャネル状態情報に応じて、基地局は不適切なプリコーディングを実行する。この場合、例えば、移動通信端末は、品質が低い信号を基地局から受信してしまうことがある。また、計算されたSINRが不正確な場合に、そのSINRをハンドオーバの指標として使用すると、不適切なハンドオーバが行われうる。【００１９】
一方、干渉を抑圧する他の手法として、逐次干渉キャンセル（Successive Interference Cancellation、ＳＩＣ）と呼ばれる技術が提案されている（例えば、Raphael Visoz at al, "Binary Versus Symbolic Performance Prediction Methods For Iterative MMSE-IC Multiuser MIMO Joint Decoding", in Proc. IEEE SPAWC, June 2009）。概略的には、ＳＩＣでは、移動通信端末は、干渉データ信号を復調し（場合によってはさらに復号し）、受信信号から干渉データ信号を逐次的にキャンセルすることにより、当該移動端末宛ての所望データ信号を抽出する。【００２０】
ＳＩＣにおいては、データ信号を復調してデータ信号のレプリカを生成して、レプリカをキャンセルする処理が繰り返される。高いSINRを有するデータ信号が先に復調およびキャンセルされる。したがって、ＳＩＣを実行するためにも、SINRを高い精度で計算することが重要である。【００２１】
そこで、本発明は、干渉抑圧合成が実行可能であって、干渉抑圧合成が実施される場合に想定される信号対雑音干渉比を高い精度で計算することができる移動通信端末を提供する。
【課題を解決するための手段】
【００２２】
本発明の第１の態様に係る移動通信端末は、所望基地局から直交周波数分割多元アクセスで下りリンクの信号を受信する移動通信端末であって、電波を受信する複数の受信アンテナと、前記所望基地局から送信される参照信号のベクトルである参照信号ベクトルを測定する参照信号ベクトル測定部と、前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、前記干渉抑圧合成受信ウェイト行列と、前記参照信号ベクトル測定部で測定された前記参照信号ベクトルから、干渉抑圧合成が実施される場合に想定される、全受信電力を推定する全受信電力推定部と、前記複数の受信アンテナで受信される電波に由来する信号から、チャネルインパルス行列を推定するチャネルインパルス行列推定部と、前記干渉抑圧合成受信ウェイト行列の一部である干渉抑圧合成受信ウェイトベクトルと、前記チャネルインパルス行列と、前記参照信号または他の参照信号の系列である参照信号系列から、前記干渉抑圧合成が実施される場合に想定される、所望参照信号電力を推定する所望参照信号電力推定部と、前記全受信電力から前記所望参照信号電力を減算することにより、前記干渉抑圧合成が実施される場合に想定される、干渉雑音電力を推定する干渉雑音電力推定部と、前記チャネルインパルス行列から前記所望基地局でのプリコーディングに使用されるべき送信ウェイトベクトルを推定する送信ウェイトベクトル推定部と、前記干渉抑圧合成受信ウェイトベクトルと、前記チャネルインパルス行列と、前記送信ウェイトベクトルから、前記干渉抑圧合成が実施される場合に想定される、所望データ信号電力を推定する所望データ信号電力推定部と、前記所望データ信号電力と前記干渉雑音電力から、前記干渉抑圧合成が実施される場合に想定される、信号対雑音干渉比を計算する信号対雑音干渉比計算部とを備える。【００２３】
本発明の第２の態様に係る移動通信端末は、所望基地局から直交周波数分割多元アクセスで下りリンクの信号を受信する移動通信端末であって、電波を受信する複数の受信アンテナと、前記所望基地局から送信される参照信号のベクトルである参照信号ベクトルを測定する参照信号ベクトル測定部と、前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、前記干渉抑圧合成受信ウェイト行列と、前記参照信号ベクトル測定部で測定された前記参照信号ベクトルから、干渉抑圧合成が実施される場合に想定される、全受信信号成分を推定する全受信信号成分推定部と、前記複数の受信アンテナで受信される電波に由来する信号から、チャネルインパルス行列を推定するチャネルインパルス行列推定部と、前記干渉抑圧合成受信ウェイト行列の一部である干渉抑圧合成受信ウェイトベクトルと、前記チャネルインパルス行列と、前記参照信号または他の参照信号の系列である参照信号系列から、前記干渉抑圧合成が実施される場合に想定される、所望参照信号成分を推定する所望参照信号成分推定部と、前記全受信信号成分から前記所望参照信号成分を減算して、減算結果を二乗することにより、前記干渉抑圧合成が実施される場合に想定される、干渉雑音電力を推定する干渉雑音電力推定部と、前記チャネルインパルス行列から前記所望基地局でのプリコーディングに使用されるべき送信ウェイトベクトルを推定する送信ウェイトベクトル推定部と、前記干渉抑圧合成受信ウェイトベクトルと、前記チャネルインパルス行列と、前記送信ウェイトベクトルから、前記干渉抑圧合成が実施される場合に想定される、所望データ信号電力を推定する所望データ信号電力推定部と、前記所望データ信号電力と前記干渉雑音電力から、前記干渉抑圧合成が実施される場合に想定される、信号対雑音干渉比を計算する信号対雑音干渉比計算部とを備える。【００２４】
本発明の第３の態様に係る移動通信端末は、所望基地局から直交周波数分割多元アクセスで下りリンクの信号を受信する移動通信端末であって、電波を受信する複数の受信アンテナと、前記所望基地局から送信される参照信号のベクトルである参照信号ベクトルを測定する参照信号ベクトル測定部と、前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、前記複数の受信アンテナで受信される電波に由来する信号から、前記参照信号の異なるリソースエレメントに対応する複数のチャネルインパルス行列を推定するチャネルインパルス行列推定部と、前記干渉抑圧合成受信ウェイト行列と、前記複数のチャネルインパルス行列のそれぞれの一部である複数のチャネルインパルスベクトルから、干渉抑圧合成が実施される場合に想定される、干渉雑音電力を推定する干渉雑音電力推定部と、前記所望基地局でのプリコーディングに使用されるべき送信ウェイト行列の候補を供給する送信ウェイト行列供給部と、前記干渉抑圧合成受信ウェイト行列の一部である干渉抑圧合成受信ウェイトベクトルと、前記チャネルインパルス行列推定部で推定された１つのチャネルインパルス行列または他のチャネルインパルス行列と、前記送信ウェイト行列の候補から、前記干渉抑圧合成が実施される場合に想定される、前記所望基地局から送信される送信ストリーム間干渉電力を推定する送信ストリーム間干渉電力推定部と、前記干渉抑圧合成受信ウェイトベクトルと、前記チャネルインパルス行列推定部で推定された１つのチャネルインパルス行列または他のチャネルインパルス行列と、前記送信ウェイト行列の候補から、前記干渉抑圧合成が実施される場合に想定される、所望データ信号電力を推定する所望データ信号電力推定部と、前記所望データ信号電力と前記干渉雑音電力と前記送信ストリーム間干渉電力から、前記干渉抑圧合成が実施される場合に想定される、信号対雑音干渉比を計算する信号対雑音干渉比計算部とを備える。【００２５】
本発明の第４の態様に係る移動通信端末は、所望基地局から直交周波数分割多元アクセスで下りリンクの信号を受信する移動通信端末であって、電波を受信する複数の受信アンテナと、前記所望基地局から送信される復調用参照信号のベクトルである復調用参照信号ベクトルを測定する参照信号ベクトル測定部と、前記参照信号ベクトル測定部で測定された前記復調用参照信号ベクトルに基づいて、前記所望基地局から送信された電波の所望ビームに対する他のビームの影響を抑圧するように干渉抑圧合成受信ウェイト行列を計算する干渉抑圧合成処理部と、前記干渉抑圧合成受信ウェイト行列と、前記参照信号ベクトル測定部で測定された前記復調用参照信号ベクトルから、干渉抑圧合成が実施される場合に想定される、全受信電力を推定する全受信電力推定部と、前記参照信号ベクトル測定部で測定された前記復調用参照信号ベクトルに基づいてチャネルインパルス行列を推定するチャネルインパルス行列推定部と、前記干渉抑圧合成受信ウェイト行列の一部である干渉抑圧合成受信ウェイトベクトルと、前記チャネルインパルス行列と、前記復調用参照信号の系列から、前記干渉抑圧合成が実施される場合に想定される、所望参照信号電力を推定する所望参照信号電力推定部と、前記全受信電力から前記所望参照信号電力を減算することにより、前記干渉抑圧合成が実施される場合に想定される、干渉雑音電力を推定する干渉雑音電力推定部と、前記所望参照信号電力と前記干渉雑音電力から、前記干渉抑圧合成が実施される場合に想定される、信号対雑音干渉比を計算する信号対雑音干渉比計算部とを備える。【００２６】
本発明の第５の態様に係る移動通信端末は、所望基地局から直交周波数分割多元アクセスで下りリンクの信号を受信する移動通信端末であって、電波を受信する複数の受信アンテナと、前記所望基地局から送信される復調用参照信号のベクトルである復調用参照信号ベクトルを測定する参照信号ベクトル測定部と、前記参照信号ベクトル測定部で測定された前記復調用参照信号ベクトルに基づいて、前記所望基地局から送信された電波の所望ビームに対する他のビームの影響を抑圧するように干渉抑圧合成受信ウェイト行列を計算する干渉抑圧合成処理部と、前記複数の受信アンテナで受信される電波に由来する信号から、前記復調用参照信号の異なるリソースエレメントに対応する複数のチャネルインパルス行列を推定するチャネルインパルス行列推定部と、前記干渉抑圧合成受信ウェイト行列と、前記複数のチャネルインパルス行列のそれぞれの一部である複数のチャネルインパルスベクトルから、干渉抑圧合成が実施される場合に想定される、干渉雑音電力を推定する干渉雑音電力推定部と、前記干渉抑圧合成受信ウェイト行列の一部である干渉抑圧合成受信ウェイトベクトルと、前記チャネルインパルス行列推定部で推定された１つのチャネルインパルス行列から、前記干渉抑圧合成が実施される場合に想定される、前記所望基地局から送信される送信ストリーム間干渉電力を推定する送信ストリーム間干渉電力推定部と、前記干渉抑圧合成受信ウェイトベクトルと、前記チャネルインパルス行列推定部で推定された１つのチャネルインパルス行列と、前記復調用参照信号の系列から、前記干渉抑圧合成が実施される場合に想定される、所望データ信号電力を推定する所望データ信号電力推定部と、前記所望データ信号電力と前記干渉雑音電力と前記送信ストリーム間干渉電力から、前記干渉抑圧合成が実施される場合に想定される、信号対雑音干渉比を計算する信号対雑音干渉比計算部とを備える。
【発明の効果】
【００２７】
本発明においては、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比を高い精度で計算することができる。
【図面の簡単な説明】
【００２８】
【図１】干渉基地局から干渉ビームを受信する移動通信端末を示す図である。
【図２】下りリンク送信の１つのリソースブロックにおける各種信号のマッピングの例を示す図である。
【図３】本発明の実施の形態に係る無線通信システムを示す図である。
【図４】本発明の第１の実施の形態に係る移動通信端末の構成を示すブロック図である。
【図５】本発明の第２の実施の形態に係る移動通信端末の構成を示すブロック図である。
【図６】本発明の第３の実施の形態に係る移動通信端末の構成を示すブロック図である。
【図７】本発明の第４の実施の形態に係る移動通信端末の構成を示すブロック図である。
【図８】本発明の第５の実施の形態に係る移動通信端末の構成を示すブロック図である。
【図９】本発明の第６の実施の形態に係る移動通信端末の構成を示すブロック図である。
【図１０】本発明の第７の実施の形態および第８の実施の形態に係る移動通信端末の構成の一部を示すブロック図である。
【図１１】第７の実施の形態で使用される関数ｆ１の例を示すグラフである。
【図１２】第７の実施の形態で使用されるテーブルの例を示すグラフである。
【図１３】第８の実施の形態で使用される関数ｆ２の例を示すグラフである。
【図１４】第８の実施の形態で使用されるテーブルの例を示すグラフである。
【図１５】本発明の第９の実施の形態に係る移動通信端末の構成の一部を示すブロック図である。
【図１６】第９の実施の形態で使用される関数ｆＡ、ｆＢ、ｆＣの例を示すグラフである。
【図１７】第９の実施の形態で使用される複数のテーブルの例を示すグラフである。
【図１８】本発明の第１０の実施の形態および第１１の実施の形態に係る移動通信端末の構成を示すブロック図である。
【図１９】下りリンク送信の１つのリソースブロックにおける各種信号のマッピングの例を示す図である。
【図２０】本発明の第１２の実施の形態および第１３の実施の形態に係る移動通信端末の構成を示すブロック図である。
【図２１】本発明の第１４の実施の形態に係る移動通信端末の構成を示すブロック図である。
【図２２】本発明の第１５の実施の形態および第１６の実施の形態に係る移動通信端末の構成を示すブロック図である。
【図２３】下りリンク送信の１つのリソースブロックにおける各種信号のマッピングの例を示す図である。
【図２４】本発明の第１７の実施の形態に係る移動通信端末の構成の一部を示すブロック図である。
【図２５】本発明の第１８の実施の形態に係る移動通信端末の構成の一部を示すブロック図である。
【発明を実施するための形態】
【００２９】
以下、添付の図面を参照しながら本発明に係る様々な実施の形態を説明する。
本発明に係る移動通信端末は、図３に示された無線通信システムで利用される。無線通信システムは、複数の基地局１，２，３，４を備える。基地局１，２，３，４は、LTEでのeNB（evolved Node B）である。基地局１，２，３，４の各々は、多数の移動通信端末１０と通信可能である。基地局（セル）１，２，３，４はそれぞれセルエリア１ａ，２ａ，３ａ，４ａを有する。下りリンクの通信には、ＯＦＤＭＡ（直交周波数分割多元アクセス）が使用される。移動通信端末１０の各々は、LTEでのUE（user equipment）である。
【００３０】
本発明の実施の形態に係る移動通信端末１０は、MIMOに適合されているとともに、干渉抑圧合成（ＩＲＣ）を実行可能である。
【００３１】
第１の実施の形態
図４は本発明の第１の実施の形態に係る移動通信端末の構成を示すブロック図である。図４は、信号の受信に係る部分と信号の送信に係る部分のみを示し、他の部分の図示は省略する。
【００３２】
図４に示すように、各移動通信端末は、電波を受信する複数の受信アンテナ２０と、受信アンテナ２０から受信した電波を電気信号に変換するためのＯＦＤＭＡに適用される受信回路である無線受信部２２を備える。
【００３３】
さらに、移動通信端末は、制御信号認識部２４、セル固有参照信号（ＣＲＳ）系列認識部２５、セル固有参照信号（ＣＲＳ）ベクトル測定部２６、干渉抑圧合成処理部３２、データ信号分離部３４、データ信号復調部３６、全受信電力推定部３８、チャネルインパルス行列推定部４０、所望参照信号電力推定部４２、干渉雑音電力推定部４６、送信ウェイトベクトル推定部４８、所望データ信号電力推定部５０、信号対雑音干渉比（ＳＩＮＲ）計算部５２、チャネル状態情報判定部５４および送信信号生成部５６を備える。これらの構成要素は、移動通信端末の図示しないＣＰＵ（中央演算処理装置）がコンピュータプログラムを実行し、そのコンピュータプログラムに従って機能することによって実現される機能ブロックである。
【００３４】
さらに、移動通信端末は、無線送信部５８および少なくとも１つの送信アンテナ６０を備える。無線送信部５８は、送信信号生成部５６で生成された送信信号である電気信号を電波に変換するためのＳＣ−ＦＤＭＡ（Single-Carrier Frequency-Division Multiple Access）に適用される送信回路であり、送信アンテナ６０は電波を送信する。
【００３５】
制御信号認識部２４は、無線受信部２２から出力される信号のうち、所望基地局から受信された制御信号を認識する。制御信号は、例えば、所望基地局のセルＩＤ、所望基地局の送信アンテナ数、所望基地局から当該移動通信端末に送信される送信レイヤ数（すなわち送信ストリーム数）などを示す。
【００３６】
ＣＲＳ系列認識部２５（参照信号系列認識部）は、制御信号認識部２４で認識された制御信号に示されたセルＩＤに基づいて、所望基地局から送信されるセル固有参照信号（ＣＲＳ）の系列であるセル固有参照信号系列（ＣＲＳ系列）
【数５】
2014115373.tif 000007
を認識する。具体的には、移動通信端末にとって既知のＣＲＳ系列の群から、セルＩＤに対応するＣＲＳ系列をＣＲＳ系列認識部２５は選択する。
【００３７】
ＣＲＳベクトル測定部２６（参照信号ベクトル測定部）は、所望基地局から送信されるＣＲＳのベクトルであるセル固有参照信号ベクトル（ＣＲＳベクトル）
【数６】
2014115373.tif 000008
を測定する。ＣＲＳベクトルは、ＮＲＸ次元のベクトルであり、ＮＲＸは移動通信端末の受信アンテナ２０の数である。
【００３８】
干渉抑圧合成処理部３２は、ＣＲＳベクトル測定部２６で測定された参照信号ベクトル（ＣＲＳベクトル）に基づいて、所望基地局から送信された電波の所望ビームに対する他のビームの影響を抑圧するように干渉抑圧合成受信ウェイト行列
【数７】
2014115373.tif 000009
を公知の手法で計算する。干渉抑圧合成受信ウェイト行列は、Ｎstream×ＮＲＸ次元の行列である。Ｎstreamは、所望基地局から当該移動通信端末に送信される送信レイヤ数である。
【００３９】
データ信号分離部３４は、干渉抑圧合成処理部３２で計算された干渉抑圧合成受信ウェイト行列を用いて、無線受信部２２から出力される信号のうち、当該移動通信端末宛てのデータ信号を他の移動通信端末宛てのデータ信号から分離する。データ信号復調部３６は、データ信号分離部３４で分離された当該移動通信端末宛てのデータ信号の復調および復号を行い、データ信号を得る。
【００４０】
全受信電力推定部３８は、干渉抑圧合成処理部３２で計算された干渉抑圧合成受信ウェイト行列と、ＣＲＳベクトル測定部２６で測定されたＣＲＳベクトルから、干渉抑圧合成が実施される場合に想定される、全受信電力
【数８】
2014115373.tif 000010
を推定する。ここで全受信電力とは、ＣＲＳベクトルから想定される所望信号電力と干渉電力と雑音電力の合計であり、送信ストリーム毎に推定される。添字のｎは送信ストリームの番号を示す。
【００４１】
具体的には、全受信電力推定部３８は、下記の式（２）に従って、Ｎstream次元の推定信号ベクトル
【数９】
2014115373.tif 000011
を計算する。
【数１０】
2014115373.tif 000012
【００４２】
次に、全受信電力推定部３８は、その推定信号ベクトルから各送信ストリームについて推定信号ｓnを抽出する。添字のｎは送信ストリームの番号を示す。そして、全受信電力推定部３８は、下記の式（３）に従って、干渉抑圧合成が実施される場合に想定される、各送信ストリームごとの全受信電力
【数１１】
2014115373.tif 000013
を計算する。
【数１２】
2014115373.tif 000014
【００４３】
チャネルインパルス行列推定部４０は、複数の受信アンテナ２０で受信される電波に由来する信号から、所望基地局から受信されるＣＲＳのＮＲＸ×ＮＴＸ次元のチャネルインパルス行列
【数１３】
2014115373.tif 000015
を推定する。ＮＴＸは所望基地局の送信アンテナの数である。具体的には、チャネルインパルス行列推定部４０は、ＣＲＳベクトル測定部２６で測定されたＣＲＳベクトル
【数１４】
2014115373.tif 000016
からそのチャネルインパルス行列を公知の手法で計算する。
【００４４】
所望参照信号電力推定部４２は、下記の式（４）に従って、干渉抑圧合成が実施される場合に想定される、各送信ストリームごとの所望参照信号電力
【数１５】
2014115373.tif 000017
を計算すなわち推定する。
【数１６】
2014115373.tif 000018
添字のｎは送信ストリームの番号を示す。
【００４５】
式（４）において、
【数１７】
2014115373.tif 000019
は、干渉抑圧合成処理部３２で計算された干渉抑圧合成受信ウェイト行列
【数１８】
2014115373.tif 000020
（Ｎstream×ＮＲＸ次元の行列）から各送信ストリームについて抽出される横ベクトルである。つまり、この横ベクトルは、干渉抑圧合成受信ウェイト行列の一部である干渉抑圧合成受信ウェイトベクトルである。添字のｎは送信ストリームの番号を示す。
【００４６】
このように、所望参照信号電力推定部４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＣＲＳ系列認識部２５で認識されたＣＲＳ系列から、干渉抑圧合成が実施される場合に想定される、所望参照信号電力を推定する。
【００４７】
干渉雑音電力推定部４６は、全受信電力から所望参照信号電力を減算することにより、干渉抑圧合成が実施される場合に想定される、ＣＲＳに関する干渉雑音電力を推定する。すなわち、干渉雑音電力推定部４６は、下記の式（５）に従って、各送信ストリームごとの干渉雑音電力
【数１９】
2014115373.tif 000021
を計算する。
【数２０】
2014115373.tif 000022
添字のｎは送信ストリームの番号を示す。
【００４８】
送信ウェイトベクトル推定部４８は、チャネルインパルス行列推定部４０で推定されたチャネルインパルス行列から所望基地局でのプリコーディングに使用されるべき送信ウェイトベクトル
【数２１】
2014115373.tif 000023
を推定する。より具体的には、送信ウェイトベクトル推定部４８は、チャネルインパルス行列推定部４０で推定されたチャネルインパルス行列
【数２２】
2014115373.tif 000024
に基づいて、所望基地局でのプリコーディングに使用されるべき送信ウェイト行列
【数２３】
2014115373.tif 000025
を推定する。送信ウェイト行列は、ＮＴＸ×Ｎstream次元の行列である。送信ウェイト行列の推定においては、送信ウェイトベクトル推定部４８は、移動通信端末および基地局にて共通に所持するコードブック（送信ウェイト行列の群を表す）から、チャネルインパルス行列推定部４０で推定されたチャネルインパルス行列にマッチする送信ウェイト行列を選択してもよい。あるいは、送信ウェイトベクトル推定部４８は、チャネルインパルス行列推定部４０で推定されたチャネルインパルス行列に基づいて、公知の手法で送信ウェイト行列を計算してもよい。
【００４９】
送信ウェイトベクトル
【数２４】
2014115373.tif 000026
は、送信ウェイト行列
【数２５】
2014115373.tif 000027
（ＮＴＸ×Ｎstream次元の行列）から各送信ストリームについて抽出される縦ベクトルである。つまり、この縦ベクトルは、送信ウェイト行列の一部である送信ウェイトベクトルである。添字のｎは送信ストリームの番号を示す。送信ウェイトベクトル推定部４８は、送信ウェイト行列から各送信ストリームごとに送信ウェイト行列を抽出する。
【００５０】
所望データ信号電力推定部５０は、干渉抑圧合成受信ウェイトベクトルと、チャネルインパルス行列と、送信ウェイトベクトルから、下記の式（６）に従って、干渉抑圧合成が実施される場合に想定される、各送信ストリームごとの所望データ信号電力
【数２６】
2014115373.tif 000028
を計算すなわち推定する。
【数２７】
2014115373.tif 000029
添字のｎは送信ストリームの番号を示す。
【００５１】
ＳＩＮＲ計算部５２は、所望データ信号電力推定部５０で推定された所望データ信号電力と干渉雑音電力推定部４６で推定された干渉雑音電力から、干渉抑圧合成が実施される場合に想定される、信号対雑音干渉比を計算する。すなわち、ＳＩＮＲ計算部５２は、下記の式（７）に従って、干渉抑圧合成が実施される場合に想定される、各送信ストリームごとの信号対雑音干渉比SINRnを計算すなわち推定する。
【数２８】
2014115373.tif 000030
添字のｎは送信ストリームの番号を示す。
【００５２】
チャネル状態情報判定部５４は、ＳＩＮＲ計算部５２で計算された信号対雑音干渉比SINRnから、チャネル状態情報（ＣＳＩ）を判定する。チャネル状態情報としては、上述したように、チャネル品質インジケータ（CQI）、プリコーディング行列インジケータ（PMI）、ランクインジケータ（RI）のセットが知られている。チャネル状態情報判定部５４は、公知の手法で、ＣＱＩ、ＰＭＩ、ＲＩを判定し、ＣＱＩ、ＰＭＩ、ＲＩを含むＣＳＩを示す信号を送信信号生成部５６に渡す。
【００５３】
送信信号生成部５６は、無線送信部５８および送信アンテナ６０によって、ＣＳＩを示す信号を所望基地局に送信すなわちフィードバックする。つまり、送信信号生成部５６は、チャネル状態情報送信部として機能する。
【００５４】
この実施の形態においては、干渉抑圧合成受信ウェイト行列とＣＲＳベクトルから、干渉抑圧合成が実施される場合に想定される全受信電力が推定され、干渉抑圧合成受信ウェイトベクトルとチャネルインパルス行列とＣＲＳ系列から、干渉抑圧合成が実施される場合に想定される所望参照信号電力が推定される。干渉抑圧合成が実施される場合に想定される干渉雑音電力は、この全受信電力とこの所望参照信号電力の差分である。干渉抑圧合成受信ウェイト行列とチャネルインパルス行列は推定されて得られるため誤差を含みうるが、ＣＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。
【００５５】
計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【００５６】
この実施の形態では、ＣＲＳベクトル測定部２６が、参照信号ベクトルとして、セル固有参照信号のベクトルであるセル固有参照信号ベクトル（ＣＲＳベクトル）を測定し、全受信電力推定部３８は、ＣＲＳベクトル測定部２６で測定されたＣＲＳベクトルに基づいて全受信電力を推定する。また、チャネルインパルス行列推定部４０は、ＣＲＳベクトル測定部２６で測定されたＣＲＳベクトルに基づいてチャネルインパルス行列を推定し、所望参照信号電力推定部４２は、干渉抑圧合成受信ウェイトベクトルと、チャネルインパルス行列と、ＣＲＳ系列認識部２５で認識されたＣＲＳ系列から、所望参照信号電力を推定する。干渉雑音電力は、この全受信電力とこの所望参照信号電力の差分である。
【００５７】
図２のマッピングの例で示されるように、ＣＲＳはＣＳＩ−ＲＳよりも高密度（短間隔）で送信されるので、干渉電力を含む全受信電力と所望参照信号電力の推定のために、ＣＲＳベクトルおよびＣＲＳ系列を使用することにより、正確な適時の干渉雑音電力の推定が可能である。
【００５８】
第２の実施の形態
図５は本発明の第２の実施の形態に係る移動通信端末の構成を示すブロック図である。図５は、信号の受信に係る部分と信号の送信に係る部分のみを示し、他の部分の図示は省略する。図５において、図４と共通する構成要素を示すために同一の参照符号が使用され、これらの構成要素は詳しく説明しないことがある。
【００５９】
図５に示すように、各移動通信端末は、ＣＳＩ−ＲＳ（チャネル状態情報参照信号）系列認識部１２５と、ＣＳＩ−ＲＳ（チャネル状態情報参照信号）ベクトル測定部１２６とを備える。ＣＳＩ−ＲＳ系列認識部１２５およびＣＳＩ−ＲＳベクトル測定部１２６は、移動通信端末の図示しないＣＰＵがコンピュータプログラムを実行し、そのコンピュータプログラムに従って機能することによって実現される機能ブロックである。
【００６０】
ＣＳＩ−ＲＳ系列認識部１２５（参照信号系列認識部）は、制御信号認識部２４で認識された制御信号に示されたセルＩＤに基づいて、所望基地局から送信されるチャネル状態情報参照信号（ＣＳＩ−ＲＳ）の系列であるチャネル状態情報参照信号系列（ＣＳＩ−ＲＳ系列）
【数２９】
2014115373.tif 000031
を認識する。具体的には、移動通信端末にとって既知のＣＳＩ−ＲＳ系列の群から、セルＩＤに対応するＣＳＩ−ＲＳ系列をＣＳＩ−ＲＳ系列認識部１２５は選択する。
【００６１】
ＣＳＩ−ＲＳベクトル測定部１２６（参照信号ベクトル測定部）は、所望基地局から送信されるＣＳＩ−ＲＳのベクトルであるチャネル状態情報参照信号ベクトル（ＣＳＩ−ＲＳベクトル）
【数３０】
2014115373.tif 000032
を測定する。ＣＳＩ−ＲＳベクトルは、ＮＲＸ次元のベクトルであり、ＮＲＸは移動通信端末の受信アンテナ２０の数である。
【００６２】
干渉抑圧合成処理部３２、データ信号分離部３４、データ信号復調部３６および全受信電力推定部３８の機能は、第１の実施の形態での機能と同じである。干渉抑圧合成処理部３２は、ＣＲＳベクトル測定部２６で測定された参照信号ベクトル（ＣＲＳベクトル）
【数３１】
2014115373.tif 000033
に基づいて、所望基地局から送信された電波の所望ビームに対する他のビームの影響を抑圧するように干渉抑圧合成受信ウェイト行列
【数３２】
2014115373.tif 000034
（Ｎstream×ＮＲＸ次元の行列）を公知の手法で計算する。
【００６３】
全受信電力推定部３８は、干渉抑圧合成処理部３２で計算された干渉抑圧合成受信ウェイト行列と、ＣＲＳベクトル測定部２６で測定されたＣＲＳベクトルから、干渉抑圧合成が実施される場合に想定される、各送信ストリームごとの全受信電力
【数３３】
2014115373.tif 000035
を推定する。この推定の手法は第１の実施の形態と同様に、式（２）および式（３）に従う。
【００６４】
チャネルインパルス行列推定部４０は、複数の受信アンテナ２０で受信される電波に由来する信号から、所望基地局から受信されるＣＳＩ−ＲＳのＮＲＸ×ＮＴＸ次元のチャネルインパルス行列
【数３４】
2014115373.tif 000036
を推定する。具体的には、チャネルインパルス行列推定部４０は、ＣＳＩ−ＲＳベクトル測定部１２６で測定されたＣＳＩ−ＲＳベクトル
【数３５】
2014115373.tif 000037
からそのチャネルインパルス行列を公知の手法で計算する。
【００６５】
所望参照信号電力推定部４２は、下記の式（８）に従って、干渉抑圧合成が実施される場合に想定される、各送信ストリームごとの所望参照信号電力
【数３６】
2014115373.tif 000038
を計算すなわち推定する。
【数３７】
2014115373.tif 000039
添字のｎは送信ストリームの番号を示す。
【００６６】
式（８）において、
【数３８】
2014115373.tif 000040
は、干渉抑圧合成処理部３２で計算された干渉抑圧合成受信ウェイト行列
【数３９】
2014115373.tif 000041
（Ｎstream×ＮＲＸ次元の行列）から各送信ストリームについて抽出される横ベクトルである。つまり、この横ベクトルは、干渉抑圧合成受信ウェイト行列の一部である干渉抑圧合成受信ウェイトベクトルである。添字のｎは送信ストリームの番号を示す。
【００６７】
このように、所望参照信号電力推定部４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＣＳＩ−ＲＳ系列認識部１２５で認識されたＣＳＩ−ＲＳ系列から、干渉抑圧合成が実施される場合に想定される、所望参照信号電力を推定する。
【００６８】
干渉雑音電力推定部４６は、全受信電力から所望参照信号電力を減算することにより、干渉抑圧合成が実施される場合に想定される、参照信号に関する干渉雑音電力を推定する。すなわち、干渉雑音電力推定部４６は、下記の式（９）に従って、各送信ストリームごとの干渉雑音電力
【数４０】
2014115373.tif 000042
を計算する。
【数４１】
2014115373.tif 000043
添字のｎは送信ストリームの番号を示す。
【００６９】
送信ウェイトベクトル推定部４８は、チャネルインパルス行列推定部４０で推定されたチャネルインパルス行列から所望基地局でのプリコーディングに使用されるべき送信ウェイトベクトル
【数４２】
2014115373.tif 000044
を推定する。より具体的には、送信ウェイトベクトル推定部４８は、チャネルインパルス行列推定部４０で推定されたチャネルインパルス行列
【数４３】
2014115373.tif 000045
に基づいて、所望基地局でのプリコーディングに使用されるべき送信ウェイト行列
【数４４】
2014115373.tif 000046
（ＮＴＸ×Ｎstream次元の行列）を推定する。送信ウェイト行列の推定の手法は、第１の実施の形態と同じでよい。
【００７０】
送信ウェイトベクトル
【数４５】
2014115373.tif 000047
は、送信ウェイト行列
【数４６】
2014115373.tif 000048
（ＮＴＸ×Ｎstream次元の行列）から各送信ストリームについて抽出される縦ベクトルである。つまり、この縦ベクトルは、送信ウェイト行列の一部である送信ウェイトベクトルである。添字のｎは送信ストリームの番号を示す。送信ウェイトベクトル推定部４８は、送信ウェイト行列から各送信ストリームごとに送信ウェイト行列を抽出する。
【００７１】
所望データ信号電力推定部５０は、干渉抑圧合成受信ウェイトベクトルと、チャネルインパルス行列と、送信ウェイトベクトルから、下記の式（１０）に従って、干渉抑圧合成が実施される場合に想定される、各送信ストリームごとの所望データ信号電力
【数４７】
2014115373.tif 000049
を計算すなわち推定する。
【数４８】
2014115373.tif 000050
添字のｎは送信ストリームの番号を示す。
【００７２】
ＳＩＮＲ計算部５２は、所望データ信号電力推定部５０で推定された所望データ信号電力と干渉雑音電力推定部４６で推定された干渉雑音電力から、干渉抑圧合成が実施される場合に想定される、信号対雑音干渉比を計算する。すなわち、ＳＩＮＲ計算部５２は、下記の式（１１）に従って、干渉抑圧合成が実施される場合に想定される、各送信ストリームごとの信号対雑音干渉比SINRnを計算すなわち推定する。
【数４９】
2014115373.tif 000051
添字のｎは送信ストリームの番号を示す。
【００７３】
チャネル状態情報判定部５４は、ＳＩＮＲ計算部５２で計算された信号対雑音干渉比SINRnから、公知の手法で、チャネル状態情報（ＣＳＩ）、すなわちＣＱＩ、ＰＭＩ、ＲＩを判定し、ＣＱＩ、ＰＭＩ、ＲＩを含むＣＳＩを示す信号を送信信号生成部５６に渡す。送信信号生成部５６は、無線送信部５８および送信アンテナ６０によって、ＣＳＩを示す信号を所望基地局に送信すなわちフィードバックする。つまり、送信信号生成部５６は、チャネル状態情報送信部として機能する。
【００７４】
この実施の形態においては、干渉抑圧合成受信ウェイト行列とＣＲＳベクトルから、干渉抑圧合成が実施される場合に想定される全受信電力が推定され、干渉抑圧合成受信ウェイトベクトルとチャネルインパルス行列とＣＳＩ−ＲＳ系列から、干渉抑圧合成が実施される場合に想定される所望参照信号電力が推定される。干渉抑圧合成が実施される場合に想定される干渉雑音電力は、この全受信電力とこの所望参照信号電力の差分である。干渉抑圧合成受信ウェイト行列とチャネルインパルス行列は推定されて得られるため誤差を含みうるが、ＣＳＩ−ＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。
【００７５】
計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【００７６】
この実施の形態では、ＣＲＳベクトル測定部２６が、参照信号ベクトルとして、セル固有参照信号のベクトルであるセル固有参照信号ベクトル（ＣＲＳベクトル）を測定し、全受信電力推定部３８は、ＣＲＳベクトル測定部２６で測定されたＣＲＳベクトルに基づいて全受信電力を推定する。また、チャネルインパルス行列推定部４０は、ＣＳＩ−ＲＳベクトル測定部１２６で測定されたＣＳＩ−ＲＳベクトルに基づいてチャネルインパルス行列を推定し、所望参照信号電力推定部４２は、干渉抑圧合成受信ウェイトベクトルと、チャネルインパルス行列と、ＣＳＩ−ＲＳ系列認識部１２５で認識されたＣＳＩ−ＲＳ系列から、所望参照信号電力を推定する。干渉雑音電力は、この全受信電力とこの所望参照信号電力の差分である。
【００７７】
図２のマッピングの例で示されるように、ＣＲＳはＣＳＩ−ＲＳよりも高密度（短間隔）で送信されるので、干渉電力を含む全受信電力の推定のために、ＣＲＳベクトルを使用することにより正確な適時の全受信電力の推定が可能である。他方、ＣＳＩ−ＲＳはＣＲＳよりも低密度（長間隔）で送信されるが、所望参照信号電力は、頻繁に大きく変動しないと考えられる。したがって、所望参照信号電力の推定のために、ＣＳＩ−ＲＳベクトルおよびＣＳＩ−ＲＳ系列を使用しても、正確な適時の所望参照信号電力の推定が可能である。正確な適時の全受信電力の推定と、正確な適時の所望参照信号電力の推定の結果、正確な適時の干渉雑音電力の推定が可能である。
【００７８】
第３の実施の形態
図６は本発明の第３の実施の形態に係る移動通信端末の構成を示すブロック図である。図６は、信号の受信に係る部分と信号の送信に係る部分のみを示し、他の部分の図示は省略する。図６において、図４および図５と共通する構成要素を示すために同一の参照符号が使用され、これらの構成要素は詳しく説明しないことがある。
【００７９】
この実施の形態では、全受信電力、所望参照信号電力および所望データ信号電力の推定に、参照信号のうちＣＲＳではなくＣＳＩ−ＲＳのみを使用する。第２の実施の形態と同様に、ＣＳＩ−ＲＳ系列認識部１２５（参照信号系列認識部）は、制御信号認識部２４で認識された制御信号に示されたセルＩＤに基づいて、所望基地局から送信されるチャネル状態情報参照信号（ＣＳＩ−ＲＳ）の系列であるチャネル状態情報参照信号系列（ＣＳＩ−ＲＳ系列）
【数５０】
2014115373.tif 000052
を認識する。
【００８０】
第２の実施の形態と同様に、ＣＳＩ−ＲＳベクトル測定部１２６（参照信号ベクトル測定部）は、所望基地局から送信されるＣＳＩ−ＲＳのベクトルであるチャネル状態情報参照信号ベクトル（ＣＳＩ−ＲＳベクトル）
【数５１】
2014115373.tif 000053
を測定する。
【００８１】
干渉抑圧合成処理部３２は、ＣＳＩ−ＲＳベクトル測定部１２６で測定された参照信号ベクトル（ＣＳＩ−ＲＳベクトル）
【数５２】
2014115373.tif 000054
に基づいて、所望基地局から送信された電波の所望ビームに対する他のビームの影響を抑圧するように干渉抑圧合成受信ウェイト行列
【数５３】
2014115373.tif 000055
（Ｎstream×ＮＲＸ次元の行列）を公知の手法で計算する。
【００８２】
データ信号分離部３４、データ信号復調部３６および全受信電力推定部３８の機能は、第１の実施の形態および第２の実施の形態での機能と同じである。
【００８３】
全受信電力推定部３８は、干渉抑圧合成処理部３２で計算された干渉抑圧合成受信ウェイト行列と、ＣＳＩ−ＲＳベクトル測定部１２６で測定されたＣＳＩ−ＲＳベクトルから、干渉抑圧合成が実施される場合に想定される、各送信ストリームごとの全受信電力
【数５４】
2014115373.tif 000056
を推定する。
【００８４】
具体的には、全受信電力推定部３８は、下記の式（１２）に従って、Ｎstream次元の推定信号ベクトル
【数５５】
2014115373.tif 000057
を計算する。
【数５６】
2014115373.tif 000058
【００８５】
次に、全受信電力推定部３８は、その推定信号ベクトルから各送信ストリームについて推定信号ｓnを抽出する。添字のｎは送信ストリームの番号を示す。そして、全受信電力推定部３８は、下記の式（１３）に従って、干渉抑圧合成が実施される場合に想定される、各送信ストリームごとの全受信電力
【数５７】
2014115373.tif 000059
を計算する。
【数５８】
2014115373.tif 000060
【００８６】
チャネルインパルス行列推定部４０は、複数の受信アンテナ２０で受信される電波に由来する信号から、所望基地局から受信されるＣＳＩ−ＲＳのＮＲＸ×ＮＴＸ次元のチャネルインパルス行列
【数５９】
2014115373.tif 000061
を推定する。具体的には、チャネルインパルス行列推定部４０は、ＣＳＩ−ＲＳベクトル測定部１２６で測定されたＣＳＩ−ＲＳベクトル
【数６０】
2014115373.tif 000062
からそのチャネルインパルス行列を公知の手法で計算する。
【００８７】
所望参照信号電力推定部４２は、下記の式（１４）に従って、干渉抑圧合成が実施される場合に想定される、各送信ストリームごとの所望参照信号電力
【数６１】
2014115373.tif 000063
を計算すなわち推定する。
【数６２】
2014115373.tif 000064
添字のｎは送信ストリームの番号を示す。
【００８８】
式（１４）において、
【数６３】
2014115373.tif 000065
は、干渉抑圧合成処理部３２で計算された干渉抑圧合成受信ウェイト行列
【数６４】
2014115373.tif 000066
（Ｎstream×ＮＲＸ次元の行列）から各送信ストリームについて抽出される横ベクトルである。つまり、この横ベクトルは、干渉抑圧合成受信ウェイト行列の一部である干渉抑圧合成受信ウェイトベクトルである。添字のｎは送信ストリームの番号を示す。
【００８９】
このように、所望参照信号電力推定部４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＣＳＩ−ＲＳ系列認識部１２５で認識されたＣＳＩ−ＲＳ系列から、干渉抑圧合成が実施される場合に想定される、所望参照信号電力を推定する。
【００９０】
干渉雑音電力推定部４６は、全受信電力から所望参照信号電力を減算することにより、干渉抑圧合成が実施される場合に想定される、参照信号に関する干渉雑音電力を推定する。すなわち、干渉雑音電力推定部４６は、下記の式（１５）に従って、各送信ストリームごとの干渉雑音電力
【数６５】
2014115373.tif 000067
を計算する。
【数６６】
2014115373.tif 000068
添字のｎは送信ストリームの番号を示す。
【００９１】
送信ウェイトベクトル推定部４８は、チャネルインパルス行列推定部４０で推定されたチャネルインパルス行列から所望基地局でのプリコーディングに使用されるべき送信ウェイトベクトル
【数６７】
2014115373.tif 000069
を推定する。より具体的には、送信ウェイトベクトル推定部４８は、チャネルインパルス行列推定部４０で推定されたチャネルインパルス行列
【数６８】
2014115373.tif 000070
に基づいて、所望基地局でのプリコーディングに使用されるべき送信ウェイト行列
【数６９】
2014115373.tif 000071
（ＮＴＸ×Ｎstream次元の行列）を推定する。送信ウェイト行列の推定の手法は、第１の実施の形態と同じでよい。
【００９２】
送信ウェイトベクトル
【数７０】
2014115373.tif 000072
は、送信ウェイト行列
【数７１】
2014115373.tif 000073
（ＮＴＸ×Ｎstream次元の行列）から各送信ストリームについて抽出される縦ベクトルである。つまり、この縦ベクトルは、送信ウェイト行列の一部である送信ウェイトベクトルである。添字のｎは送信ストリームの番号を示す。送信ウェイトベクトル推定部４８は、送信ウェイト行列から各送信ストリームごとに送信ウェイト行列を抽出する。
【００９３】
所望データ信号電力推定部５０は、干渉抑圧合成受信ウェイトベクトルと、チャネルインパルス行列と、送信ウェイトベクトルから、下記の式（１６）に従って、干渉抑圧合成が実施される場合に想定される、各送信ストリームごとの所望データ信号電力
【数７２】
2014115373.tif 000074
を計算すなわち推定する。
【数７３】
2014115373.tif 000075
添字のｎは送信ストリームの番号を示す。
【００９４】
ＳＩＮＲ計算部５２は、所望データ信号電力推定部５０で推定された所望データ信号電力と干渉雑音電力推定部４６で推定された干渉雑音電力から、干渉抑圧合成が実施される場合に想定される、信号対雑音干渉比を計算する。すなわち、ＳＩＮＲ計算部５２は、下記の式（１７）に従って、干渉抑圧合成が実施される場合に想定される、各送信ストリームごとの信号対雑音干渉比SINRnを計算すなわち推定する。
【数７４】
2014115373.tif 000076
添字のｎは送信ストリームの番号を示す。
【００９５】
チャネル状態情報判定部５４は、ＳＩＮＲ計算部５２で計算された信号対雑音干渉比SINRnから、公知の手法で、チャネル状態情報（ＣＳＩ）、すなわちＣＱＩ、ＰＭＩ、ＲＩを判定し、ＣＱＩ、ＰＭＩ、ＲＩを含むＣＳＩを示す信号を送信信号生成部５６に渡す。送信信号生成部５６は、無線送信部５８および送信アンテナ６０によって、ＣＳＩを示す信号を所望基地局に送信すなわちフィードバックする。つまり、送信信号生成部５６は、チャネル状態情報送信部として機能する。
【００９６】
この実施の形態においては、干渉抑圧合成受信ウェイト行列とＣＳＩ−ＲＳベクトルから、干渉抑圧合成が実施される場合に想定される全受信電力が推定され、干渉抑圧合成受信ウェイトベクトルとチャネルインパルス行列とＣＳＩ−ＲＳ系列から、干渉抑圧合成が実施される場合に想定される所望参照信号電力が推定される。干渉抑圧合成が実施される場合に想定される干渉雑音電力は、この全受信電力とこの所望参照信号電力の差分である。干渉抑圧合成受信ウェイト行列とチャネルインパルス行列は推定されて得られるため誤差を含みうるが、ＣＳＩ−ＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。
【００９７】
計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【００９８】
この実施の形態では、ＣＳＩ−ＲＳベクトル測定部１２６が、参照信号ベクトルとして、チャネル状態情報参照信号のベクトルであるチャネル状態情報参照信号ベクトル（ＣＳＩ−ＲＳベクトル）を測定し、全受信電力推定部３８は、ＣＳＩ−ＲＳベクトル測定部１２６で測定されたＣＳＩ−ＲＳベクトルに基づいて全受信電力を推定する。また、チャネルインパルス行列推定部４０は、ＣＳＩ−ＲＳベクトル測定部１２６で測定されたＣＳＩ−ＲＳベクトルに基づいてチャネルインパルス行列を推定し、所望参照信号電力推定部４２は、干渉抑圧合成受信ウェイトベクトルと、チャネルインパルス行列と、ＣＳＩ−ＲＳ系列認識部１２５で認識されたＣＳＩ−ＲＳ系列から、所望参照信号電力を推定する。干渉雑音電力は、この全受信電力とこの所望参照信号電力の差分である。
【００９９】
図２のマッピングの例で示されるように、ＣＳＩ−ＲＳはＣＲＳよりも低密度（長間隔）で送信される。したがって、干渉電力を含む全受信電力の推定のために、ＣＳＩ−ＲＳを使用するのは、ＣＲＳの使用よりも精度が低いと考えられる。しかしながら、ＣＳＩ−ＲＳは基地局（セル）の最大で８つの送信アンテナをサポートするので、基地局の送信アンテナの数が多い場合には、ＣＲＳを用いた電力の推定よりもＣＳＩ−ＲＳを用いた電力の推定が好ましいことがありうると考えられる。また、今後の3GPPの標準化において、ＣＳＩ−ＲＳの送信間隔およびその他の事項について、変更されることもありえ、その場合には、ＣＳＩ−ＲＳを使用しても、干渉電力を含む全受信電力の推定の精度が改善されることもありうる。
【０１００】
第４の実施の形態
図７は本発明の第４の実施の形態に係る移動通信端末の構成を示すブロック図である。図７は、信号の受信に係る部分と信号の送信に係る部分のみを示し、他の部分の図示は省略する。図７において、図４と共通する構成要素を示すために同一の参照符号が使用され、これらの構成要素は詳しく説明しないことがある。
【０１０１】
この実施の形態は、図４に示す第１の実施の形態の変形であり、移動通信端末は、全受信電力推定部３８および所望参照信号電力推定部４２の代わりに、全受信信号成分推定部１３８および所望参照信号成分推定部１４２を有する。全受信信号成分推定部１３８および所望参照信号成分推定部１４２は、移動通信端末の図示しないＣＰＵがコンピュータプログラムを実行し、そのコンピュータプログラムに従って機能することによって実現される機能ブロックである。以下、第４の実施の形態の第１の実施の形態と異なる特徴を詳しく説明する。
【０１０２】
全受信信号成分推定部１３８は、上記の式（２）に従って、Ｎstream次元の推定信号ベクトル
【数７５】
2014115373.tif 000077
を計算する。
【０１０３】
次に、全受信信号成分推定部１３８は、その推定信号ベクトルから各送信ストリームについて推定信号ｓnを抽出する。添字のｎは送信ストリームの番号を示す。推定信号ｓnは、干渉抑圧合成が実施される場合に想定される各送信ストリームごとの全受信信号成分である。全受信信号成分とは、ＣＲＳベクトルから想定される所望信号と干渉信号と雑音信号の組合せの信号成分である。このように、全受信信号成分推定部１３８は、干渉抑圧合成処理部３２で計算された干渉抑圧合成受信ウェイト行列と、ＣＲＳベクトル測定部２６で測定されたＣＲＳベクトルから、干渉抑圧合成が実施される場合に想定される全受信信号成分を推定する。
【０１０４】
所望参照信号成分推定部１４２は、干渉抑圧合成が実施される場合に想定される、各送信ストリームごとの所望参照信号成分
【数７６】
2014115373.tif 000078
を計算すなわち推定する。添字のｎは送信ストリームの番号を示す。このように、所望参照信号成分推定部１４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＣＲＳ系列認識部２５で認識されたＣＲＳ系列から、干渉抑圧合成が実施される場合に想定される所望参照信号成分を推定する。
【０１０５】
干渉雑音電力推定部４６は、全受信信号成分から所望参照信号成分を減算して、減算結果を二乗することにより、干渉抑圧合成が実施される場合に想定される、ＣＲＳに関する干渉雑音電力を推定する。すなわち、干渉雑音電力推定部４６は、下記の式（５）’に従って、各送信ストリームごとの干渉雑音電力
【数７７】
2014115373.tif 000079
を計算する。
【数７８】
2014115373.tif 000080
添字のｎは送信ストリームの番号を示す。
【０１０６】
他の動作は、図４を参照して上述した第１の実施の形態と同じである。この実施の形態においては、干渉抑圧合成受信ウェイト行列とＣＲＳベクトルから、干渉抑圧合成が実施される場合に想定される全受信信号成分が推定され、干渉抑圧合成受信ウェイトベクトルとチャネルインパルス行列とＣＲＳ系列から、干渉抑圧合成が実施される場合に想定される所望参照信号成分が推定される。干渉抑圧合成が実施される場合に想定される干渉雑音電力は、この全受信信号成分とこの所望参照信号成分の差分の二乗である。干渉抑圧合成受信ウェイト行列とチャネルインパルス行列は推定されて得られるため誤差を含みうるが、ＣＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【０１０７】
この実施の形態では、ＣＲＳベクトル測定部２６が、参照信号ベクトルとして、セル固有参照信号のベクトルであるセル固有参照信号ベクトル（ＣＲＳベクトル）を測定し、全受信信号成分推定部１３８は、ＣＲＳベクトル測定部２６で測定されたＣＲＳベクトルに基づいて全受信信号成分を推定する。また、チャネルインパルス行列推定部４０は、ＣＲＳベクトル測定部２６で測定されたＣＲＳベクトルに基づいてチャネルインパルス行列を推定し、所望参照信号成分推定部１４２は、干渉抑圧合成受信ウェイトベクトルと、チャネルインパルス行列と、ＣＲＳ系列認識部２５で認識されたＣＲＳ系列から、所望参照信号成分を推定する。干渉雑音電力は、この全受信信号成分とこの所望参照信号成分の差分の二乗である。
【０１０８】
図２のマッピングの例で示されるように、ＣＲＳはＣＳＩ−ＲＳよりも高密度（短間隔）で送信されるので、干渉信号を含む全受信信号成分と所望参照信号成分の推定のために、ＣＲＳベクトルおよびＣＲＳ系列を使用することにより、正確な適時の干渉雑音電力の推定が可能である。
【０１０９】
第５の実施の形態
図８は本発明の第５の実施の形態に係る移動通信端末の構成を示すブロック図である。図８は、信号の受信に係る部分と信号の送信に係る部分のみを示し、他の部分の図示は省略する。図８において、図５と共通する構成要素を示すために同一の参照符号が使用され、これらの構成要素は詳しく説明しないことがある。
【０１１０】
この実施の形態は、図５に示す第２の実施の形態の変形であり、移動通信端末は、全受信電力推定部３８および所望参照信号電力推定部４２の代わりに、全受信信号成分推定部１３８および所望参照信号成分推定部１４２を有する。以下、第５の実施の形態の第２の実施の形態と異なる特徴を詳しく説明する。
【０１１１】
全受信信号成分推定部１３８は、上記の式（２）に従って、Ｎstream次元の推定信号ベクトル
【数７９】
2014115373.tif 000081
を計算する。
【０１１２】
次に、全受信信号成分推定部１３８は、その推定信号ベクトルから各送信ストリームについて推定信号ｓnを抽出する。添字のｎは送信ストリームの番号を示す。推定信号ｓnは、干渉抑圧合成が実施される場合に想定される各送信ストリームごとの全受信信号成分である。このように、全受信信号成分推定部１３８は、干渉抑圧合成処理部３２で計算された干渉抑圧合成受信ウェイト行列と、ＣＲＳベクトル測定部２６で測定されたＣＲＳベクトルから、干渉抑圧合成が実施される場合に想定される全受信信号成分を推定する。
【０１１３】
所望参照信号成分推定部１４２は、干渉抑圧合成が実施される場合に想定される、各送信ストリームごとの所望参照信号成分
【数８０】
2014115373.tif 000082
を計算すなわち推定する。添字のｎは送信ストリームの番号を示す。このように、所望参照信号成分推定部１４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＣＳＩ−ＲＳ系列認識部１２５で認識されたＣＳＩ−ＲＳ系列から、干渉抑圧合成が実施される場合に想定される所望参照信号成分を推定する。
【０１１４】
干渉雑音電力推定部４６は、全受信信号成分から所望参照信号成分を減算して、減算結果を二乗することにより、干渉抑圧合成が実施される場合に想定される、参照信号に関する干渉雑音電力を推定する。すなわち、干渉雑音電力推定部４６は、下記の式（９）’に従って、各送信ストリームごとの干渉雑音電力
【数８１】
2014115373.tif 000083
を計算する。
【数８２】
2014115373.tif 000084
添字のｎは送信ストリームの番号を示す。
【０１１５】
他の動作は、図５を参照して上述した第２の実施の形態と同じである。この実施の形態においては、干渉抑圧合成受信ウェイト行列とＣＲＳベクトルから、干渉抑圧合成が実施される場合に想定される全受信信号成分が推定され、干渉抑圧合成受信ウェイトベクトルとチャネルインパルス行列とＣＳＩ−ＲＳ系列から、干渉抑圧合成が実施される場合に想定される所望参照信号成分が推定される。干渉抑圧合成が実施される場合に想定される干渉雑音電力は、この全受信信号成分とこの所望参照信号成分の差分の二乗である。干渉抑圧合成受信ウェイト行列とチャネルインパルス行列は推定されて得られるため誤差を含みうるが、ＣＳＩ−ＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【０１１６】
この実施の形態では、ＣＲＳベクトル測定部２６が、参照信号ベクトルとして、セル固有参照信号のベクトルであるセル固有参照信号ベクトル（ＣＲＳベクトル）を測定し、全受信信号成分推定部１３８は、ＣＲＳベクトル測定部２６で測定されたＣＲＳベクトルに基づいて全受信信号成分を推定する。また、チャネルインパルス行列推定部４０は、ＣＳＩ−ＲＳベクトル測定部１２６で測定されたＣＳＩ−ＲＳベクトルに基づいてチャネルインパルス行列を推定し、所望参照信号成分推定部１４２は、干渉抑圧合成受信ウェイトベクトルと、チャネルインパルス行列と、ＣＳＩ−ＲＳ系列認識部１２５で認識されたＣＳＩ−ＲＳ系列から、所望参照信号成分を推定する。干渉雑音電力は、この全受信信号成分とこの所望参照信号成分の差分の二乗である。
【０１１７】
図２のマッピングの例で示されるように、ＣＲＳはＣＳＩ−ＲＳよりも高密度（短間隔）で送信されるので、干渉信号を含む全受信信号成分と所望参照信号成分の推定のために、ＣＲＳベクトルおよびＣＲＳ系列を使用することにより、正確な適時の干渉雑音電力の推定が可能である。他方、ＣＳＩ−ＲＳはＣＲＳよりも低密度（長間隔）で送信されるが、所望参照信号成分は、頻繁に大きく変動しないと考えられる。したがって、所望参照信号成分の推定のために、ＣＳＩ−ＲＳベクトルおよびＣＳＩ−ＲＳ系列を使用しても、正確な適時の所望参照信号成分の推定が可能である。正確な適時の全受信信号成分の推定と、正確な適時の所望参照信号成分の推定の結果、正確な適時の干渉雑音電力の推定が可能である。
【０１１８】
第６の実施の形態
図９は本発明の第６の実施の形態に係る移動通信端末の構成を示すブロック図である。図９は、信号の受信に係る部分と信号の送信に係る部分のみを示し、他の部分の図示は省略する。図９において、図６と共通する構成要素を示すために同一の参照符号が使用され、これらの構成要素は詳しく説明しないことがある。
【０１１９】
この実施の形態は、図６に示す第３の実施の形態の変形であり、移動通信端末は、全受信電力推定部３８および所望参照信号電力推定部４２の代わりに、全受信信号成分推定部１３８および所望参照信号成分推定部１４２を有する。以下、第６の実施の形態の第３の実施の形態と異なる特徴を詳しく説明する。
【０１２０】
全受信信号成分推定部１３８は、上記の式（１２）に従って、Ｎstream次元の推定信号ベクトル
【数８３】
2014115373.tif 000085
を計算する。
【０１２１】
次に、全受信信号成分推定部１３８は、その推定信号ベクトルから各送信ストリームについて推定信号ｓnを抽出する。添字のｎは送信ストリームの番号を示す。推定信号ｓnは、干渉抑圧合成が実施される場合に想定される各送信ストリームごとの全受信信号成分である。このように、全受信信号成分推定部１３８は、干渉抑圧合成処理部３２で計算された干渉抑圧合成受信ウェイト行列と、ＣＳＩ−ＲＳベクトル測定部１２６で測定されたＣＳＩ−ＲＳベクトルから、干渉抑圧合成が実施される場合に想定される全受信信号成分を推定する。
【０１２２】
所望参照信号成分推定部１４２は、干渉抑圧合成が実施される場合に想定される、各送信ストリームごとの所望参照信号成分
【数８４】
2014115373.tif 000086
を計算すなわち推定する。添字のｎは送信ストリームの番号を示す。このように、所望参照信号成分推定部１４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＣＳＩ−ＲＳ系列認識部１２５で認識されたＣＳＩ−ＲＳ系列から、干渉抑圧合成が実施される場合に想定される所望参照信号成分を推定する。
【０１２３】
干渉雑音電力推定部４６は、全受信信号成分から所望参照信号成分を減算して、減算結果を二乗することにより、干渉抑圧合成が実施される場合に想定される、参照信号に関する干渉雑音電力を推定する。すなわち、干渉雑音電力推定部４６は、下記の式（１４）’に従って、各送信ストリームごとの干渉雑音電力
【数８５】
2014115373.tif 000087
を計算する。
【数８６】
2014115373.tif 000088
添字のｎは送信ストリームの番号を示す。
【０１２４】
他の動作は、図６を参照して上述した第３の実施の形態と同じである。この実施の形態においては、干渉抑圧合成受信ウェイト行列とＣＳＩ−ＲＳベクトルから、干渉抑圧合成が実施される場合に想定される全受信信号成分が推定され、干渉抑圧合成受信ウェイトベクトルとチャネルインパルス行列とＣＳＩ−ＲＳ系列から、干渉抑圧合成が実施される場合に想定される所望参照信号成分が推定される。干渉抑圧合成が実施される場合に想定される干渉雑音電力は、この全受信信号成分とこの所望参照信号成分の差分の二乗である。干渉抑圧合成受信ウェイト行列とチャネルインパルス行列は推定されて得られるため誤差を含みうるが、ＣＳＩ−ＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【０１２５】
この実施の形態では、ＣＳＩ−ＲＳベクトル測定部１２６が、参照信号ベクトルとして、チャネル状態情報参照信号のベクトルであるチャネル状態情報参照信号ベクトル（ＣＳＩ−ＲＳベクトル）を測定し、全受信信号成分推定部１３８は、ＣＳＩ−ＲＳベクトル測定部１２６で測定されたＣＳＩ−ＲＳベクトルに基づいて全受信信号成分を推定する。また、チャネルインパルス行列推定部４０は、ＣＳＩ−ＲＳベクトル測定部１２６で測定されたＣＳＩ−ＲＳベクトルに基づいてチャネルインパルス行列を推定し、所望参照信号成分推定部１４２は、干渉抑圧合成受信ウェイトベクトルと、チャネルインパルス行列と、ＣＳＩ−ＲＳ系列認識部１２５で認識されたＣＳＩ−ＲＳ系列から、所望参照信号成分を推定する。干渉雑音電力は、この全受信信号成分とこの所望参照信号成分の差分の二乗である。
【０１２６】
図２のマッピングの例で示されるように、ＣＳＩ−ＲＳはＣＲＳよりも低密度（長間隔）で送信される。したがって、干渉信号を含む全受信信号成分の推定のために、ＣＳＩ−ＲＳを使用するのは、ＣＲＳの使用よりも精度が低いと考えられる。しかしながら、ＣＳＩ−ＲＳは基地局（セル）の最大で８つの送信アンテナをサポートするので、基地局の送信アンテナの数が多い場合には、ＣＲＳを用いた信号成分の推定よりもＣＳＩ−ＲＳを用いた信号成分の推定が好ましいことがありうると考えられる。また、今後の3GPPの標準化において、ＣＳＩ−ＲＳの送信間隔およびその他の事項について、変更されることもありえ、その場合には、ＣＳＩ−ＲＳを使用しても、干渉信号を含む全受信信号成分の推定の精度が改善されることもありうる。
【０１２７】
第７の実施の形態
第７の実施の形態〜第９の実施の形態の各々に係る移動通信端末は、上記の第１の実施の形態〜第６の実施の形態のいずれかと同じ構成要素を有する。第７の実施の形態〜第９の実施の形態の各々に係る移動通信端末は、さらに、ＳＩＮＲ計算部５２で計算された信号対雑音干渉比または干渉雑音電力推定部４６で推定された干渉雑音電力を補正する補正部７２を有することにより、さらにＳＩＮＲを高い精度で計算する。
【０１２８】
図１０は本発明の第７の実施の形態に係る移動通信端末の構成の一部を示すブロック図である。図１０には示されていないが、この移動通信端末は、図４〜図９に示される第１の実施の形態〜第６の実施の形態のいずれかと同じ構成要素を有し、さらに、受信信号品質判定部７０と補正部７２を有する。
【０１２９】
受信信号品質判定部７０は、複数の基地局から受信する電波に関する受信信号品質を測定する。受信信号品質判定部７０で測定された受信信号品質に基づいて、補正部７２はＳＩＮＲ計算部５２で計算された各送信ストリームごとの信号対雑音干渉比SINRnを補正する。この実施の形態では、受信信号品質判定部７０は、受信信号品質として、少なくとも３つの基地局から受信する参照信号の少なくとも３つの参照信号受信電力（ＲＳＲＰ）を測定する。
【０１３０】
例えば、図３に示すように、移動通信端末１０が４つの基地局（セル）１，２，３，４からの電波を受信する環境において、基地局１が所望基地局であると想定する。受信信号品質判定部７０は、所望基地局１からの参照信号受信電力ＲＳＲＰ１、干渉基地局２からの参照信号受信電力ＲＳＲＰ２、干渉基地局３からの参照信号受信電力ＲＳＲＰ３および干渉基地局４からの参照信号受信電力ＲＳＲＰ４を測定する。所望基地局１からの参照信号受信電力ＲＳＲＰ１は、干渉基地局からの参照信号受信電力ＲＳＲＰ２、ＲＳＲＰ３、ＲＳＲＰ４より大きい。すなわちＲＳＲＰ１は最大である。ここで、干渉基地局２からの参照信号受信電力ＲＳＲＰ２が２番目に大きく、干渉基地局３からの参照信号受信電力ＲＳＲＰ３が３番目に大きいと想定する。但し、ＲＳＲＰ２はＲＳＲＰ３と等しくてもよい。つまり、ＲＳＲＰ２はＲＳＲＰ３以上である。
【０１３１】
補正部７２は、複数の参照信号受信電力のうち、２番目に大きい参照信号受信電力と３番目に大きい参照信号受信電力の差分に基づいて、差分が大きいほど増分が大きくなるように、ＳＩＮＲ計算部５２で計算された信号対雑音干渉比SINRnを増加させる。上記の例では、補正部７２は、複数の参照信号受信電力ＲＳＲＰ１、ＲＳＲＰ２、ＲＳＲＰ３、ＲＳＲＰ４のうち、２番目に大きい参照信号受信電力ＲＳＲＰ２と３番目に大きい参照信号受信電力ＲＳＲＰ３の差分（ＲＳＲＰ２−ＲＳＲＰ３）に基づいて、この差分（ＲＳＲＰ２−ＲＳＲＰ３）が大きいほど増分が大きくなるように、ＳＩＮＲ計算部５２で計算された信号対雑音干渉比SINRnを増加させるよう補正する。
【０１３２】
補正部７２は、例えば下記の手法のいずれかに従って増分Δを決定することができる。増分Δは正の数である。
（１）補正部７２は、下記のように関数に従って増分Δを計算してもよい。
Δ＝ｆ１（ＲＳＲＰ２−ＲＳＲＰ３）
ここでｆ１は、差分（ＲＳＲＰ２−ＲＳＲＰ３）が大きいほど増分Δが大きくなる関数である。図１１は関数ｆ１の例を示すグラフである。但し、関数ｆ１は図１１に示されるものに限られない。
【０１３３】
（２）補正部７２は、テーブルを参照し、テーブルに基づいて、増分Δを決定してもよい。テーブルは移動通信端末の図示しない記憶装置に記憶されている。図１２はテーブルの例である。但し、テーブルは図１２に示されるものに限られない。
【０１３４】
（３）補正部７２は、差分（ＲＳＲＰ２−ＲＳＲＰ３）をある閾値Thと比較し、その比較に基づいて、増分Δを決定してもよい。例えば、差分（ＲＳＲＰ２−ＲＳＲＰ３）が閾値Thより大きい場合には、補正部７２は増分Δを正の値（例えば3dB）と決定し、他の場合には、補正部７２は増分Δをなしと決定してもよい。補正部７２は、差分（ＲＳＲＰ２−ＲＳＲＰ３）を複数の閾値と比較して、増分Δを決定してもよい。
【０１３５】
以上のように増分Δを決定した後、補正部７２は、各送信ストリームごとの信号対雑音干渉比SINRnを増分Δだけ増加させる。つまり、下記の式に従って、補正された各送信ストリームごとの信号対雑音干渉比SINRn’を計算する。増分Δは複数の送信ストリームについて共通でよい。なお，増分ΔをdB単位で設定した場合には，各送信ストリームごとの信号対雑音干渉比SINRn及び補正された各送信ストリームごとの信号対雑音干渉比SINRn’においてもdB単位で計算を行う。
SINRn’＝SINRn + Δ
【０１３６】
チャネル状態情報判定部５４は、補正された信号対雑音干渉比SINRn’から、公知の手法で、チャネル状態情報（ＣＳＩ）、すなわちＣＱＩ、ＰＭＩ、ＲＩを判定し、ＣＱＩ、ＰＭＩ、ＲＩを含むＣＳＩを示す信号を送信信号生成部５６に渡す。送信信号生成部５６は、無線送信部５８および送信アンテナ６０によって、ＣＳＩを示す信号を所望基地局に送信すなわちフィードバックする。
【０１３７】
ＩＲＣの干渉抑圧効果は、支配的な干渉セル（干渉基地局）が少ない場合、かつ支配的な干渉セルに起因する干渉が大きい場合に高い。つまり、干渉セルが少ないほど、干渉抑圧効果は高い。また、支配的な干渉セルに起因する干渉が大きいほど、干渉抑圧効果は高い。干渉抑圧効果が高ければ、干渉抑圧合成が実施される場合に想定される信号対雑音干渉比は高い。この実施の形態では、この原理を利用して、干渉抑圧合成が実施される場合に想定される信号対雑音干渉比SINRnを補正する。２番目に大きい参照信号受信電力ＲＳＲＰ２は、最大の干渉を起こしている参照信号の受信電力であり、３番目に大きい参照信号受信電力ＲＳＲＰ３は、２番目に大きい干渉を起こしている参照信号の受信電力である。差分（ＲＳＲＰ２−ＲＳＲＰ３）が大きければ、支配的な干渉セルが１つであり、かつ支配的な干渉セルに起因する干渉が大きいと考えられ、ＩＲＣの干渉抑圧効果が高いと考えられる。逆に差分（ＲＳＲＰ２−ＲＳＲＰ３）が小さければ、支配的な干渉セルが２つであり、かつ支配的な干渉セルに起因する干渉が小さいと考えられ、ＩＲＣの干渉抑圧効果が低いと考えられる。そこで、補正部７２は、差分（ＲＳＲＰ２−ＲＳＲＰ３）が大きいほど、信号対雑音干渉比SINRnを高めるように補正する。このような補正により、干渉抑圧合成が実施される場合に想定される信号対雑音干渉比を精度よく得ることが可能である。
【０１３８】
第８の実施の形態
第８の実施の形態に係る移動通信端末は図１０と同じ構成要素を有する。つまり、この移動通信端末は、図４〜図９に示される第１の実施の形態〜第６の実施の形態のいずれかと同じ構成要素を有し、さらに、受信信号品質判定部７０と補正部７２を有する。受信信号品質判定部７０は、複数の基地局から受信する電波に関する受信信号品質を測定する。受信信号品質判定部７０で測定された受信信号品質に基づいて、補正部７２はＳＩＮＲ計算部５２で計算された各送信ストリームごとの信号対雑音干渉比SINRnを増加させる。
【０１３９】
この実施の形態では、受信信号品質判定部７０は、受信信号品質として、干渉抑圧合成が実施されない場合に想定される、信号対雑音干渉比である非干渉抑圧合成・信号対雑音干渉比SINRNIRC,nを各送信ストリームごとに計算する。添字のｎは送信ストリームの番号を示す。非干渉抑圧合成・信号対雑音干渉比SINRNIRC,nは、公知の手法で計算することができる。
【０１４０】
補正部７２は、非干渉抑圧合成・信号対雑音干渉比SINRNIRC,nに基づいて、非干渉抑圧合成・信号対雑音干渉比SINRNIRC,nが小さいほど増分が大きくなるように、ＳＩＮＲ計算部５２で計算された信号対雑音干渉比SINRnを増加させるよう補正する。補正部７２は、例えば下記の手法のいずれかに従って増分Δnを決定することができる。増分Δnは正の数であり、各送信ストリームごとに決定される。添字のｎは送信ストリームの番号を示す。
（１）補正部７２は、下記のように関数に従って増分Δnを計算してもよい。
Δn＝ｆ２（SINRNIRC,n）
ここでｆ２は、非干渉抑圧合成・信号対雑音干渉比SINRNIRC,nが大きいほど増分Δnが大きくなる関数である。図１３は関数ｆ２の例を示すグラフである。但し、関数ｆ２は図１３に示されるものに限られない。
【０１４１】
（２）補正部７２は、テーブルを参照し、テーブルに基づいて、増分Δnを決定してもよい。テーブルは移動通信端末の図示しない記憶装置に記憶されている。図１４はテーブルの例である。但し、テーブルは図１４に示されるものに限られない。
【０１４２】
（３）補正部７２は、非干渉抑圧合成・信号対雑音干渉比SINRNIRC,nをある閾値Thと比較し、その比較に基づいて、増分Δnを決定してもよい。例えば、非干渉抑圧合成・信号対雑音干渉比SINRNIRC,nが閾値Thより小さい場合には、補正部７２は増分Δnを3dBと決定し、他の場合には、補正部７２は増分Δnをなしと決定してもよい。補正部７２は、非干渉抑圧合成・信号対雑音干渉比SINRNIRC,nを複数の閾値と比較して、増分Δnを決定してもよい。
【０１４３】
以上のように増分Δnを決定した後、補正部７２は、各送信ストリームごとの信号対雑音干渉比SINRnを増分Δnだけ増加させる。つまり、下記の式に従って、補正された各送信ストリームごとの信号対雑音干渉比SINRn’を計算する。なお，増分ΔをdB単位で設定した場合には，各送信ストリームごとの信号対雑音干渉比SINRn及び補正された各送信ストリームごとの信号対雑音干渉比SINRn’においてもdB単位で計算を行う。
SINRn’＝SINRn + Δn
【０１４４】
チャネル状態情報判定部５４は、補正された信号対雑音干渉比SINRn’から、公知の手法で、チャネル状態情報（ＣＳＩ）、すなわちＣＱＩ、ＰＭＩ、ＲＩを判定し、ＣＱＩ、ＰＭＩ、ＲＩを含むＣＳＩを示す信号を送信信号生成部５６に渡す。送信信号生成部５６は、無線送信部５８および送信アンテナ６０によって、ＣＳＩを示す信号を所望基地局に送信すなわちフィードバックする。
【０１４５】
ＩＲＣの干渉抑圧効果は、支配的な干渉セル（干渉基地局）に起因する干渉が大きい場合に高い。つまり、支配的な干渉セルに起因する干渉が大きいほど、干渉抑圧効果は高い。干渉抑圧効果が高ければ、干渉抑圧合成が実施される場合に想定される信号対雑音干渉比は高い。この実施の形態では、この原理を利用して、干渉抑圧合成が実施される場合に想定される信号対雑音干渉比SINRnを補正する。干渉抑圧合成が実施されない場合に想定される、信号対雑音干渉比である非干渉抑圧合成・信号対雑音干渉比SINRNIRC,nが大きい場合には、支配的な干渉セルに起因する干渉が小さいと考えられ、ＩＲＣの干渉抑圧効果が低いと考えられる。逆に非干渉抑圧合成・信号対雑音干渉比SINRNIRC,nが小さい場合には、支配的な干渉セルに起因する干渉が大きいと考えられ、ＩＲＣの干渉抑圧効果が高いと考えられる。そこで、補正部７２は、非干渉抑圧合成・信号対雑音干渉比SINRNIRC,nが小さいほど、信号対雑音干渉比SINRnを高めるように補正する。このような補正により、干渉抑圧合成が実施される場合に想定される信号対雑音干渉比を精度よく得ることが可能である。
【０１４６】
第９の実施の形態
図１５は本発明の第９の実施の形態に係る移動通信端末の構成の一部を示すブロック図である。図１５には示されていないが、この移動通信端末は、図４〜図９に示される第１の実施の形態〜第６の実施の形態のいずれかと同じ構成要素を有し、さらに、受信信号品質判定部７０と補正部７２を有する。受信信号品質判定部７０は、複数の基地局から受信する電波に関する受信信号品質を測定する。受信信号品質判定部７０で測定された受信信号品質に基づいて、補正部７２は干渉雑音電力推定部４６で推定された各送信ストリームごとの干渉雑音電力
【数８７】
2014115373.tif 000089
を減少させる。
【０１４７】
この実施の形態では、受信信号品質判定部７０は、受信信号品質として、少なくとも３つの基地局から受信する参照信号の少なくとも３つの参照信号受信電力（ＲＳＲＰ）を測定する。
【０１４８】
例えば、図３に示すように、移動通信端末１０が４つの基地局（セル）１，２，３，４からの電波を受信する環境において、基地局１が所望基地局であると想定する。受信信号品質判定部７０は、所望基地局１からの参照信号受信電力ＲＳＲＰ１、干渉基地局２からの参照信号受信電力ＲＳＲＰ２、干渉基地局３からの参照信号受信電力ＲＳＲＰ３および干渉基地局４からの参照信号受信電力ＲＳＲＰ４を測定する。所望基地局１からの参照信号受信電力ＲＳＲＰ１は、干渉基地局からの参照信号受信電力ＲＳＲＰ２、ＲＳＲＰ３、ＲＳＲＰ４より大きい。すなわちＲＳＲＰ１は最大である。ここで、干渉基地局２からの参照信号受信電力ＲＳＲＰ２が２番目に大きく、干渉基地局３からの参照信号受信電力ＲＳＲＰ３が３番目に大きいと想定する。但し、ＲＳＲＰ２はＲＳＲＰ３と等しくてもよい。つまり、ＲＳＲＰ２はＲＳＲＰ３以上である。
【０１４９】
補正部７２は、複数の参照信号受信電力のうち、２番目に大きい参照信号受信電力と３番目に大きい参照信号受信電力に基づいて、２番目に大きい参照信号受信電力と３番目に大きい参照信号受信電力との差分が大きいほど減少分が大きくなるように、かつ２番目に大きい参照信号受信電力が大きいほど減少分が大きくなるように、干渉雑音電力推定部４６で推定された各送信ストリームごとの干渉雑音電力
【数８８】
2014115373.tif 000090
を減少させる。上記の例では、補正部７２は、複数の参照信号受信電力ＲＳＲＰ１、ＲＳＲＰ２、ＲＳＲＰ３、ＲＳＲＰ４のうち、２番目に大きい参照信号受信電力ＲＳＲＰ２と３番目に大きい参照信号受信電力ＲＳＲＰ３に基づいて、差分（ＲＳＲＰ２−ＲＳＲＰ３）が大きいほど減少分が大きくなるように、かつ２番目に大きい参照信号受信電力ＲＳＲＰ２が大きいほど減少分が大きくなるように、干渉雑音電力推定部４６で推定された各送信ストリームごとの干渉雑音電力を減少させるよう補正する。
【０１５０】
補正部７２は、例えば下記の手法のいずれかに従って減少分Δを決定することができる。減少分Δは正の数である。
（１）補正部７２は、下記のように、参照信号受信電力ＲＳＲＰ２に適合する関数を選択し、選択された関数に従って減少分Δを計算してもよい。
ＲＳＲＰ２＜ｙ１の場合、
Δ＝ｆＡ（ＲＳＲＰ２−ＲＳＲＰ３）
ｙ１≦ＲＳＲＰ２＜ｙ２の場合、
Δ＝ｆＢ（ＲＳＲＰ２−ＲＳＲＰ３）
ｙ２≦ＲＳＲＰ２の場合、
Δ＝ｆＣ（ＲＳＲＰ２−ＲＳＲＰ３）
ここでｆＡ、ｆＢ、ｆＣは、差分（ＲＳＲＰ２−ＲＳＲＰ３）が大きいほど減少分Δが大きくなる関数である。ｙ１、ｙ２は閾値であり、ｙ１＜ｙ２である。図１６は関数ｆＡ、ｆＢ、ｆＣの例を示すグラフである。但し、関数ｆＡ、ｆＢ、ｆＣは図１６に示されるものに限られない。閾値の数および関数の数も限られない。
【０１５１】
（２）補正部７２は、参照信号受信電力ＲＳＲＰ２に適合するテーブルを選択し、選択されたテーブルに基づいて、減少分Δを決定してもよい。これらのテーブルは移動通信端末の図示しない記憶装置に記憶されている。図１７はこれらのテーブルの例である。ＲＳＲＰ２＜ｙ１の場合、図１７の最上部のテーブルが使用され、ｙ１≦ＲＳＲＰ２＜ｙ２の場合、図１７の中央のテーブルが使用され、ｙ２≦ＲＳＲＰ２の場合、図１７の最下部のテーブルが使用される。但し、テーブルは図１７に示されるものに限られない。閾値の数およびテーブルの数も限られない。
【０１５２】
（３）補正部７２は、参照信号受信電力ＲＳＲＰ２の範囲と、差分（ＲＳＲＰ２−ＲＳＲＰ３）に基づいて、減少分Δを決定してもよい。例えば、ＲＳＲＰ２＜ｙ１の場合、かつ差分（ＲＳＲＰ２−ＲＳＲＰ３）が閾値Thより大きい場合には、補正部７２は減少分Δを30dBと決定し、ＲＳＲＰ２＜ｙ１の場合、かつ差分（ＲＳＲＰ２−ＲＳＲＰ３）が閾値Th以下の場合には、補正部７２は減少分Δをなしと決定してもよい。ｙ１≦ＲＳＲＰ２＜ｙ２の場合、かつ差分（ＲＳＲＰ２−ＲＳＲＰ３）が閾値Thより大きい場合には、補正部７２は減少分Δを40dBと決定し、ｙ１≦ＲＳＲＰ２＜ｙ２の場合、かつ差分（ＲＳＲＰ２−ＲＳＲＰ３）が閾値Th以下の場合には、補正部７２は減少分Δを10dBと決定してもよい。ｙ２≦ＲＳＲＰ２の場合、かつ差分（ＲＳＲＰ２−ＲＳＲＰ３）が閾値Thより大きい場合には、補正部７２は減少分Δを50dBと決定し、ｙ２≦ＲＳＲＰ２の場合、かつ差分（ＲＳＲＰ２−ＲＳＲＰ３）が閾値Th以下の場合には、補正部７２は減少分Δを20dBと決定してもよい。補正部７２は、差分（ＲＳＲＰ２−ＲＳＲＰ３）を複数の閾値と比較して、減少分Δを決定してもよい。
【０１５３】
以上のように減少分Δを決定した後、補正部７２は、各送信ストリームごとの干渉雑音電力
【数８９】
2014115373.tif 000091
を減少分Δだけ減少させる。つまり、下記の式に従って、補正された各送信ストリームごとの干渉雑音電力
【数９０】
2014115373.tif 000092
を計算する。減少分Δは複数の送信ストリームについて共通でよい。なお，減少分ΔをdBもしくはdBm単位で設定した場合には，各送信ストリームごとの干渉雑音電力及び補正された各送信ストリームごとの干渉雑音電力においてもdB単位で計算を行う。
【数９１】
2014115373.tif 000093
【０１５４】
ＳＩＮＲ計算部５２は、所望データ信号電力推定部５０で推定された所望データ信号電力と補正部７２で補正された干渉雑音電力から、干渉抑圧合成が実施される場合に想定される、信号対雑音干渉比を計算する。すなわち、ＳＩＮＲ計算部５２は、下記の式（１８）に従って、干渉抑圧合成が実施される場合に想定される、各送信ストリームごとの信号対雑音干渉比SINRnを計算すなわち推定する。
【数９２】
2014115373.tif 000094
添字のｎは送信ストリームの番号を示す。
【０１５５】
チャネル状態情報判定部５４は、ＳＩＮＲ計算部５２で計算された信号対雑音干渉比SINRnから、公知の手法で、チャネル状態情報（ＣＳＩ）、すなわちＣＱＩ、ＰＭＩ、ＲＩを判定し、ＣＱＩ、ＰＭＩ、ＲＩを含むＣＳＩを示す信号を送信信号生成部５６に渡す。送信信号生成部５６は、無線送信部５８および送信アンテナ６０によって、ＣＳＩを示す信号を所望基地局に送信すなわちフィードバックする。
【０１５６】
ＩＲＣの干渉抑圧効果は、支配的な干渉セル（干渉基地局）が少ない場合、かつ支配的な干渉セルに起因する干渉が大きい場合に高い。つまり、干渉セルが少ないほど、干渉抑圧効果は高い。また、支配的な干渉セルに起因する干渉が大きいほど、干渉抑圧効果は高い。干渉抑圧効果が高ければ、干渉抑圧合成が実施される場合に想定される干渉雑音電力は低い。この実施の形態では、この原理を利用して、干渉抑圧合成が実施される場合に想定される信号対雑音干渉比SINRnを補正する。２番目に大きい参照信号受信電力ＲＳＲＰ２は、最大の干渉を起こしている参照信号の受信電力であり、３番目に大きい参照信号受信電力ＲＳＲＰ３は、２番目に大きい干渉を起こしている参照信号の受信電力である。参照信号受信電力ＲＳＲＰ２が大きければ、支配的な干渉セルに起因する干渉が大きいと考えられ、差分（ＲＳＲＰ２−ＲＳＲＰ３）が大きければ、支配的な干渉セルが１つであると考えられ、ＩＲＣの干渉抑圧効果が高いと考えられる。そこで、補正部７２は、２番目に大きい参照信号受信電力ＲＳＲＰ２が大きいほど、干渉雑音電力を減少させるように、かつ差分（ＲＳＲＰ２−ＲＳＲＰ３）が大きいほど、干渉雑音電力を減少させるように、干渉雑音電力を補正する。このような補正により、干渉抑圧合成が実施される場合に想定される信号対雑音干渉比を精度よく得ることが可能である。
【０１５７】
第１０の実施の形態
図１８は本発明の第１０の実施の形態に係る移動通信端末の構成を示すブロック図である。図１８は、信号の受信に係る部分と信号の送信に係る部分のみを示し、他の部分の図示は省略する。図１８において、図４と共通する構成要素を示すために同一の参照符号が使用され、これらの構成要素は詳しく説明しないことがある。
【０１５８】
図１８に示すように、各移動通信端末は、セル固有参照信号（ＣＲＳ）チャネルインパルス行列推定部１５０、干渉雑音電力推定部１５６、送信ウェイト行列供給部１５８、送信ストリーム間干渉電力推定部１６０および所望データ信号電力推定部１６２を備える。これらの構成要素は、移動通信端末の図示しないＣＰＵがコンピュータプログラムを実行し、そのコンピュータプログラムに従って機能することによって実現される機能ブロックである。
【０１５９】
第１の実施の形態と同様に、ＣＲＳベクトル測定部２６（参照信号ベクトル測定部）は、所望基地局から送信されるＣＲＳのベクトルであるセル固有参照信号ベクトル（ＣＲＳベクトル）を測定する。干渉抑圧合成処理部３２は、ＣＲＳベクトル測定部２６で測定された参照信号ベクトル（ＣＲＳベクトル）に基づいて、干渉抑圧合成受信ウェイト行列を計算する。但し、干渉抑圧合成処理部３２は、後述する送信ウェイト行列供給部１５８が供給する送信ウェイト行列にも基づいて、干渉抑圧合成受信ウェイト行列を計算する。
【０１６０】
ＣＲＳチャネルインパルス行列推定部１５０は、複数の受信アンテナ２０で受信される電波に由来する信号から、所望基地局から受信されるＣＲＳの異なるリソースエレメントに対応する２つのＮＲＸ×ＮＴＸ次元のチャネルインパルス行列（ＣＲＳチャネルインパルス行列）
【数９３】
2014115373.tif 000095
を推定する。
【０１６１】
添字の「ｍ」、「ｍ’」について図１９を参照して説明する。図１９は、LTE Advancedでの下りリンク送信の１つのリソースブロックにおける各種信号のマッピングの例を示す。図１９に示すように、ＣＲＳは、基地局（セル）の複数の送信アンテナポートから送信される。添字「ｍ」、「ｍ’」は、ＣＲＳチャネルインパルス行列に対応するリソースエレメントＲＥの番号を示す。例えば、添字「ｍ」は図１９のリソースエレメントＲＥ１の番号であり、添字「ｍ’」は図１９のリソースエレメントＲＥ２の番号である。リソースエレメントＲＥ１，ＲＥ２は、図示の例に限られないが、１つのアンテナポートから送信されるＣＲＳの複数のリソースエレメントのうち、なるべく周波数方向に近く（近いサブキャリアであり）、なるべく時間方向に近い（近いＯＦＤＭシンボルである）リソースエレメントである。
【０１６２】
干渉雑音電力推定部１５６は、干渉抑圧合成処理部３２で得られた干渉抑圧合成受信ウェイト行列と、ＣＲＳチャネルインパルス行列推定部１５０で得られた複数のチャネルインパルス行列のそれぞれの一部である複数のチャネルインパルスベクトルから、干渉抑圧合成が実施される場合に想定される、干渉雑音電力を推定する。すなわち、干渉雑音電力推定部１５６は、下記の式（１９）に従って、各送信ストリームごとの干渉雑音電力
【数９４】
2014115373.tif 000096
を計算する。
【数９５】
2014115373.tif 000097
添字のｎは送信ストリームの番号を示す。
【０１６３】
【数９６】
2014115373.tif 000098
は、干渉抑圧合成処理部３２で計算された、番号ｍを持つリソースエレメントのＣＲＳベクトルに基づいた干渉抑圧合成受信ウェイト行列
【数９７】
2014115373.tif 000099
（Ｎstream×ＮＲＸ次元の行列）から各送信ストリームについて抽出される横ベクトル（ＮＲＸ次元）である。つまり、この横ベクトルは、干渉抑圧合成受信ウェイト行列の一部である干渉抑圧合成受信ウェイトベクトルである。添字のｎは送信ストリームの番号を示す。干渉抑圧合成受信ウェイト行列は、ＣＲＳベクトルと、後述する送信ウェイト行列供給部１５８が供給する送信ウェイト行列に基づいて計算される。
【０１６４】
【数９８】
2014115373.tif 000100
は、ＣＲＳチャネルインパルス行列推定部１５０で計算されたＣＲＳチャネルインパルス行列
【数９９】
2014115373.tif 000101
（ＮＲＸ×ＮＴＸ次元の行列）からアンテナポート番号「ａ」ごとに抽出される縦ベクトル（ＮＲＸ次元）である。つまり、この縦ベクトルは、ＣＲＳチャネルインパルス行列の一部であるチャネルインパルスベクトルである。図１９に示すように、ＣＲＳは、基地局（セル）の複数の送信アンテナポートから送信される。添字の「ａ」は、ＣＲＳが送信される基地局のアンテナポートの番号を示す。つまり図１９の例では、「ａ」は１か２である。
【０１６５】
【数１００】
2014115373.tif 000102
は、ＣＲＳチャネルインパルス行列推定部１５０で計算されたＣＲＳチャネルインパルス行列
【数１０１】
2014115373.tif 000103
（ＮＲＸ×ＮＴＸ次元の行列）からアンテナポート番号「ａ」ごとに抽出される縦ベクトル（ＮＲＸ次元）である。つまり、この縦ベクトルは、ＣＲＳチャネルインパルス行列の一部であるチャネルインパルスベクトルである。
【０１６６】
送信ウェイト行列供給部１５８は、所望基地局でのプリコーディングに使用されるべき送信ウェイト行列の候補
【数１０２】
2014115373.tif 000104
（ＮＴＸ×Ｎstream次元の行列）を供給する。添字のｉは、移動通信端末および基地局にて共通に所持するコードブック（送信ウェイト行列の群を表す）内での送信ウェイト行列の番号を示す。
【０１６７】
送信ストリーム間干渉電力推定部１６０は、干渉抑圧合成受信ウェイト行列の一部である干渉抑圧合成受信ウェイトベクトルと、ＣＲＳチャネルインパルス行列推定部１５０で推定された１つのＣＲＳチャネルインパルス行列と、送信ウェイト行列の候補から、干渉抑圧合成が実施される場合に想定される、所望基地局から送信される送信ストリーム間干渉電力を推定する。すなわち、送信ストリーム間干渉電力推定部１６０は、下記の式（２０）に従って、各送信ストリームごとの送信ストリーム間干渉電力
【数１０３】
2014115373.tif 000105
を計算する。
【数１０４】
2014115373.tif 000106
添字のｎは送信ストリームの番号を示す。
【０１６８】
【数１０５】
2014115373.tif 000107
は、干渉抑圧合成処理部３２で計算された、任意の番号ｐを持つリソースエレメントのＣＲＳベクトルに基づいた干渉抑圧合成受信ウェイト行列（Ｎstream×ＮＲＸ次元の行列）から各送信ストリームについて抽出されるＮＲＸ次元の横ベクトル（干渉抑圧合成受信ウェイトベクトル）である。
【０１６９】
【数１０６】
2014115373.tif 000108
は、任意の番号ｐを持つリソースエレメントのＣＲＳベクトルに対応するＣＲＳチャネルインパルス行列推定部１５０で計算されたＣＲＳチャネルインパルス行列である。
【０１７０】
【数１０７】
2014115373.tif 000109
は、送信ウェイト行列供給部１５８から供給される送信ウェイト行列の候補（ＮＴＸ×Ｎstream次元の行列）からストリームごとに抽出される縦ベクトル（ＮＴＸ次元）である。つまり、この縦ベクトルは、送信ウェイト行列の候補の一部である送信ウェイトベクトルである。添字のｎ'は、式（２０）で計算される送信ストリーム間干渉電力の送信ストリームとは異なる送信ストリームを示す。
【０１７１】
所望データ信号電力推定部１６２は、干渉抑圧合成受信ウェイトベクトルと、ＣＲＳチャネルインパルス行列推定部１５０で推定された１つのＣＲＳチャネルインパルス行列と、送信ウェイト行列の候補から、干渉抑圧合成が実施される場合に想定される、所望データ信号電力を推定する。すなわち、所望データ信号電力推定部１６２は、下記の式（２１）に従って、各送信ストリームごとの所望データ信号電力
【数１０８】
2014115373.tif 000110
を計算する。
【数１０９】
2014115373.tif 000111
添字のｎは送信ストリームの番号を示す。
【０１７２】
【数１１０】
2014115373.tif 000112
は、送信ウェイト行列供給部１５８から供給される送信ウェイト行列の候補（ＮＴＸ×Ｎstream次元の行列）からストリームごとに抽出される縦ベクトル（ＮＴＸ次元）である。つまり、この縦ベクトルは、送信ウェイト行列の候補の一部である送信ウェイトベクトルである。添字のｎは、式（２１）で計算される所望データ信号電力の送信ストリームと同じ送信ストリームを示す。
【０１７３】
ＳＩＮＲ計算部５２は、所望データ信号電力推定部１６２で推定された所望データ信号電力と、干渉雑音電力推定部１５６で推定された干渉雑音電力と、送信ストリーム間干渉電力推定部１６０で推定された送信ストリーム間干渉電力から、干渉抑圧合成が実施される場合に想定される、信号対雑音干渉比を計算する。すなわち、ＳＩＮＲ計算部５２は、下記の式（２２）に従って、干渉抑圧合成が実施される場合に想定される、各送信ストリームごとの信号対雑音干渉比SINRnを計算すなわち推定する。
【数１１１】
2014115373.tif 000113
添字のｎは送信ストリームの番号を示す。
【０１７４】
この実施の形態に係る移動通信端末の信号対雑音干渉比SINRnを計算するための動作を説明する。まず、干渉雑音電力推定部１５６は、上記の式（１９）に従って、各送信ストリームごとのリソースエレメント番号ｍに対応する干渉雑音電力を計算する（ステップ１）。次に、送信ストリーム間干渉電力推定部１６０は、上記の式（２０）に従って、各送信ストリームごとのリソースエレメント番号ｐに対応する送信ストリーム間干渉電力を計算する（ステップ２）。次に、所望データ信号電力推定部１６２は、上記の式（２１）に従って、各送信ストリームごとのリソースエレメント番号ｐに対応する所望データ信号電力を計算する（ステップ３）。さらに、ＳＩＮＲ計算部５２は、上記の式（２２）に従って、各送信ストリームごとの信号対雑音干渉比SINRnを計算する（ステップ４）。ここまでのステップ１〜ステップ４の処理は、上記の番号ｉを持つ送信ウェイト行列に対応する。
【０１７５】
ステップ４の終了後、送信ウェイト行列の番号ｉが１つ増加される。そして、送信ウェイト行列供給部１５８は、次の送信ウェイト行列（番号ｉ＋１）を供給する。次の送信ウェイト行列（番号ｉ＋１）について、ステップ１〜ステップ４の処理が繰り返される。コードブックに準備されているすべての送信ウェイト行列について、ステップ１〜ステップ４の処理が実行される。このようにして、コードブックに準備されているすべての送信ウェイト行列について、リソースエレメント番号ｍに対応する信号対雑音干渉比SINRnが計算される。これらの多数の信号対雑音干渉比SINRnのうち最大値（各送信ストリームごとに最大値がある）をＳＩＮＲ計算部５２はチャネル状態情報判定部５４に供給する。チャネル状態情報判定部５４は、ＳＩＮＲ計算部５２から出力された最大値の信号対雑音干渉比SINRnから、チャネル状態情報（ＣＳＩ）を判定する。また、最大値の信号対雑音干渉比SINRnに対応する送信ウェイト行列は、チャネル状態情報判定部５４がチャネル状態情報を判定する時に、使用される。また、その送信ウェイト行列に対応する干渉抑圧合成受信ウェイト行列を使用して、データ信号分離部３４は信号分離を行う。
【０１７６】
以上の動作で得られる最大値の信号対雑音干渉比SINRnは特定のリソースエレメント（番号ｍを有する）と特定のリソースエレメント（番号ｐを有する）に対応する。移動通信端末は、複数のリソースエレメントについての平均的な信号対雑音干渉比SINRnの最大値を計算して、その平均的な最大値を使用してチャネル状態情報を判定してもよい。例えば、ステップ１において、複数のリソースエレメント（番号ｍのリソースエレメントに加えて他の番号のリソースエレメント）に対して、干渉雑音電力推定部１５６は、式（１９）を適用して、複数の干渉雑音電力を計算して、それらの干渉雑音電力を平均してもよい。ステップ２において、送信ストリーム間干渉電力推定部１６０は、複数のリソースエレメント（番号ｐのリソースエレメントに加えて他の番号のリソースエレメント）に対して、式（２０）を適用して、複数の送信ストリーム間干渉電力を計算して、それらの送信ストリーム間干渉電力を平均してもよい。ステップ３において、所望データ信号電力推定部１６２は、複数のリソースエレメント（番号ｐのリソースエレメントに加えて他の番号のリソースエレメント）に対して、式（２１）を適用して、複数の所望データ信号電力を計算して、それらの所望データ信号電力を平均してもよい。ステップ４では、ＳＩＮＲ計算部５２は、平均の所望データ信号電力と、平均の干渉雑音電力と、平均の送信ストリーム間干渉電力から、信号対雑音干渉比を計算してよい。
【０１７７】
この実施の形態においては、ＣＲＳチャネルインパルス行列推定部１５０は、ＣＲＳの異なるリソースエレメントに対応する複数のチャネルインパルス行列を推定し、干渉雑音電力推定部１５６は、それらの複数のチャネルインパルス行列のそれぞれの一部である複数のチャネルインパルスベクトルに基づいて、干渉抑圧合成が実施される場合に想定される、干渉雑音電力を推定する。異なるリソースエレメントが、周波数方向に近く（近いサブキャリアであり）、時間方向に近い（近いＯＦＤＭシンボルである）場合には、それらのリソースエレメントについてのチャネル特性はほぼ同じであり、それらのリソースエレメントに由来する複数のチャネルインパルス行列の間の相違は干渉雑音に起因すると考えることができる。したがって、それらのリソースエレメントに由来する複数のチャネルインパルスベクトルに基づいて、高い精度で干渉雑音電力を推定することができる。このように誤差が少ない干渉雑音電力が推定されることにより、干渉抑圧合成が実施される場合に想定される信号対雑音干渉比（ＳＩＮＲ）を高い精度で計算することができる。
【０１７８】
計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【０１７９】
第１１の実施の形態
本発明の第１１の実施の形態に係る移動通信端末は、第１０の実施の形態と同じ構成を有する。第１０の実施の形態では、ステップ１において式（１９）が使用されるが、この実施の形態では、ステップ１において下記の式（２３）が使用される。つまり、干渉雑音電力推定部１５６は、下記の式（２３）に従って、各送信ストリームごとの干渉雑音電力
【数１１２】
2014115373.tif 000114
を計算する。
【数１１３】
2014115373.tif 000115
添字のｎは送信ストリームの番号を示す。
【０１８０】
式（２３）において、
【数１１４】
2014115373.tif 000116
は、干渉抑圧合成処理部３２で計算された、番号ｍ'を持つリソースエレメントのＣＲＳベクトルに基づいた干渉抑圧合成受信ウェイト行列
【数１１５】
2014115373.tif 000117
（Ｎstream×ＮＲＸ次元の行列）から各送信ストリームについて抽出される横ベクトル（ＮＲＸ次元）である。つまり、この横ベクトルは、干渉抑圧合成受信ウェイト行列の一部である干渉抑圧合成受信ウェイトベクトルである。添字のｎは送信ストリームの番号を示す。干渉抑圧合成受信ウェイト行列は、ＣＲＳベクトルと、送信ウェイト行列供給部１５８が供給する送信ウェイト行列に基づいて計算される。式（２３）の他の変数は、式（１９）に関連して上述した通りである。
【０１８１】
他の特徴は第１０の実施の形態と同じである。この実施の形態に係る移動通信端末の信号対雑音干渉比SINRnを計算するための動作を説明する。まず、干渉雑音電力推定部１５６は、上記の式（２３）に従って、各送信ストリームごとのリソースエレメント番号ｍに対応する干渉雑音電力を計算する（ステップ１）。次に、送信ストリーム間干渉電力推定部１６０は、上記の式（２０）に従って、各送信ストリームごとのリソースエレメント番号ｐに対応する送信ストリーム間干渉電力を計算する（ステップ２）。次に、所望データ信号電力推定部１６２は、上記の式（２１）に従って、各送信ストリームごとのリソースエレメント番号ｐに対応する所望データ信号電力を計算する（ステップ３）。さらに、ＳＩＮＲ計算部５２は、上記の式（２２）に従って、各送信ストリームごとの信号対雑音干渉比SINRnを計算する（ステップ４）。ここまでのステップ１〜ステップ４の処理は、上記の番号ｉを持つ送信ウェイト行列に対応する。
【０１８２】
ステップ４の終了後、送信ウェイト行列の番号ｉが１つ増加される。そして、送信ウェイト行列供給部１５８は、次の送信ウェイト行列（番号ｉ＋１）を供給する。次の送信ウェイト行列（番号ｉ＋１）について、ステップ１〜ステップ４の処理が繰り返される。コードブックに準備されているすべての送信ウェイト行列について、ステップ１〜ステップ４の処理が実行される。このようにして、コードブックに準備されているすべての送信ウェイト行列について、リソースエレメント番号ｍに対応する信号対雑音干渉比SINRnが計算される。これらの多数の信号対雑音干渉比SINRnのうち最大値（各送信ストリームごとに最大値がある）をＳＩＮＲ計算部５２はチャネル状態情報判定部５４に供給する。チャネル状態情報判定部５４は、ＳＩＮＲ計算部５２から出力された最大値の信号対雑音干渉比SINRnから、チャネル状態情報（ＣＳＩ）を判定する。また、最大値の信号対雑音干渉比SINRnに対応する送信ウェイト行列は、チャネル状態情報判定部５４がチャネル状態情報を判定する時に、使用される。また、その送信ウェイト行列に対応する干渉抑圧合成受信ウェイト行列を使用して、データ信号分離部３４は信号分離を行う。
【０１８３】
第１０の実施の形態と同様に、移動通信端末は、複数のリソースエレメントについての平均的な信号対雑音干渉比SINRnの最大値を計算して、その平均的な最大値を使用してチャネル状態情報を判定してもよい。
【０１８４】
第１２の実施の形態
図２０は本発明の第１２の実施の形態に係る移動通信端末の構成を示すブロック図である。図２０は、信号の受信に係る部分と信号の送信に係る部分のみを示し、他の部分の図示は省略する。図２０において、図１８と共通する構成要素を示すために同一の参照符号が使用され、これらの構成要素は詳しく説明しないことがある。
【０１８５】
図２０に示すように、各移動通信端末は、ＣＳＩ−ＲＳ（チャネル状態情報参照信号）ベクトル測定部１２６およびＣＳＩ−ＲＳ（チャネル状態情報参照信号）チャネルインパルス行列推定部１７０を備える。これらの構成要素は、移動通信端末の図示しないＣＰＵがコンピュータプログラムを実行し、そのコンピュータプログラムに従って機能することによって実現される機能ブロックである。
【０１８６】
第１０の実施の形態と同様に、ＣＲＳベクトル測定部２６（参照信号ベクトル測定部）は、所望基地局から送信されるＣＲＳのベクトルであるセル固有参照信号ベクトル（ＣＲＳベクトル）を測定する。第１０の実施の形態と同様に、干渉抑圧合成処理部３２は、ＣＲＳベクトル測定部２６で測定された参照信号ベクトル（ＣＲＳベクトル）と送信ウェイト行列供給部１５８が供給する送信ウェイト行列に基づいて、干渉抑圧合成受信ウェイト行列を計算する。
【０１８７】
第１０の実施の形態と同様に、ＣＲＳチャネルインパルス行列推定部１５０は、複数の受信アンテナ２０で受信される電波に由来する信号から、所望基地局から受信されるＣＲＳの異なるリソースエレメントに対応する２つのＮＲＸ×ＮＴＸ次元のチャネルインパルス行列（ＣＲＳチャネルインパルス行列）を推定する。第１０の実施の形態と同様に、干渉雑音電力推定部１５６は、上記の式（１９）に従って、各送信ストリームごとの干渉雑音電力を計算する。第１０の実施の形態と同様に、送信ウェイト行列供給部１５８は、所望基地局でのプリコーディングに使用されるべき送信ウェイト行列の候補（ＮＴＸ×Ｎstream次元の行列）を供給する。
【０１８８】
ＣＳＩ−ＲＳベクトル測定部１２６は、第１の実施の形態と同様に、所望基地局から送信されるＣＳＩ−ＲＳのベクトルであるチャネル状態情報参照信号ベクトル（ＣＳＩ−ＲＳベクトル）を測定する。
【０１８９】
ＣＳＩ−ＲＳチャネルインパルス行列推定部１７０は、複数の受信アンテナ２０で受信される電波に由来する信号から、所望基地局から受信されるＣＳＩ−ＲＳの任意のリソースエレメント（番号ｐを有する）に対応するＮＲＸ×ＮＴＸ次元のチャネルインパルス行列（ＣＳＩ−ＲＳチャネルインパルス行列）
【数１１６】
2014115373.tif 000118
を推定する。
【０１９０】
送信ストリーム間干渉電力推定部１６０は、干渉抑圧合成受信ウェイト行列の一部である干渉抑圧合成受信ウェイトベクトルと、ＣＳＩ−ＲＳチャネルインパルス行列推定部１７０で推定された１つのＣＳＩ−ＲＳチャネルインパルス行列と、送信ウェイト行列の候補から、干渉抑圧合成が実施される場合に想定される、送信ストリーム間干渉電力を推定する。すなわち、送信ストリーム間干渉電力推定部１６０は、下記の式（２４）に従って、各送信ストリームごとの送信ストリーム間干渉電力
【数１１７】
2014115373.tif 000119
を計算する。
【数１１８】
2014115373.tif 000120
添字のｎは送信ストリームの番号を示す。
【数１１９】
2014115373.tif 000121
については、第１０の実施の形態の式（２０）に関連して上述した通りである。
【０１９１】
所望データ信号電力推定部１６２は、干渉抑圧合成受信ウェイトベクトルと、ＣＳＩ−ＲＳチャネルインパルス行列推定部１７０で推定されたＣＳＩ−ＲＳチャネルインパルス行列と、送信ウェイト行列の候補から、干渉抑圧合成が実施される場合に想定される、所望データ信号電力を推定する。すなわち、所望データ信号電力推定部１６２は、下記の式（２５）に従って、各送信ストリームごとの所望データ信号電力
【数１２０】
2014115373.tif 000122
を計算する。
【数１２１】
2014115373.tif 000123
添字のｎは送信ストリームの番号を示す。
【数１２２】
2014115373.tif 000124
については、第１０の実施の形態の式（２１）に関連して上述した通りである。
【０１９２】
ＳＩＮＲ計算部５２は、所望データ信号電力推定部１６２で推定された所望データ信号電力と、干渉雑音電力推定部１５６で推定された干渉雑音電力と、送信ストリーム間干渉電力推定部１６０で推定された送信ストリーム間干渉電力から、干渉抑圧合成が実施される場合に想定される、信号対雑音干渉比を計算する。すなわち、ＳＩＮＲ計算部５２は、上記の式（２２）に従って、干渉抑圧合成が実施される場合に想定される、各送信ストリームごとの信号対雑音干渉比SINRnを計算すなわち推定する。
【０１９３】
他の特徴は第１０の実施の形態と同じである。この実施の形態に係る移動通信端末の信号対雑音干渉比SINRnを計算するための動作を説明する。まず、干渉雑音電力推定部１５６は、上記の式（１９）に従って、各送信ストリームごとのリソースエレメント番号ｍに対応する干渉雑音電力を計算する（ステップ１）。次に、送信ストリーム間干渉電力推定部１６０は、上記の式（２０）に従って、各送信ストリームごとのリソースエレメント番号ｐに対応する送信ストリーム間干渉電力を計算する（ステップ２）。次に、所望データ信号電力推定部１６２は、上記の式（２４）に従って、各送信ストリームごとのリソースエレメント番号ｐに対応する所望データ信号電力を計算する（ステップ３）。さらに、ＳＩＮＲ計算部５２は、上記の式（２５）に従って、各送信ストリームごとの信号対雑音干渉比SINRnを計算する（ステップ４）。ここまでのステップ１〜ステップ４の処理は、上記の番号ｉを持つ送信ウェイト行列に対応する。
【０１９４】
ステップ４の終了後、送信ウェイト行列の番号ｉが１つ増加される。そして、送信ウェイト行列供給部１５８は、次の送信ウェイト行列（番号ｉ＋１）を供給する。次の送信ウェイト行列（番号ｉ＋１）について、ステップ１〜ステップ４の処理が繰り返される。コードブックに準備されているすべての送信ウェイト行列について、ステップ１〜ステップ４の処理が実行される。このようにして、コードブックに準備されているすべての送信ウェイト行列について、リソースエレメント番号ｍに対応する信号対雑音干渉比SINRnが計算される。これらの多数の信号対雑音干渉比SINRnのうち最大値（各送信ストリームごとに最大値がある）をＳＩＮＲ計算部５２はチャネル状態情報判定部５４に供給する。チャネル状態情報判定部５４は、ＳＩＮＲ計算部５２から出力された最大値の信号対雑音干渉比SINRnから、チャネル状態情報（ＣＳＩ）を判定する。また、最大値の信号対雑音干渉比SINRnに対応する送信ウェイト行列は、チャネル状態情報判定部５４がチャネル状態情報を判定する時に、使用される。また、その送信ウェイト行列に対応する干渉抑圧合成受信ウェイト行列を使用して、データ信号分離部３４は信号分離を行う。
【０１９５】
第１０の実施の形態と同様に、移動通信端末は、複数のリソースエレメントについての平均的な信号対雑音干渉比SINRnの最大値を計算して、その平均的な最大値を使用してチャネル状態情報を判定してもよい。この実施の形態では、第１０の実施の形態と同様の効果を達成することができる。
【０１９６】
第１３の実施の形態
本発明の第１３の実施の形態に係る移動通信端末は、第１２の実施の形態と同じ構成を有する。第１２の実施の形態では、ステップ１において式（１９）が使用されるが、この実施の形態では、ステップ１において式（２３）（第１１の実施の形態に関連して上記）が使用される。
【０１９７】
他の特徴は第１２の実施の形態と同じである。この実施の形態に係る移動通信端末の信号対雑音干渉比SINRnを計算するための動作を説明する。まず、干渉雑音電力推定部１５６は、上記の式（２３）に従って、各送信ストリームごとのリソースエレメント番号ｍに対応する干渉雑音電力を計算する（ステップ１）。次に、送信ストリーム間干渉電力推定部１６０は、上記の式（２４）に従って、各送信ストリームごとのリソースエレメント番号ｐに対応する送信ストリーム間干渉電力を計算する（ステップ２）。次に、所望データ信号電力推定部１６２は、上記の式（２５）に従って、各送信ストリームごとのリソースエレメント番号ｐに対応する所望データ信号電力を計算する（ステップ３）。さらに、ＳＩＮＲ計算部５２は、上記の式（２２）に従って、各送信ストリームごとの信号対雑音干渉比SINRnを計算する（ステップ４）。ここまでのステップ１〜ステップ４の処理は、上記の番号ｉを持つ送信ウェイト行列に対応する。
【０１９８】
ステップ４の終了後、送信ウェイト行列の番号ｉが１つ増加される。そして、送信ウェイト行列供給部１５８は、次の送信ウェイト行列（番号ｉ＋１）を供給する。次の送信ウェイト行列（番号ｉ＋１）について、ステップ１〜ステップ４の処理が繰り返される。コードブックに準備されているすべての送信ウェイト行列について、ステップ１〜ステップ４の処理が実行される。このようにして、コードブックに準備されているすべての送信ウェイト行列について、リソースエレメント番号ｍに対応する信号対雑音干渉比SINRnが計算される。これらの多数の信号対雑音干渉比SINRnのうち最大値（各送信ストリームごとに最大値がある）をＳＩＮＲ計算部５２はチャネル状態情報判定部５４に供給する。チャネル状態情報判定部５４は、ＳＩＮＲ計算部５２から出力された最大値の信号対雑音干渉比SINRnから、チャネル状態情報（ＣＳＩ）を判定する。また、最大値の信号対雑音干渉比SINRnに対応する送信ウェイト行列は、チャネル状態情報判定部５４がチャネル状態情報を判定する時に、使用される。また、その送信ウェイト行列に対応する干渉抑圧合成受信ウェイト行列を使用して、データ信号分離部３４は信号分離を行う。
【０１９９】
第１０の実施の形態と同様に、移動通信端末は、複数のリソースエレメントについての平均的な信号対雑音干渉比SINRnの最大値を計算して、その平均的な最大値を使用してチャネル状態情報を判定してもよい。この実施の形態では、第１０の実施の形態と同様の効果を達成することができる。
【０２００】
上述した第７〜第９の実施の形態は、第１０〜第１３の実施の形態のいずれにも、組み合わせることが可能である。また、上述した第１０〜第１３の実施の形態ではコードブックを用いた送信プリコーディングシステムを例に挙げたが、移動通信端末で推定したCRSもしくはCSI-RSチャネルインパルス行列に基づいて、例えば特異値分解により算出した任意のプリコーディング行列を対象としてもよい。
【０２０１】
第１４の実施の形態
図２１は本発明の第１４の実施の形態に係る移動通信端末の構成を示すブロック図である。図２１は、信号の受信に係る部分と信号の送信に係る部分のみを示し、他の部分の図示は省略する。図２１において、図４（第１の実施の形態）と共通する構成要素を示すために同一の参照符号が使用され、これらの構成要素は詳しく説明しないことがある。
【０２０２】
図２１に示すように、各移動通信端末は、ＤＭ−ＲＳ（復調用参照信号）系列認識部２２５と、ＤＭ−ＲＳ（復調用参照信号）ベクトル測定部２２６とを備える。ＤＭ−ＲＳ系列認識部２２５およびＤＭ−ＲＳベクトル測定部２２６は、移動通信端末の図示しないＣＰＵがコンピュータプログラムを実行し、そのコンピュータプログラムに従って機能することによって実現される機能ブロックである。第１の実施の形態と異なり、この実施の形態に係る移動通信端末は、送信ウェイトベクトル推定部４８および所望データ信号電力推定部５０を有していない。
【０２０３】
ＤＭ−ＲＳ系列認識部２２５（参照信号系列認識部）は、制御信号認識部２４で認識された制御信号に示されたセルＩＤに基づいて、所望基地局から送信される復調用参照信号（ＤＭ−ＲＳ）の系列である復調用参照信号系列（ＤＭ−ＲＳ系列）
【数１２３】
2014115373.tif 000125
を認識する。具体的には、移動通信端末にとって既知のＤＭ−ＲＳ系列の群から、セルＩＤに対応するＤＭ−ＲＳ系列をＤＭ−ＲＳ系列認識部２２５は選択する。
【０２０４】
ＤＭ−ＲＳベクトル測定部２２６（参照信号ベクトル測定部）は、所望基地局から送信されるＤＭ−ＲＳのベクトルである復調用参照信号ベクトル（ＤＭ−ＲＳベクトル）
【数１２４】
2014115373.tif 000126
を測定する。ＤＭ−ＲＳベクトルは、ＮＲＸ次元のベクトルであり、ＮＲＸは移動通信端末の受信アンテナ２０の数である。
【０２０５】
干渉抑圧合成処理部３２は、ＤＭ−ＲＳベクトル測定部２２６で測定された参照信号ベクトル（ＤＭ−ＲＳベクトル）に基づいて、所望基地局から送信された電波の所望ビームに対する他のビームの影響を抑圧するように干渉抑圧合成受信ウェイト行列
【数１２５】
2014115373.tif 000127
を公知の手法で計算する。干渉抑圧合成受信ウェイト行列は、Ｎstream×ＮＲＸ次元の行列である。Ｎstreamは、所望基地局から当該移動通信端末に送信される送信レイヤ数である。
【０２０６】
データ信号分離部３４は、干渉抑圧合成処理部３２で計算された干渉抑圧合成受信ウェイト行列を用いて、無線受信部２２から出力される信号のうち、当該移動通信端末宛てのデータ信号を他の移動通信端末宛てのデータ信号から分離する。データ信号復調部３６は、データ信号分離部３４で分離された当該移動通信端末宛てのデータ信号の復調および復号を行い、データ信号を得る。
【０２０７】
全受信電力推定部３８は、干渉抑圧合成処理部３２で計算された干渉抑圧合成受信ウェイト行列と、ＤＭ−ＲＳベクトル測定部２２６で測定されたＤＭ−ＲＳベクトルから、干渉抑圧合成が実施される場合に想定される、全受信電力
【数１２６】
2014115373.tif 000128
を推定する。ここで全受信電力とは、ＤＭ−ＲＳベクトルから想定される所望信号電力と干渉電力と雑音電力の合計であり、送信ストリーム毎に推定される。添字のｎは送信ストリームの番号を示す。
【０２０８】
具体的には、全受信電力推定部３８は、下記の式（２６）に従って、Ｎstream次元の推定信号ベクトル
【数１２７】
2014115373.tif 000129
を計算する。
【数１２８】
2014115373.tif 000130
【０２０９】
次に、全受信電力推定部３８は、その推定信号ベクトルから各送信ストリームについて推定信号ｓnを抽出する。添字のｎは送信ストリームの番号を示す。そして、全受信電力推定部３８は、下記の式（２７）に従って、干渉抑圧合成が実施される場合に想定される、各送信ストリームごとの全受信電力
【数１２９】
2014115373.tif 000131
を計算する。
【数１３０】
2014115373.tif 000132
【０２１０】
チャネルインパルス行列推定部４０は、複数の受信アンテナ２０で受信される電波に由来する信号から、所望基地局から受信されるＤＭ−ＲＳのＮＲＸ×Ｎstream次元のチャネルインパルス行列
【数１３１】
2014115373.tif 000133
を推定する。具体的には、チャネルインパルス行列推定部４０は、ＤＭ−ＲＳベクトル測定部２２６で測定されたＤＭ−ＲＳベクトル
【数１３２】
2014115373.tif 000134
からそのチャネルインパルス行列を公知の手法で計算する。
【０２１１】
所望参照信号電力推定部４２は、下記の式（２８）に従って、干渉抑圧合成が実施される場合に想定される、各送信ストリームごとの所望参照信号電力
【数１３３】
2014115373.tif 000135
を計算すなわち推定する。
【数１３４】
2014115373.tif 000136
添字のｎは送信ストリームの番号を示す。
【０２１２】
式（２８）において、
【数１３５】
2014115373.tif 000137
は、干渉抑圧合成処理部３２で計算された干渉抑圧合成受信ウェイト行列
【数１３６】
2014115373.tif 000138
（Ｎstream×ＮＲＸ次元の行列）から各送信ストリームについて抽出される横ベクトルである。つまり、この横ベクトルは、干渉抑圧合成受信ウェイト行列の一部である干渉抑圧合成受信ウェイトベクトルである。添字のｎは送信ストリームの番号を示す。
【０２１３】
このように、所望参照信号電力推定部４２は、干渉抑圧合成処理部３２で計算された干渉抑圧合成受信ウェイト行列の一部である干渉抑圧合成受信ウェイトベクトルと、チャネルインパルス行列推定部４０で計算されたチャネルインパルス行列と、ＤＭ−ＲＳ系列認識部２２５で認識されたＤＭ−ＲＳ系列から、干渉抑圧合成が実施される場合に想定される、所望参照信号電力を推定する。この実施の形態では、所望参照信号電力推定部４２は、所望基地局からのＤＭ−ＲＳに基づいて所望参照信号電力を推定する。ＤＭ−ＲＳにはデータ信号と同様のプリコーディングが施されているので、所望参照信号電力推定部４２で推定された所望参照信号電力は所望データ信号電力であるとみなすことができる。
【０２１４】
干渉雑音電力推定部４６は、全受信電力から所望参照信号電力を減算することにより、干渉抑圧合成が実施される場合に想定される、ＤＭ−ＲＳに関する干渉雑音電力を推定する。すなわち、干渉雑音電力推定部４６は、下記の式（２９）に従って、各送信ストリームごとの干渉雑音電力
【数１３７】
2014115373.tif 000139
を計算する。
【数１３８】
2014115373.tif 000140
添字のｎは送信ストリームの番号を示す。
【０２１５】
ＳＩＮＲ計算部５２は、所望参照信号電力推定部４２で推定された所望参照信号電力（所望データ信号電力）と干渉雑音電力推定部４６で推定された干渉雑音電力から、干渉抑圧合成が実施される場合に想定される、信号対雑音干渉比を計算する。すなわち、ＳＩＮＲ計算部５２は、下記の式（３０）に従って、干渉抑圧合成が実施される場合に想定される、各送信ストリームごとの信号対雑音干渉比SINRnを計算すなわち推定する。
【数１３９】
2014115373.tif 000141
添字のｎは送信ストリームの番号を示す。
【０２１６】
チャネル状態情報判定部５４は、ＳＩＮＲ計算部５２で計算された信号対雑音干渉比SINRnから、チャネル状態情報（ＣＳＩ）を判定する。チャネル状態情報としては、上述したように、チャネル品質インジケータ（CQI）、プリコーディング行列インジケータ（PMI）、ランクインジケータ（RI）のセットが知られている。チャネル状態情報判定部５４は、公知の手法で、ＣＱＩ、ＰＭＩ、ＲＩを判定し、ＣＱＩ、ＰＭＩ、ＲＩを含むＣＳＩを示す信号を送信信号生成部５６に渡す。
【０２１７】
送信信号生成部５６は、無線送信部５８および送信アンテナ６０によって、ＣＳＩを示す信号を所望基地局に送信すなわちフィードバックする。つまり、送信信号生成部５６は、チャネル状態情報送信部として機能する。
【０２１８】
この実施の形態においては、干渉抑圧合成受信ウェイト行列とＤＭ−ＲＳベクトルから、干渉抑圧合成が実施される場合に想定される全受信電力が推定され、干渉抑圧合成受信ウェイトベクトルとチャネルインパルス行列とＤＭ−ＲＳ系列から、干渉抑圧合成が実施される場合に想定される所望参照信号電力が推定される。干渉抑圧合成が実施される場合に想定される干渉雑音電力は、この全受信電力とこの所望参照信号電力の差分である。干渉抑圧合成受信ウェイト行列とチャネルインパルス行列は推定されて得られるため誤差を含みうるが、ＤＭ−ＲＳ系列は移動通信端末が接続する所望基地局に応じた系列であり誤差を有しない。したがって、誤差が少ない干渉雑音電力が計算される。干渉雑音電力は頻繁に大きく変動するが、このように誤差が少ない干渉雑音電力が計算されることにより、干渉抑圧合成が実施される場合に想定される信号対雑音干渉比（ＳＩＮＲ）を高い精度で計算することができる。
【０２１９】
計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【０２２０】
この実施の形態では、ＤＭ−ＲＳベクトル測定部２２６が、参照信号ベクトルとして、復調用参照信号のベクトルである復調用参照信号ベクトル（ＤＭ−ＲＳベクトル）を測定し、全受信電力推定部３８は、ＤＭ−ＲＳベクトル測定部２２６で測定されたＤＭ−ＲＳベクトルに基づいて全受信電力を推定する。また、チャネルインパルス行列推定部４０は、ＤＭ−ＲＳベクトル測定部２２６で測定されたＤＭ−ＲＳベクトルに基づいてチャネルインパルス行列を推定し、所望参照信号電力推定部４２は、干渉抑圧合成受信ウェイトベクトルと、チャネルインパルス行列と、ＤＭ−ＲＳ系列認識部２２５で認識されたＤＭ−ＲＳ系列から、所望参照信号電力を推定する。干渉雑音電力は、この全受信電力とこの所望参照信号電力の差分である。
【０２２１】
図２のマッピングの例で示されるように、ＤＭ−ＲＳはＣＳＩ−ＲＳよりも高密度（短間隔）で送信されるので、干渉電力を含む全受信電力と所望参照信号電力の推定のために、ＤＭ−ＲＳベクトルおよびＤＭ−ＲＳ系列を使用することにより、正確な適時の干渉雑音電力の推定が可能である。
【０２２２】
第１の実施の形態では、所望参照信号電力推定部４２は、所望基地局からのＣＲＳに基づいて所望参照信号電力を推定する。推定された所望参照信号電力は所望データ信号電力であるとみなすことができないので、第１の実施の形態では、所望基地局でのプリコーディングに使用されるべき送信ウェイト行列の推定およびそれに基づいた所望データ信号電力の推定を行い、所望データ信号電力に基づいて、ＳＩＮＲ計算部５２は、信号対雑音干渉比を計算する。しかし、この実施の形態では、所望参照信号電力推定部４２は、所望基地局からのＤＭ−ＲＳに基づいて所望参照信号電力を推定する。ＤＭ−ＲＳにはデータ信号と同様のプリコーディングが施されているので、所望参照信号電力推定部４２で推定された所望参照信号電力は所望データ信号電力であるとみなすことができる。ＳＩＮＲ計算部５２は、所望参照信号電力推定部４２で推定された所望参照信号電力（所望データ信号電力）と干渉雑音電力推定部４６で推定された干渉雑音電力から、干渉抑圧合成が実施される場合に想定される、信号対雑音干渉比を計算する。したがって、この実施の形態では、所望基地局でのプリコーディングに使用されるべき送信ウェイト行列の推定およびそれに基づいた所望データ信号電力の推定は不要である。第１の実施の形態の送信ウェイトベクトル推定部４８および所望データ信号電力推定部５０は排除されうる。
【０２２３】
第１５の実施の形態
図２２は本発明の第１５の実施の形態に係る移動通信端末の構成を示すブロック図である。図２２は、信号の受信に係る部分と信号の送信に係る部分のみを示し、他の部分の図示は省略する。図２２において、図１８（第１０の実施の形態）と共通する構成要素を示すために同一の参照符号が使用され、これらの構成要素は詳しく説明しないことがある。
【０２２４】
図２２に示すように、各移動通信端末は、ＤＭ−ＲＳ（復調用参照信号）系列認識部２２５と、ＤＭ−ＲＳ（復調用参照信号）ベクトル測定部２２６と、復調用参照信号（ＤＭ−ＲＳ）チャネルインパルス行列推定部２５０を備える。これらの構成要素は、移動通信端末の図示しないＣＰＵがコンピュータプログラムを実行し、そのコンピュータプログラムに従って機能することによって実現される機能ブロックである。第１０の実施の形態と異なり、この実施の形態に係る移動通信端末は、送信ウェイト行列供給部１５８を有していない。
【０２２５】
ＤＭ−ＲＳ系列認識部２２５（参照信号系列認識部）は、制御信号認識部２４で認識された制御信号に示されたセルＩＤに基づいて、所望基地局から送信される復調用参照信号（ＤＭ−ＲＳ）の系列である復調用参照信号系列（ＤＭ−ＲＳ系列）
【数１４０】
2014115373.tif 000142
を認識する。具体的には、移動通信端末にとって既知のＤＭ−ＲＳ系列の群から、セルＩＤに対応するＤＭ−ＲＳ系列をＤＭ−ＲＳ系列認識部２２５は選択する。
【０２２６】
第１４の実施の形態と同様に、ＤＭ−ＲＳベクトル測定部２２６（参照信号ベクトル測定部）は、所望基地局から送信されるＤＭ−ＲＳのベクトルである復調用参照信号ベクトル（ＤＭ−ＲＳベクトル）を測定する。干渉抑圧合成処理部３２は、ＤＭ−ＲＳベクトル測定部２２６で測定された参照信号ベクトル（ＤＭ−ＲＳベクトル）に基づいて、干渉抑圧合成受信ウェイト行列を計算する。
【０２２７】
ＤＭ−ＲＳチャネルインパルス行列推定部２５０は、複数の受信アンテナ２０で受信される電波に由来する信号から、所望基地局から受信されるＤＭ−ＲＳの異なるリソースエレメントに対応する２つのＮＲＸ×Ｎstream次元のチャネルインパルス行列（ＤＭ−ＲＳチャネルインパルス行列）
【数１４１】
2014115373.tif 000143
を推定する。
【０２２８】
添字の「ｍ」、「ｍ’」について図２３を参照して説明する。図２３は、LTE Advancedでの下りリンク送信の１つのリソースブロックにおける各種信号のマッピングの例を示す。図２３に示すように、ＤＭ−ＲＳは、いくつかのサブキャリアの各々において、２つの連続したリソースエレメントで送信される（例えばリソースエレメントＲＥ１，ＲＥ２）。但し、２つの連続したリソースエレメントにおいて、先頭のリソースエレメントは送信レイヤ１に対応し、末尾のリソースエレメントは送信レイヤ２に対応する。例えばリソースエレメントＲＥ１，ＲＥ３は送信レイヤ１に対応し、リソースエレメントＲＥ２，ＲＥ４は送信レイヤ２に対応する。添字「ｍ」、「ｍ’」は、１つの送信レイヤに対応する異なるリソースエレメントＲＥの番号を示す。例えば、添字「ｍ」は図２３のリソースエレメントＲＥ１の番号であり、添字「ｍ’」は図２３のリソースエレメントＲＥ３の番号である。添字「ｍ」は図２３のリソースエレメントＲＥ２の番号であってもよく、添字「ｍ’」は図２３のリソースエレメントＲＥ４の番号であってもよい。使用されるリソースエレメントは、図示の例に限られないが、同じ周波数（同じサブキャリア）であり、なるべく時間方向に近い（近いＯＦＤＭシンボルである）リソースエレメントである。
【０２２９】
干渉雑音電力推定部１５６は、干渉抑圧合成処理部３２で得られた干渉抑圧合成受信ウェイト行列と、ＤＭ−ＲＳチャネルインパルス行列推定部２５０で得られた複数のチャネルインパルス行列のそれぞれの一部である複数のチャネルインパルスベクトルから、干渉抑圧合成が実施される場合に想定される、干渉雑音電力を推定する。すなわち、干渉雑音電力推定部１５６は、下記の式（３１）に従って、各送信ストリームごとの干渉雑音電力
【数１４２】
2014115373.tif 000144
を計算する。
【数１４３】
2014115373.tif 000145
添字のｎは送信ストリームの番号を示す。
【０２３０】
【数１４４】
2014115373.tif 000146
は、干渉抑圧合成処理部３２で計算された、番号ｍを持つリソースエレメントのＤＭ−ＲＳベクトルに基づいた干渉抑圧合成受信ウェイト行列
【数１４５】
2014115373.tif 000147
（Ｎstream×ＮＲＸ次元の行列）から各送信ストリームについて抽出される横ベクトル（ＮＲＸ次元）である。つまり、この横ベクトルは、干渉抑圧合成受信ウェイト行列の一部である干渉抑圧合成受信ウェイトベクトルである。添字のｎは送信ストリームの番号を示す。干渉抑圧合成受信ウェイト行列は、ＤＭ−ＲＳベクトルに基づいて計算される。
【０２３１】
【数１４６】
2014115373.tif 000148
は、ＤＭ−ＲＳチャネルインパルス行列推定部２５０で計算されたＤＭ−ＲＳチャネルインパルス行列
【数１４７】
2014115373.tif 000149
（ＮＲＸ×Ｎstream次元の行列）からアンテナポート番号「ａ」ごとに抽出される縦ベクトル（ＮＲＸ次元）である。つまり、この縦ベクトルは、ＤＭ−ＲＳチャネルインパルス行列の一部であるチャネルインパルスベクトルである。ＤＭ−ＲＳは、基地局（セル）の複数の送信アンテナポートから送信される。添字の「ａ」は、ＤＭ−ＲＳが送信される基地局のアンテナポートの番号を示す。「ａ」は１か２である。
【０２３２】
【数１４８】
2014115373.tif 000150
は、ＤＭ−ＲＳチャネルインパルス行列推定部２５０で計算されたＤＭ−ＲＳチャネルインパルス行列
【数１４９】
2014115373.tif 000151
（ＮＲＸ×Ｎstream次元の行列）からアンテナポート番号「ａ」ごとに抽出される縦ベクトル（ＮＲＸ次元）である。つまり、この縦ベクトルは、ＤＭ−ＲＳチャネルインパルス行列の一部であるチャネルインパルスベクトルである。
【０２３３】
送信ストリーム間干渉電力推定部１６０は、干渉抑圧合成受信ウェイト行列の一部である干渉抑圧合成受信ウェイトベクトルと、ＤＭ−ＲＳチャネルインパルス行列推定部２５０で推定された１つのＤＭ−ＲＳチャネルインパルス行列から、干渉抑圧合成が実施される場合に想定される、所望基地局から送信される送信ストリーム間干渉電力を推定する。すなわち、送信ストリーム間干渉電力推定部１６０は、下記の式（３２）に従って、各送信ストリームごとの送信ストリーム間干渉電力
【数１５０】
2014115373.tif 000152
を計算する。
【数１５１】
2014115373.tif 000153
添字のｎは送信ストリームの番号を示す。
【０２３４】
【数１５２】
2014115373.tif 000154
は、干渉抑圧合成処理部３２で計算された、任意の番号ｐを持つリソースエレメントのＤＭ−ＲＳベクトルに基づいた干渉抑圧合成受信ウェイト行列（Ｎstream×ＮＲＸ次元の行列）から各送信ストリームについて抽出されるＮＲＸ次元の横ベクトル（干渉抑圧合成受信ウェイトベクトル）である。
【０２３５】
【数１５３】
2014115373.tif 000155
は、任意の番号ｐを持つリソースエレメントのＤＭ−ＲＳベクトルに対応するＤＭ−ＲＳチャネルインパルス行列推定部２５０で計算されたＤＭ−ＲＳチャネルインパルス行列である。
【０２３６】
所望データ信号電力推定部１６２は、干渉抑圧合成受信ウェイトベクトルと、ＤＭ−ＲＳチャネルインパルス行列推定部２５０で推定された１つのＤＭ−ＲＳチャネルインパルス行列と、ＤＭ−ＲＳ系列認識部２２５で認識されたＤＭ−ＲＳ系列）から、干渉抑圧合成が実施される場合に想定される、所望データ信号電力を推定する。すなわち、所望データ信号電力推定部１６２は、下記の式（３３）に従って、各送信ストリームごとの所望データ信号電力
【数１５４】
2014115373.tif 000156
を計算する。
【数１５５】
2014115373.tif 000157
添字のｎは送信ストリームの番号を示す。
【０２３７】
ＳＩＮＲ計算部５２は、所望データ信号電力推定部１６２で推定された所望データ信号電力と、干渉雑音電力推定部１５６で推定された干渉雑音電力と、送信ストリーム間干渉電力推定部１６０で推定された送信ストリーム間干渉電力から、干渉抑圧合成が実施される場合に想定される、信号対雑音干渉比を計算する。すなわち、ＳＩＮＲ計算部５２は、下記の式（３４）に従って、干渉抑圧合成が実施される場合に想定される、各送信ストリームごとの信号対雑音干渉比SINRnを計算すなわち推定する。
【数１５６】
2014115373.tif 000158
添字のｎは送信ストリームの番号を示す。
【０２３８】
この実施の形態に係る移動通信端末の信号対雑音干渉比SINRnを計算するための動作を説明する。まず、干渉雑音電力推定部１５６は、上記の式（３１）に従って、各送信ストリームごとのリソースエレメント番号ｍに対応する干渉雑音電力を計算する（ステップ１）。次に、送信ストリーム間干渉電力推定部１６０は、上記の式（３２）に従って、各送信ストリームごとのリソースエレメント番号ｐに対応する送信ストリーム間干渉電力を計算する（ステップ２）。次に、所望データ信号電力推定部１６２は、上記の式（３３）に従って、各送信ストリームごとのリソースエレメント番号ｐに対応する所望データ信号電力を計算する（ステップ３）。さらに、ＳＩＮＲ計算部５２は、上記の式（３４）に従って、各送信ストリームごとの信号対雑音干渉比SINRnを計算する（ステップ４）。
【０２３９】
ステップ４の終了後、チャネル状態情報判定部５４は、ＳＩＮＲ計算部５２から出力された信号対雑音干渉比SINRnから、チャネル状態情報（ＣＳＩ）を判定する。
【０２４０】
以上の動作で得られる信号対雑音干渉比SINRnは特定のリソースエレメント（番号ｍを有する）と特定のリソースエレメント（番号ｐを有する）に対応する。移動通信端末は、複数のリソースエレメントについての平均的な信号対雑音干渉比SINRnを計算して、その平均的な信号対雑音干渉比SINRnを使用してチャネル状態情報を判定してもよい。例えば、ステップ１において、複数のリソースエレメント（番号ｍのリソースエレメントに加えて他の番号のリソースエレメント）に対して、干渉雑音電力推定部１５６は、式（３１）を適用して、複数の干渉雑音電力を計算して、それらの干渉雑音電力を平均してもよい。ステップ２において、送信ストリーム間干渉電力推定部１６０は、複数のリソースエレメント（番号ｐのリソースエレメントに加えて他の番号のリソースエレメント）に対して、式（３２）を適用して、複数の送信ストリーム間干渉電力を計算して、それらの送信ストリーム間干渉電力を平均してもよい。ステップ３において、所望データ信号電力推定部１６２は、複数のリソースエレメント（番号ｐのリソースエレメントに加えて他の番号のリソースエレメント）に対して、式（３３）を適用して、複数の所望データ信号電力を計算して、それらの所望データ信号電力を平均してもよい。ステップ４では、ＳＩＮＲ計算部５２は、平均の所望データ信号電力と、平均の干渉雑音電力と、平均の送信ストリーム間干渉電力から、信号対雑音干渉比を計算してよい。
【０２４１】
この実施の形態においては、ＤＭ−ＲＳチャネルインパルス行列推定部２５０は、ＤＭ−ＲＳの異なるリソースエレメントに対応する複数のチャネルインパルス行列を推定し、干渉雑音電力推定部１５６は、それらの複数のチャネルインパルス行列のそれぞれの一部である複数のチャネルインパルスベクトルに基づいて、干渉抑圧合成が実施される場合に想定される、干渉雑音電力を推定する。異なるリソースエレメントが、同じ周波数（同じサブキャリア）であり、時間方向に近い（近いＯＦＤＭシンボルである）場合には、それらのリソースエレメントについてのチャネル特性はほぼ同じであり、それらのリソースエレメントに由来する複数のチャネルインパルス行列の間の相違は干渉雑音に起因すると考えることができる。したがって、それらのリソースエレメントに由来する複数のチャネルインパルスベクトルに基づいて、高い精度で干渉雑音電力を推定することができる。このように誤差が少ない干渉雑音電力が推定されることにより、干渉抑圧合成が実施される場合に想定される信号対雑音干渉比（ＳＩＮＲ）を高い精度で計算することができる。
【０２４２】
計算されたSINRが高い精度を有するため、高い精度のSINRに基づいて決定されたチャネル品質情報に応じて、基地局は適切な適応変調およびユーザスケジューリングを実行することができ、高い精度のSINRに基づいて決定されたチャネル状態情報に応じて、基地局は適切なプリコーディングを実行することができる。また、計算されたSINRが高い精度を有するため、そのSINRをハンドオーバの指標として使用すると、適切なハンドオーバが行われうる。
【０２４３】
第１０の実施の形態では、所望基地局からのＣＲＳに基づいて各種の処理が行われる。ＣＲＳにはデータ信号と同様のプリコーディングが施されていないので、第１０の実施の形態では、所望基地局でのプリコーディングに使用されるべき送信ウェイト行列の候補を用いて所望データ信号電力の推定を行い、所望データ信号電力に基づいて、ＳＩＮＲ計算部５２は信号対雑音干渉比を計算する。そして、複数の送信ウェイト行列の候補について、信号対雑音干渉比を計算する処理が繰り返され、最大の信号対雑音干渉比が選択される。しかし、この実施の形態では、所望基地局からのＤＭ−ＲＳに基づいて各種の処理が行われる。ＤＭ−ＲＳにはデータ信号と同様のプリコーディングが施されているので、容易に所望データ信号電力が計算される。複数の送信ウェイト行列の候補について、信号対雑音干渉比を計算する処理の繰り返しは不要である。第１０の実施の形態の送信ウェイト行列供給部１５８は排除されうる。
【０２４４】
第１６の実施の形態
本発明の第１６の実施の形態に係る移動通信端末は、第１５の実施の形態と同じ構成を有する。第１５の実施の形態では、ステップ１において式（３１）が使用されるが、この実施の形態では、ステップ１において下記の式（３５）が使用される。つまり、干渉雑音電力推定部１５６は、下記の式（３５）に従って、各送信ストリームごとの干渉雑音電力
【数１５７】
2014115373.tif 000159
を計算する。
【数１５８】
2014115373.tif 000160
添字のｎは送信ストリームの番号を示す。
【０２４５】
式（３５）において、
【数１５９】
2014115373.tif 000161
は、干渉抑圧合成処理部３２で計算された、番号ｍ'を持つリソースエレメントのＤＭ−ＲＳベクトルに基づいた干渉抑圧合成受信ウェイト行列
【数１６０】
2014115373.tif 000162
（Ｎstream×ＮＲＸ次元の行列）から各送信ストリームについて抽出される横ベクトル（ＮＲＸ次元）である。つまり、この横ベクトルは、干渉抑圧合成受信ウェイト行列の一部である干渉抑圧合成受信ウェイトベクトルである。添字のｎは送信ストリームの番号を示す。干渉抑圧合成受信ウェイト行列は、ＤＭ−ＲＳベクトルに基づいて計算される。式（３５）の他の変数は、式（３１）に関連して上述した通りである。
【０２４６】
他の特徴は第１５の実施の形態と同じである。この実施の形態に係る移動通信端末の信号対雑音干渉比SINRnを計算するための動作を説明する。まず、干渉雑音電力推定部１５６は、上記の式（３５）に従って、各送信ストリームごとのリソースエレメント番号ｍに対応する干渉雑音電力を計算する（ステップ１）。次に、送信ストリーム間干渉電力推定部１６０は、上記の式（３２）に従って、各送信ストリームごとのリソースエレメント番号ｐに対応する送信ストリーム間干渉電力を計算する（ステップ２）。次に、所望データ信号電力推定部１６２は、上記の式（３３）に従って、各送信ストリームごとのリソースエレメント番号ｐに対応する所望データ信号電力を計算する（ステップ３）。さらに、ＳＩＮＲ計算部５２は、上記の式（３４）に従って、各送信ストリームごとの信号対雑音干渉比SINRnを計算する（ステップ４）。
【０２４７】
ステップ４の終了後、チャネル状態情報判定部５４は、ＳＩＮＲ計算部５２から出力された最大値の信号対雑音干渉比SINRnから、チャネル状態情報（ＣＳＩ）を判定する。
【０２４８】
第１５の実施の形態と同様に、移動通信端末は、複数のリソースエレメントについての平均的な信号対雑音干渉比SINRnの最大値を計算して、その平均的な最大値を使用してチャネル状態情報を判定してもよい。この実施の形態では、第１５の実施の形態と同様の効果を達成することができる。
【０２４９】
上述した第７〜第９の実施の形態は、第１４〜第１６の実施の形態のいずれにも、組み合わせることが可能である。
【０２５０】
第１７の実施の形態
第１７の実施の形態に係る移動通信端末は、上記の第１〜第６の実施の形態、第１０〜第１６の実施の形態のいずれかで得られた高い精度の信号対雑音干渉比を用いて、逐次干渉キャンセル（ＳＩＣ）を実行する。
【０２５１】
図２４は、本発明の第１７の実施の形態に係る移動通信端末の構成の一部を示すブロック図である。第１７の実施の形態に係る移動通信端末は、上記の第１〜第６の実施の形態、第１０〜第１６の実施の形態のいずれかとほぼ同じ構成を有し、さらに、キャンセル順番決定部３００、ＳＩＣ部（逐次干渉キャンセル部）３０２、メモリ３１０、データ信号合成分離部３３４およびデータ信号復調部３３６を有する。図２４には、上記の実施の形態の構成要素のうち、無線受信部２２、ＳＩＮＲ計算部５２および干渉抑圧合成処理部３２のみが示されている。上記の実施の形態の構成要素のうち、データ信号分離部３４およびデータ信号復調部３６は不要である。
【０２５２】
ＳＩＣ部３０２は、干渉基地局からの干渉データ信号を復調することにより干渉レプリカを生成し、複数の受信アンテナ２０で受信される電波に由来し無線受信部２２から出力される受信信号から干渉レプリカをキャンセルすることにより、所望基地局からの所望データ信号を抽出する。より具体的には、ＳＩＣ部３０２は、所望データ信号か干渉データ信号かにかかわらず、高いＳＩＮＲを有するデータ信号を先に復調することにより、データ信号レプリカを生成し、復調で生成されたデータ信号レプリカを受信信号（所望データ信号と干渉データ信号が混合されている）からキャンセルすることを繰り返す。そして、すべてのデータ信号が復調されてすべての干渉レプリカが得られると、ＳＩＣ部３０２は、すべての干渉レプリカを受信信号からキャンセルすることにより、所望データ信号を抽出する。復調されたデータ信号レプリカが、所望データ信号のレプリカであるか、干渉データ信号のレプリカであるかは、基地局から送信される制御信号のセルＩＤにより判断することができる。
【０２５３】
無線受信部２２から出力される受信信号は、ＳＩＣ部３０２でのＳＩＣ動作のためにメモリ３１０に記憶される。また、ＳＩＣ部３０２で得られる干渉レプリカなどの計算結果もメモリ３１０に記憶される。
【０２５４】
ＳＩＣ部３０２でのデータ信号の復調とキャンセルの順序を決定するために、所望データ信号のＳＩＮＲおよび干渉データ信号のＳＩＮＲが使用される。この目的のため、ＳＩＮＲ計算部５２は、所望データ信号に対して干渉抑圧合成が実施される場合に想定されるＳＩＮＲだけでなく、干渉データ信号に対して干渉抑圧合成が実施される場合に想定されるＳＩＮＲを計算する。上記の他の実施の形態では、ＳＩＮＲ計算部５２は、所望データ信号に対して干渉抑圧合成が実施される場合に想定されるＳＩＮＲを計算するが、この実施の形態では、干渉データ信号に対して干渉抑圧合成が実施される場合に想定されるＳＩＮＲも計算する。
【０２５５】
干渉データ信号に対する干渉抑圧合成とは、実際の干渉データ信号を所望データ信号であると仮定し、実際の所望データ信号を干渉データ信号であると仮定して実行される干渉抑圧合成である。このため、図２４に示されていない構成要素も、実際の干渉基地局からの信号を所望基地局からの信号として取り扱う。この実施の形態が図２１に示された第１４の実施の形態を基礎とする場合には、ＤＭ−ＲＳ系列認識部２２５は、干渉基地局から送信されるＤＭ−ＲＳの系列を認識し、ＤＭ−ＲＳベクトル測定部２２６は、干渉基地局から送信されるＤＭ−ＲＳベクトルを測定する。干渉抑圧合成処理部３２は、干渉基地局のＤＭ−ＲＳベクトルに基づいて、干渉基地局から送信された電波の干渉ビームに対する他のビーム（実際の所望ビームを含む）の影響を抑圧するように干渉抑圧合成受信ウェイト行列を計算する。全受信電力推定部３８は、干渉抑圧合成処理部３２で計算された干渉抑圧合成受信ウェイト行列と、ＤＭ−ＲＳベクトル測定部２２６で測定されたＤＭ−ＲＳベクトルから、干渉データ信号に対して干渉抑圧合成が実施される場合に想定される、干渉基地局からの全受信電力を推定し、チャネルインパルス行列推定部４０は、干渉基地局から受信されるＤＭ−ＲＳのチャネルインパルス行列を推定する。所望参照信号電力推定部４２は、干渉データ信号に対して干渉抑圧合成が実施される場合に想定される、各送信ストリームごとの参照信号電力（干渉基地局からのＤＭ−ＲＳの電力）を計算すなわち推定する。干渉基地局からのＤＭ−ＲＳの電力は干渉データ信号電力であるとみなすことができる。干渉雑音電力推定部４６は、干渉基地局からの全受信電力から干渉基地局からの参照信号電力を減算することにより、干渉データ信号に対して干渉抑圧合成が実施される場合に想定される、干渉基地局からのＤＭ−ＲＳに対する干渉雑音電力を推定する。ＳＩＮＲ計算部５２は、所望参照信号電力推定部４２で推定された参照信号電力（干渉データ信号電力）と干渉雑音電力推定部４６で推定された干渉雑音電力から、干渉データ信号に対して干渉抑圧合成が実施される場合に想定される、信号対雑音干渉比を計算する。
【０２５６】
この実施の形態が、第１４の実施の形態以外の他の実施の形態を基礎とする場合にも、同様にして、実際の干渉基地局からの信号を所望基地局からの信号として取り扱う。詳細については説明を省略するが、当業者であれば理解できる。
【０２５７】
キャンセル順番決定部３００は、ＳＩＮＲ計算部５２で計算された所望データ信号に関するＳＩＮＲと、干渉データ信号に関するＳＩＮＲに基づいて、ＳＩＣ部３０２でのデータ信号の復調とキャンセルの順序を決定する。ＳＩＣ部３０２は、キャンセル順番決定部３００で決定された順序に従って、データ信号の復調とキャンセルを実行する。ＳＩＣ部３０２でのＳＩＣ動作においては、干渉抑圧合成処理部３２で生成される所望データ信号のための干渉抑圧合成受信ウェイト行列および干渉データ信号のための干渉抑圧合成受信ウェイト行列が使用される。
【０２５８】
データ信号合成分離部３３４は、ＳＩＣ部３０２から出力される所望データ信号の合成または分離処理を行う。具体的には、所望データ信号の送信ストリーム数が１であれば信号合成を行い、所望データ信号の送信ストリーム数が２であれば信号分離を行う。合成または分離処理においては、干渉抑圧合成処理部３２で生成される、所望データ信号のための干渉抑圧合成受信ウェイト行列が使用される。データ信号復調部３３６は、データ信号合成分離部３３４から出力された当該移動通信端末宛てのデータ信号の復調および復号を行い、データ信号を得る。
【０２５９】
次に、この移動通信端末の動作を具体的に説明する。説明の便宜上、移動通信端末は２つの干渉基地局（以下、第１の干渉基地局および第２の干渉基地局と呼ぶ）から干渉信号を受信すると想定する。
【０２６０】
まず、無線受信部２２から出力される受信信号がメモリ３１０に記憶される。次に、移動通信端末は、各基地局に対してチャネル推定を実行し、チャネル推定結果から干渉抑圧合成処理部３２は、各基地局に対する干渉抑圧合成受信ウェイト行列を計算する。
【０２６１】
また、ＳＩＮＲ計算部５２は各基地局に関するＳＩＮＲを計算する。キャンセル順番決定部３００は、これらの基地局に関するＳＩＮＲに基づいて、高いＳＩＮＲを有するデータ信号が先に復調およびキャンセルされるように、ＳＩＣ部３０２でのデータ信号の復調とキャンセルの順序を決定し、ＳＩＣ部３０２は、キャンセル順番決定部３００で決定された順序に従って、データ信号の復調とキャンセルを実行する。
【０２６２】
例えば、所望データ信号のＳＩＮＲが最高であり、第１の干渉基地局からの第１の干渉データ信号のＳＩＮＲが次に高く、第２の干渉基地局からの第２の干渉データ信号のＳＩＮＲが最低であると仮定する。この場合には、ＳＩＮＲが最高である所望データ信号が最初に復調およびキャンセルされる。ＳＩＣ部３０２は、干渉抑圧合成処理部３２で生成される所望データ信号のための干渉抑圧合成受信ウェイト行列で受信信号を重み付けし、重み付けされた信号から所望データ信号を復調して、所望データ信号のレプリカを生成する。そして、ＳＩＣ部３０２は、メモリ３１０に記憶された受信信号から所望データ信号のレプリカをキャンセルし、キャンセル結果をメモリ３１０に記憶する。
【０２６３】
ＳＩＮＲが次に高い第１の干渉データ信号が次に復調およびキャンセルされる。ＳＩＣ部３０２は、干渉抑圧合成処理部３２で生成される第１の干渉データ信号のための干渉抑圧合成受信ウェイト行列で、メモリ３１０に記憶されたキャンセル結果を重み付けし、重み付けされたキャンセル結果から第１の干渉データ信号を復調して、第１の干渉データ信号のレプリカを生成する。そして、ＳＩＣ部３０２は、メモリ３１０に記憶されたキャンセル結果から第１の干渉データ信号のレプリカをキャンセルし、キャンセル結果（第２の干渉データ信号に対応する）と、第１の干渉データ信号のレプリカをメモリ３１０に記憶する。
【０２６４】
ＳＩＮＲが最低である第２の干渉データ信号が次に復調およびキャンセルされる。ＳＩＣ部３０２は、干渉抑圧合成処理部３２で生成される第２の干渉データ信号のための干渉抑圧合成受信ウェイト行列で、メモリ３１０に記憶されたキャンセル結果（第２の干渉データ信号に対応する）を重み付けし、重み付けされたキャンセル結果から第２の干渉データ信号を復調して、第２の干渉データ信号のレプリカを生成する。そして、ＳＩＣ部３０２は、第２の干渉データ信号のレプリカをメモリ３１０に記憶する。
【０２６５】
このようにして第１の干渉データ信号のレプリカと第２の干渉データ信号のレプリカが得られる。ＳＩＣ部３０２は、第１の干渉データ信号のレプリカと第２の干渉データ信号のレプリカを、メモリ３１０に記憶された受信信号からキャンセルし、これにより所望データ信号を抽出する。
【０２６６】
データ信号合成分離部３３４は、所望データ信号の合成または分離処理を行い、データ信号復調部３３６は、データ信号の復調および復号を行い、データ信号を得る。
【０２６７】
移動通信端末が所望セルの境界付近にあるため第１の干渉基地局からの第１の干渉データ信号のＳＩＮＲが最高であり、所望データ信号のＳＩＮＲが次に高い場合には、第１の干渉データ信号が最初に復調およびキャンセルされて、第１の干渉データ信号のレプリカが最初に生成される。次に、所望データ信号が最初に復調およびキャンセルされて、所望データ信号のレプリカが生成される。いずれにせよ、すべてのデータ信号が復調されてすべての干渉レプリカが得られると、ＳＩＣ部３０２は、すべての干渉レプリカを受信信号からキャンセルすることにより、所望データ信号を抽出する。
【０２６８】
この実施の形態では、各データ信号についてＳＩＮＲ計算部５２で計算される高い精度の信号対雑音干渉比を用いるので、適切な順番でデータ信号の復調およびキャンセルが実行される。また、この実施の形態では、ＳＩＣ部３０２が一旦所望データ信号を復調しても、すべての干渉データ信号のレプリカが得られるまで、干渉データ信号の復調が行われ、受信信号からすべての干渉データ信号のレプリカをキャンセルすることで所望データ信号を抽出する。したがって、抽出される所望データ信号の精度が高い。
【０２６９】
第１８の実施の形態
図２５は、本発明の第１８の実施の形態に係る移動通信端末の構成の一部を示すブロック図である。第１８の実施の形態に係る移動通信端末は、上記の第１７の実施の形態とほぼ同じ構成を有し、さらに、受信信号品質判定部７０および補正部７２を有する。図２５において、図２４と共通する構成要素を示すために同一の参照符号が使用され、これらの構成要素は詳しく説明しない。
【０２７０】
受信信号品質判定部７０および補正部７２は、上記の第７の実施の形態〜第９の実施の形態の補正部７２と同じである。すなわち、補正部７２は、受信信号品質判定部７０で測定または計算された受信信号品質に基づいて、ＳＩＮＲ計算部５２で計算されたＳＩＮＲを補正して、補正されたＳＩＮＲをキャンセル順番決定部３００に供給する。第１７の実施の形態と同様に、ＳＩＮＲ計算部５２は、所望データ信号に対して干渉抑圧合成が実施される場合に想定されるＳＩＮＲだけでなく、干渉データ信号に対して干渉抑圧合成が実施される場合に想定されるＳＩＮＲを計算する。補正部７２は、これらのＳＩＮＲを補正して、補正されたＳＩＮＲをキャンセル順番決定部３００に供給する。
【０２７１】
あるいは、補正部７２は、受信信号品質判定部７０で測定または計算された受信信号品質に基づいて、干渉雑音電力推定部４６（例えば図１５参照）で推定された干渉雑音電力を補正して、補正された干渉雑音電力をＳＩＮＲ計算部５２に供給してもよい。この場合、干渉雑音電力推定部４６は、所望データ信号にとっての干渉雑音電力だけでなく、干渉データ信号にとっての干渉雑音電力を計算する。補正部７２は、これらの干渉雑音電力を補正して、補正された干渉雑音電力をＳＩＮＲ計算部５２に供給する。ＳＩＮＲ計算部５２は、所望データ信号に対して干渉抑圧合成が実施される場合に想定されるＳＩＮＲだけでなく、干渉データ信号に対して干渉抑圧合成が実施される場合に想定されるＳＩＮＲを計算する。
【０２７２】
いずれの場合にせよ、この実施の形態では、上記の第７の実施の形態〜第９の実施の形態に関連して説明した理由と同じ理由により、さらに高い精度のＳＩＮＲを計算することができる。この実施の形態では、第１７の実施の形態と同様の効果を達成することができる。また、より高い精度のＳＩＮＲを用いて、キャンセル順番決定部３００がデータ信号の復調およびキャンセルの順序を決定するので、より適切な順番でデータ信号の復調およびキャンセルが実行される。
【０２７３】
他の変形
移動通信端末において、ＣＰＵが実行する各機能は、ＣＰＵの代わりに、ハードウェアで実行してもよいし、例えばFPGA（Field Programmable Gate Array）、DSP（Digital Signal Processor）等のプログラマブルロジックデバイスで実行してもよい。
【０２７４】
上記の実施の形態および変形は、矛盾しない限り、組み合わせてもよい。
【符号の説明】
【０２７５】
１，２，３，４  基地局、１ａ，２ａ，３ａ，４ａ  セルエリア、
１０  移動通信端末、２０  受信アンテナ、
２２  無線受信部、２４  制御信号認識部、
２５  セル固有参照信号（ＣＲＳ）系列認識部（参照信号系列認識部）、
２６  セル固有参照信号（ＣＲＳ）ベクトル測定部（参照信号ベクトル測定部）、
３２  干渉抑圧合成処理部、３４  データ信号分離部、
３６  データ信号復調部、３８  全受信電力推定部、
４０  チャネルインパルス行列推定部、４２  所望参照信号電力推定部、
４６  干渉雑音電力推定部、４８  送信ウェイトベクトル推定部、
５０  所望データ信号電力推定部、５２  信号対雑音干渉比（ＳＩＮＲ）計算部、
５４  チャネル状態情報判定部、５６  送信信号生成部（チャネル状態情報送信部）、
５８  無線送信部、６０  送信アンテナ、
７０  受信信号品質判定部、７２  補正部、
１２５  ＣＳＩ−ＲＳ（チャネル状態情報参照信号）系列認識部（参照信号系列認識部）、
１２６  ＣＳＩ−ＲＳベクトル測定部（参照信号ベクトル測定部）、
１３８  全受信信号成分推定部、１４２  所望参照信号成分推定部、
１５０  セル固有参照信号（ＣＲＳ）チャネルインパルス行列推定部、
１５６  干渉雑音電力推定部、１５８  送信ウェイト行列供給部、
１６０  送信ストリーム間干渉電力推定部、１６２  所望データ信号電力推定部、
１７０  ＣＳＩ−ＲＳ（チャネル状態情報参照信号）チャネルインパルス行列推定部、
２２５  ＤＭ−ＲＳ（復調用参照信号）系列認識部（参照信号系列認識部）、
２２６  ＤＭ−ＲＳベクトル測定部（参照信号ベクトル測定部）、
２５０  復調用参照信号（ＤＭ−ＲＳ）チャネルインパルス行列推定部、
３００  キャンセル順番決定部、
３０２  ＳＩＣ部（逐次干渉キャンセル部）、
３３４  データ信号合成分離部、
３３６  データ信号復調部。
【図１】
2014115373.tif 000163
【図２】
2014115373.tif 000164
【図３】
2014115373.tif 000165
【図４】
2014115373.tif 000166
【図５】
2014115373.tif 000167
【図６】
2014115373.tif 000168
【図７】
2014115373.tif 000169
【図８】
2014115373.tif 000170
【図９】
2014115373.tif 000171
【図１０】
2014115373.tif 000172
【図１１】
2014115373.tif 000173
【図１２】
2014115373.tif 000174
【図１３】
2014115373.tif 000175
【図１４】
2014115373.tif 000176
【図１５】
2014115373.tif 000177
【図１６】
2014115373.tif 000178
【図１７】
2014115373.tif 000179
【図１８】
2014115373.tif 000180
【図１９】
2014115373.tif 000181
【図２０】
2014115373.tif 000182
【図２１】
2014115373.tif 000183
【図２２】
2014115373.tif 000184
【図２３】
2014115373.tif 000185
【図２４】
2014115373.tif 000186
【図２５】
2014115373.tif 000187
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
所望基地局から直交周波数分割多元アクセスで下りリンクの信号を受信する移動通信端末であって、
電波を受信する複数の受信アンテナと、
前記所望基地局から送信される参照信号のベクトルである参照信号ベクトルを測定する参照信号ベクトル測定部と、
前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記干渉抑圧合成受信ウェイト行列と、前記参照信号ベクトル測定部で測定された前記参照信号ベクトルから、干渉抑圧合成が実施される場合に想定される、全受信電力を推定する全受信電力推定部と、
前記複数の受信アンテナで受信される電波に由来する信号から、チャネルインパルス行列を推定するチャネルインパルス行列推定部と、
前記干渉抑圧合成受信ウェイト行列の一部である干渉抑圧合成受信ウェイトベクトルと、前記チャネルインパルス行列と、前記参照信号または他の参照信号の系列である参照信号系列から、前記干渉抑圧合成が実施される場合に想定される、所望参照信号電力を推定する所望参照信号電力推定部と、
前記全受信電力から前記所望参照信号電力を減算することにより、前記干渉抑圧合成が実施される場合に想定される、干渉雑音電力を推定する干渉雑音電力推定部と、
前記チャネルインパルス行列から前記所望基地局でのプリコーディングに使用されるべき送信ウェイトベクトルを推定する送信ウェイトベクトル推定部と、
前記干渉抑圧合成受信ウェイトベクトルと、前記チャネルインパルス行列と、前記送信ウェイトベクトルから、前記干渉抑圧合成が実施される場合に想定される、所望データ信号電力を推定する所望データ信号電力推定部と、
前記所望データ信号電力と前記干渉雑音電力から、前記干渉抑圧合成が実施される場合に想定される、信号対雑音干渉比を計算する信号対雑音干渉比計算部と
を備えることを特徴とする移動通信端末。
【請求項２】
前記参照信号ベクトル測定部は、前記参照信号ベクトルとして、セル固有参照信号のベクトルであるセル固有参照信号ベクトルを測定する
ことを特徴とする請求項１に記載の移動通信端末。
【請求項３】
前記チャネルインパルス行列推定部は、前記参照信号ベクトル測定部で測定された前記セル固有参照信号ベクトルに基づいて前記チャネルインパルス行列を推定し、
前記所望参照信号電力推定部は、前記干渉抑圧合成受信ウェイトベクトルと、前記チャネルインパルス行列と、前記セル固有参照信号の系列から、前記所望参照信号電力を推定する
ことを特徴とする請求項２に記載の移動通信端末。
【請求項４】
前記所望基地局から送信されるチャネル状態情報参照信号のベクトルであるチャネル状態情報参照信号ベクトルを測定するチャネル状態情報参照信号ベクトル測定部をさらに備え、
前記チャネルインパルス行列推定部は、前記チャネル状態情報参照信号ベクトル測定部で測定された前記チャネル状態情報参照信号ベクトルに基づいて前記チャネルインパルス行列を推定し、
前記所望参照信号電力推定部は、前記干渉抑圧合成受信ウェイトベクトルと、前記チャネルインパルス行列と、前記チャネル状態情報参照信号の系列から、前記所望参照信号電力を推定する
ことを特徴とする請求項２に記載の移動通信端末。
【請求項５】
前記参照信号ベクトル測定部は、前記参照信号ベクトルとして、チャネル状態情報参照信号のベクトルであるチャネル状態情報参照信号ベクトルを測定し、
前記チャネルインパルス行列推定部は、前記参照信号ベクトル測定部で測定された前記チャネル状態情報参照信号ベクトルに基づいて前記チャネルインパルス行列を推定し、
前記所望参照信号電力推定部は、前記干渉抑圧合成受信ウェイトベクトルと、前記チャネルインパルス行列と、前記チャネル状態情報参照信号の系列から、前記所望参照信号電力を推定する
ことを特徴とする請求項１に記載の移動通信端末。
【請求項６】
所望基地局から直交周波数分割多元アクセスで下りリンクの信号を受信する移動通信端末であって、
電波を受信する複数の受信アンテナと、
前記所望基地局から送信される参照信号のベクトルである参照信号ベクトルを測定する参照信号ベクトル測定部と、
前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記干渉抑圧合成受信ウェイト行列と、前記参照信号ベクトル測定部で測定された前記参照信号ベクトルから、干渉抑圧合成が実施される場合に想定される、全受信信号成分を推定する全受信信号成分推定部と、
前記複数の受信アンテナで受信される電波に由来する信号から、チャネルインパルス行列を推定するチャネルインパルス行列推定部と、
前記干渉抑圧合成受信ウェイト行列の一部である干渉抑圧合成受信ウェイトベクトルと、前記チャネルインパルス行列と、前記参照信号または他の参照信号の系列である参照信号系列から、前記干渉抑圧合成が実施される場合に想定される、所望参照信号成分を推定する所望参照信号成分推定部と、
前記全受信信号成分から前記所望参照信号成分を減算して、減算結果を二乗することにより、前記干渉抑圧合成が実施される場合に想定される、干渉雑音電力を推定する干渉雑音電力推定部と、
前記チャネルインパルス行列から前記所望基地局でのプリコーディングに使用されるべき送信ウェイトベクトルを推定する送信ウェイトベクトル推定部と、
前記干渉抑圧合成受信ウェイトベクトルと、前記チャネルインパルス行列と、前記送信ウェイトベクトルから、前記干渉抑圧合成が実施される場合に想定される、所望データ信号電力を推定する所望データ信号電力推定部と、
前記所望データ信号電力と前記干渉雑音電力から、前記干渉抑圧合成が実施される場合に想定される、信号対雑音干渉比を計算する信号対雑音干渉比計算部と
を備えることを特徴とする移動通信端末。
【請求項７】
前記参照信号ベクトル測定部は、前記参照信号ベクトルとして、セル固有参照信号のベクトルであるセル固有参照信号ベクトルを測定する
ことを特徴とする請求項６に記載の移動通信端末。
【請求項８】
前記チャネルインパルス行列推定部は、前記参照信号ベクトル測定部で測定された前記セル固有参照信号ベクトルに基づいて前記チャネルインパルス行列を推定し、
前記所望参照信号成分推定部は、前記干渉抑圧合成受信ウェイトベクトルと、前記チャネルインパルス行列と、前記セル固有参照信号の系列から、前記所望参照信号成分を推定する
ことを特徴とする請求項７に記載の移動通信端末。
【請求項９】
前記所望基地局から送信されるチャネル状態情報参照信号のベクトルであるチャネル状態情報参照信号ベクトルを測定するチャネル状態情報参照信号ベクトル測定部をさらに備え、
前記チャネルインパルス行列推定部は、前記チャネル状態情報参照信号ベクトル測定部で測定された前記チャネル状態情報参照信号ベクトルに基づいて前記チャネルインパルス行列を推定し、
前記所望参照信号成分推定部は、前記干渉抑圧合成受信ウェイトベクトルと、前記チャネルインパルス行列と、前記チャネル状態情報参照信号の系列から、前記所望参照信号成分を推定する
ことを特徴とする請求項７に記載の移動通信端末。
【請求項１０】
前記参照信号ベクトル測定部は、前記参照信号ベクトルとして、チャネル状態情報参照信号のベクトルであるチャネル状態情報参照信号ベクトルを測定し、
前記チャネルインパルス行列推定部は、前記参照信号ベクトル測定部で測定された前記チャネル状態情報参照信号ベクトルに基づいて前記チャネルインパルス行列を推定し、
前記所望参照信号成分推定部は、前記干渉抑圧合成受信ウェイトベクトルと、前記チャネルインパルス行列と、前記チャネル状態情報参照信号の系列から、前記所望参照信号成分を推定する
ことを特徴とする請求項６に記載の移動通信端末。
【請求項１１】
所望基地局から直交周波数分割多元アクセスで下りリンクの信号を受信する移動通信端末であって、
電波を受信する複数の受信アンテナと、
前記所望基地局から送信される参照信号のベクトルである参照信号ベクトルを測定する参照信号ベクトル測定部と、
前記参照信号ベクトル測定部で測定された前記参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記複数の受信アンテナで受信される電波に由来する信号から、前記参照信号の異なるリソースエレメントに対応する複数のチャネルインパルス行列を推定するチャネルインパルス行列推定部と、
前記干渉抑圧合成受信ウェイト行列と、前記複数のチャネルインパルス行列のそれぞれの一部である複数のチャネルインパルスベクトルから、干渉抑圧合成が実施される場合に想定される、干渉雑音電力を推定する干渉雑音電力推定部と、
前記所望基地局でのプリコーディングに使用されるべき送信ウェイト行列の候補を供給する送信ウェイト行列供給部と、
前記干渉抑圧合成受信ウェイト行列の一部である干渉抑圧合成受信ウェイトベクトルと、前記チャネルインパルス行列推定部で推定された１つのチャネルインパルス行列または他のチャネルインパルス行列と、前記送信ウェイト行列の候補から、前記干渉抑圧合成が実施される場合に想定される、前記所望基地局から送信される送信ストリーム間干渉電力を推定する送信ストリーム間干渉電力推定部と、
前記干渉抑圧合成受信ウェイトベクトルと、前記チャネルインパルス行列推定部で推定された１つのチャネルインパルス行列または他のチャネルインパルス行列と、前記送信ウェイト行列の候補から、前記干渉抑圧合成が実施される場合に想定される、所望データ信号電力を推定する所望データ信号電力推定部と、
前記所望データ信号電力と前記干渉雑音電力と前記送信ストリーム間干渉電力から、前記干渉抑圧合成が実施される場合に想定される、信号対雑音干渉比を計算する信号対雑音干渉比計算部と
を備えることを特徴とする移動通信端末。
【請求項１２】
前記参照信号ベクトル測定部は、前記参照信号ベクトルとして、セル固有参照信号のベクトルであるセル固有参照信号ベクトルを測定し、
前記干渉抑圧合成処理部は、前記参照信号ベクトル測定部で測定された前記セル固有参照信号ベクトルに基づいて、前記干渉抑圧合成受信ウェイト行列を計算し、
前記チャネルインパルス行列推定部は、前記セル固有参照信号ベクトルの異なるリソースエレメントに対応する複数のチャネルインパルス行列を推定し、
前記干渉雑音電力推定部は、前記干渉抑圧合成受信ウェイト行列と、前記セル固有参照信号に由来する前記複数のチャネルインパルス行列のそれぞれの一部である複数のチャネルインパルスベクトルから、前記干渉雑音電力を推定する
ことを特徴とする請求項１１に記載の移動通信端末。
【請求項１３】
前記送信ストリーム間干渉電力推定部は、前記干渉抑圧合成受信ウェイトベクトルと、前記チャネルインパルス行列推定部で推定された前記セル固有参照信号に由来する１つのチャネルインパルス行列と、前記送信ウェイト行列の候補から、前記送信ストリーム間干渉電力を推定し、
前記所望データ信号電力推定部は、前記干渉抑圧合成受信ウェイトベクトルと、前記チャネルインパルス行列推定部で推定された前記セル固有参照信号に由来する１つのチャネルインパルス行列と、前記送信ウェイト行列の候補から、前記所望データ信号電力を推定する
ことを特徴とする請求項１２に記載の移動通信端末。
【請求項１４】
前記所望基地局から送信されるチャネル状態情報参照信号のベクトルであるチャネル状態情報参照信号ベクトルを測定するチャネル状態情報参照信号ベクトル測定部と、
前記複数の受信アンテナで受信される電波に由来する信号から、前記チャネル状態情報参照信号に由来するチャネルインパルス行列であるチャネル状態情報参照信号チャネルインパルス行列を推定するチャネル状態情報参照信号チャネルインパルス行列推定部とをさらに備え、
前記送信ストリーム間干渉電力推定部は、前記干渉抑圧合成受信ウェイトベクトルと、前記チャネル状態情報参照信号チャネルインパルス行列推定部で推定された前記チャネル状態情報参照信号チャネルインパルス行列と、前記送信ウェイト行列の候補から、前記送信ストリーム間干渉電力を推定し、
前記所望データ信号電力推定部は、前記干渉抑圧合成受信ウェイトベクトルと、前記チャネル状態情報参照信号チャネルインパルス行列推定部で推定された前記チャネル状態情報参照信号チャネルインパルス行列と、前記送信ウェイト行列の候補から、前記所望データ信号電力を推定する
ことを特徴とする請求項１２に記載の移動通信端末。
【請求項１５】
所望基地局から直交周波数分割多元アクセスで下りリンクの信号を受信する移動通信端末であって、
電波を受信する複数の受信アンテナと、
前記所望基地局から送信される復調用参照信号のベクトルである復調用参照信号ベクトルを測定する参照信号ベクトル測定部と、
前記参照信号ベクトル測定部で測定された前記復調用参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記干渉抑圧合成受信ウェイト行列と、前記参照信号ベクトル測定部で測定された前記復調用参照信号ベクトルから、干渉抑圧合成が実施される場合に想定される、全受信電力を推定する全受信電力推定部と、
前記参照信号ベクトル測定部で測定された前記復調用参照信号ベクトルに基づいてチャネルインパルス行列を推定するチャネルインパルス行列推定部と、
前記干渉抑圧合成受信ウェイト行列の一部である干渉抑圧合成受信ウェイトベクトルと、前記チャネルインパルス行列と、前記復調用参照信号の系列から、前記干渉抑圧合成が実施される場合に想定される、所望参照信号電力を推定する所望参照信号電力推定部と、
前記全受信電力から前記所望参照信号電力を減算することにより、前記干渉抑圧合成が実施される場合に想定される、干渉雑音電力を推定する干渉雑音電力推定部と、
前記所望参照信号電力と前記干渉雑音電力から、前記干渉抑圧合成が実施される場合に想定される、信号対雑音干渉比を計算する信号対雑音干渉比計算部と
を備えることを特徴とする移動通信端末。
【請求項１６】
所望基地局から直交周波数分割多元アクセスで下りリンクの信号を受信する移動通信端末であって、
電波を受信する複数の受信アンテナと、
前記所望基地局から送信される復調用参照信号のベクトルである復調用参照信号ベクトルを測定する参照信号ベクトル測定部と、
前記参照信号ベクトル測定部で測定された前記復調用参照信号ベクトルに基づいて、前記所望基地局から送信された電波の所望ビームに対する他のビームの影響を抑圧するように干渉抑圧合成受信ウェイト行列を計算する干渉抑圧合成処理部と、
前記複数の受信アンテナで受信される電波に由来する信号から、前記復調用参照信号の異なるリソースエレメントに対応する複数のチャネルインパルス行列を推定するチャネルインパルス行列推定部と、
前記干渉抑圧合成受信ウェイト行列と、前記複数のチャネルインパルス行列のそれぞれの一部である複数のチャネルインパルスベクトルから、干渉抑圧合成が実施される場合に想定される、干渉雑音電力を推定する干渉雑音電力推定部と、
前記干渉抑圧合成受信ウェイト行列の一部である干渉抑圧合成受信ウェイトベクトルと、前記チャネルインパルス行列推定部で推定された１つのチャネルインパルス行列から、前記干渉抑圧合成が実施される場合に想定される、前記所望基地局から送信される送信ストリーム間干渉電力を推定する送信ストリーム間干渉電力推定部と、
前記干渉抑圧合成受信ウェイトベクトルと、前記チャネルインパルス行列推定部で推定された１つのチャネルインパルス行列と、前記復調用参照信号の系列から、前記干渉抑圧合成が実施される場合に想定される、所望データ信号電力を推定する所望データ信号電力推定部と、
前記所望データ信号電力と前記干渉雑音電力と前記送信ストリーム間干渉電力から、前記干渉抑圧合成が実施される場合に想定される、信号対雑音干渉比を計算する信号対雑音干渉比計算部と
を備えることを特徴とする移動通信端末。
【請求項１７】
複数の基地局から受信する電波に関する受信信号品質を測定または計算する受信信号品質判定部と、
前記受信信号品質に基づいて、前記信号対雑音干渉比計算部で計算された前記信号対雑音干渉比または前記干渉雑音電力推定部で推定された前記干渉雑音電力を補正する補正部とをさらに備える
ことを特徴とする請求項１から請求項１６のいずれか１項に記載の移動通信端末。
【請求項１８】
前記受信信号品質判定部は、前記受信信号品質として、複数の基地局から受信する参照信号の複数の参照信号受信電力を測定し、
前記複数の参照信号受信電力のうち、２番目に大きい参照信号受信電力と３番目に大きい参照信号受信電力の差分に基づいて、前記補正部は、前記差分が大きいほど増分が大きくなるように、前記信号対雑音干渉比を増加させる
ことを特徴とする請求項１７に記載の移動通信端末。
【請求項１９】
前記受信信号品質判定部は、前記受信信号品質として、干渉抑圧合成が実施されない場合に想定される、信号対雑音干渉比である非干渉抑圧合成・信号対雑音干渉比を計算し、
前記補正部は、前記非干渉抑圧合成・信号対雑音干渉比が小さいほど増分が大きくなるように、前記信号対雑音干渉比を増加させる
ことを特徴とする請求項１７に記載の移動通信端末。
【請求項２０】
前記受信信号品質判定部は、前記受信信号品質として、複数の基地局から受信する参照信号の複数の参照信号受信電力を測定し、
前記複数の参照信号受信電力のうち、２番目に大きい参照信号受信電力と３番目に大きい参照信号受信電力に基づいて、前記補正部は、前記２番目に大きい参照信号受信電力と前記３番目に大きい参照信号受信電力との差分が大きいほど減少分が大きくなるように、かつ前記２番目に大きい参照信号受信電力が大きいほど減少分が大きくなるように、前記干渉雑音電力を減少させる
ことを特徴とする請求項１７に記載の移動通信端末。
【請求項２１】
前記信号対雑音干渉比から、チャネル状態情報を判定するチャネル状態情報判定部と、
前記チャネル状態情報を前記所望基地局に送信するチャネル状態情報送信部とをさらに備える
ことを特徴とする請求項１から請求項１７のいずれか１項に記載の移動通信端末。
【請求項２２】
干渉基地局からの干渉データ信号を復調することにより干渉レプリカを生成し、前記複数の受信アンテナで受信される電波に由来する受信信号から前記干渉レプリカをキャンセルすることにより、所望基地局からの所望データ信号を抽出する逐次干渉キャンセル部と、
前記信号対雑音干渉比計算部は、所望データ信号に対して前記干渉抑圧合成が実施される場合に想定される、信号対雑音干渉比を計算するとともに、所望データ信号であると仮定された干渉データ信号に対して前記干渉抑圧合成が実施される場合に想定される信号対雑音干渉比を計算し、
前記逐次干渉キャンセル部は、
高い信号対雑音干渉比を有するデータ信号を先に復調することによりデータ信号レプリカを生成し、前記データ信号レプリカを前記受信信号からキャンセルすることを繰り返し、すべての干渉データ信号のデータ信号レプリカを前記受信信号からキャンセルすることにより、所望データ信号を抽出する
ことを特徴とする請求項１から請求項１７のいずれか１項に記載の移動通信端末。
【手続補正２】
【補正対象書類名】明細書
【補正対象項目名】００４９
【補正方法】変更
【補正の内容】
【００４９】
送信ウェイトベクトル
【数２４】
2014115373.tif 000188
は、送信ウェイト行列
【数２５】
2014115373.tif 000189
（ＮＴＸ×Ｎstream次元の行列）から各送信ストリームについて抽出される縦ベクトルである。つまり、この縦ベクトルは、送信ウェイト行列の一部である送信ウェイトベクトルである。添字のｎは送信ストリームの番号を示す。送信ウェイトベクトル推定部４８は、送信ウェイト行列から各送信ストリームごとに送信ウェイトベクトルを抽出する。
【手続補正３】
【補正対象書類名】明細書
【補正対象項目名】００７０
【補正方法】変更
【補正の内容】
【００７０】
送信ウェイトベクトル
【数４５】
2014115373.tif 000190
は、送信ウェイト行列
【数４６】
2014115373.tif 000191
（ＮＴＸ×Ｎstream次元の行列）から各送信ストリームについて抽出される縦ベクトルである。つまり、この縦ベクトルは、送信ウェイト行列の一部である送信ウェイトベクトルである。添字のｎは送信ストリームの番号を示す。送信ウェイトベクトル推定部４８は、送信ウェイト行列から各送信ストリームごとに送信ウェイトベクトルを抽出する。
【手続補正４】
【補正対象書類名】明細書
【補正対象項目名】００９２
【補正方法】変更
【補正の内容】
【００９２】
送信ウェイトベクトル
【数７０】
2014115373.tif 000192
は、送信ウェイト行列
【数７１】
2014115373.tif 000193
（ＮＴＸ×Ｎstream次元の行列）から各送信ストリームについて抽出される縦ベクトルである。つまり、この縦ベクトルは、送信ウェイト行列の一部である送信ウェイトベクトルである。添字のｎは送信ストリームの番号を示す。送信ウェイトベクトル推定部４８は、送信ウェイト行列から各送信ストリームごとに送信ウェイトベクトルを抽出する。
【手続補正５】
【補正対象書類名】明細書
【補正対象項目名】０１５６
【補正方法】変更
【補正の内容】
【０１５６】
ＩＲＣの干渉抑圧効果は、支配的な干渉セル（干渉基地局）が少ない場合、かつ支配的な干渉セルに起因する干渉が大きい場合に高い。つまり、干渉セルが少ないほど、干渉抑圧効果は高い。また、支配的な干渉セルに起因する干渉が大きいほど、干渉抑圧効果は高い。干渉抑圧効果が高ければ、干渉抑圧合成が実施される場合に想定される干渉雑音電力は低い。この実施の形態では、この原理を利用して、干渉抑圧合成が実施される場合に想定される干渉雑音電力を補正する。２番目に大きい参照信号受信電力ＲＳＲＰ２は、最大の干渉を起こしている参照信号の受信電力であり、３番目に大きい参照信号受信電力ＲＳＲＰ３は、２番目に大きい干渉を起こしている参照信号の受信電力である。参照信号受信電力ＲＳＲＰ２が大きければ、支配的な干渉セルに起因する干渉が大きいと考えられ、差分（ＲＳＲＰ２−ＲＳＲＰ３）が大きければ、支配的な干渉セルが１つであると考えられ、ＩＲＣの干渉抑圧効果が高いと考えられる。そこで、補正部７２は、２番目に大きい参照信号受信電力ＲＳＲＰ２が大きいほど、干渉雑音電力を減少させるように、かつ差分（ＲＳＲＰ２−ＲＳＲＰ３）が大きいほど、干渉雑音電力を減少させるように、干渉雑音電力を補正する。このような補正により、干渉抑圧合成が実施される場合に想定される信号対雑音干渉比を精度よく得ることが可能である。
【手続補正６】
【補正対象書類名】明細書
【補正対象項目名】０２７０
【補正方法】変更
【補正の内容】
【０２７０】
受信信号品質判定部７０および補正部７２は、上記の第７の実施の形態〜第９の実施の形態の受信信号品質判定部７０および補正部７２と同じである。すなわち、補正部７２は、受信信号品質判定部７０で測定または計算された受信信号品質に基づいて、ＳＩＮＲ計算部５２で計算されたＳＩＮＲを補正して、補正されたＳＩＮＲをキャンセル順番決定部３００に供給する。第１７の実施の形態と同様に、ＳＩＮＲ計算部５２は、所望データ信号に対して干渉抑圧合成が実施される場合に想定されるＳＩＮＲだけでなく、干渉データ信号に対して干渉抑圧合成が実施される場合に想定されるＳＩＮＲを計算する。補正部７２は、これらのＳＩＮＲを補正して、補正されたＳＩＮＲをキャンセル順番決定部３００に供給する。
【手続補正７】
【補正対象書類名】図面
【補正対象項目名】図１８
【補正方法】変更
【補正の内容】
【図１８】
2014115373.tif 000194
【国際調査報告】
2014115373.tif 000195
2014115373.tif 000196
2014115373.tif 000197